(57)【要約】【課題】同時押しの発生を防止することにより所望の文字等の情報を正確に入力することが可能な入力装置を提供する。【解決手段】入力装置は、入力される情報が複数割り当てられている入力キー３０を備える。入力キー３０は、中央部及び隅部において押下操作が行われるキートップ３２と、中央ドームスイッチと各周辺ドームスイッチとの間にそれぞれ配設された突起部材と、周辺ドームスイッチと周辺ドームスイッチとの間に配設された突起部材と、周辺ドームスイッチと周辺ドームスイッチ４８Ｄとの間に配設された突起部材とを有する。そのため、各突起部材によってキートップ３２の降下量が規制されている。その結果、押下操作されたドームスイッチのみが押下されるようになり、所望の文字等の情報を正確に入力することが可能となる。【選択図】図６
2008053228.tif 000002
【特許請求の範囲】
【請求項１】
入力される情報が複数割り当てられている入力キーを１つ以上備え、前記入力キーの割り当てられている部分が押下されることにより基板に形成されているスイッチ部が接触動作を行う入力装置であって、
前記入力キーは、
前記基板と所定間隔を有するように保持され、中央部並びに前記中央部を挟んで対向しない第１及び第２周辺部においてそれぞれ押下操作が行われるキートップと、
前記中央部と前記第１周辺部との間に配設され、押下操作による前記キートップの押下量を規制する第１中央突起部と、
前記中央部と前記第２周辺部との間に配設され、押下操作による前記キートップの押下量を規制する第２中央突起部と、
前記第１周辺部と前記第２周辺部との間に配設され、押下操作による前記キートップの押下量を規制する周辺突起部とを有することを特徴とする入力装置。
【請求項２】
前記基板には、押下されることにより情報入力を行わせるスイッチ部が、前記中央部、前記第１周辺部、および前記第２周辺部に対応した位置にそれぞれ形成され、
前記キートップには、前記スイッチ部に対して押下作用を行わせる突起がそれぞれ形成されており、
前記中央部に対する突起は、前記第１周辺部および第２周辺部に対する突起より、長く形成されていることを特徴とする請求項１に記載の入力装置。
【請求項３】
前記第１または第２周辺部に対応する突起は、
前記キートップの中央部が押下された場合、前記第１または第２周辺部に対応する突起が当該突起に対応するスイッチ部を押下しない高さに形成されるとともに、
前記キートップの第１または第２の周辺部が押下された場合、前記中央部に対応する突起が当該突起に対応するスイッチ部を押下しない高さに形成されていることを特徴とする請求項２に記載の入力装置。
【請求項４】
入力される情報が複数割り当てられている入力キーを１つ以上備え、前記入力キーの割り当てられている部分が押下されることにより基板に形成されているスイッチ部が接触動作を行う入力装置であって、
前記入力キーは、
基板と所定間隔を有するように保持され、中央部、前記中央部を挟んで対向しない第１及び第２周辺部並びに前記中央部を挟んで対向しない第３及び第４周辺部においてそれぞれ押下操作が行われるキートップと、
前記中央部と前記第１周辺部との間に配設され、押下操作による前記キートップの押下量を規制する第１中央突起部と、
前記中央部と前記第２周辺部との間に配設され、押下操作による前記キートップの押下量を規制する第２中央突起部と、
前記中央部と前記第３周辺部との間に配設され、押下操作による前記キートップの押下量を規制する第３中央突起部と、
前記中央部と前記第４周辺部との間に配設され、押下操作による前記キートップの押下量を規制する第４中央突起部と、
前記第１周辺部と前記第２周辺部との間に配設され、押下操作による前記キートップの押下量を規制する第１周辺突起部と、
前記第３周辺部と前記第４周辺部との間に配設され、押下操作による前記キートップの押下量を規制する第２周辺突起部とを有することを特徴とする入力装置。
【請求項５】
前記第１〜第４中央突起部は、所定の幅を有する幅部分によって前記キートップの押下量をそれぞれ規制し、
前記第１中央突起部の幅部分は、前記中央部と前記第１周辺部とを結ぶ直線に対して略垂直に交差するように配置され、
前記第２中央突起部の幅部分は、前記中央部と前記第２周辺部とを結ぶ直線に対して略垂直に交差するように配置され、
前記第３中央突起部の幅部分は、前記中央部と前記第３周辺部とを結ぶ直線に対して略垂直に交差するように配置され、
前記第４中央突起部の幅部分は、前記中央部と前記第４周辺部とを結ぶ直線に対して略垂直に交差するように配置されていることを特徴とする請求項４に記載された入力装置。
【請求項６】
前記キートップの裏面又は前記基板の表面の一方に、前記第１〜第４中央突起部が設けられ、
前記キートップの裏面又は前記基板の表面の他方に、前記第１〜第４中央突起部と遊嵌する遊嵌突起部が設けられていることを特徴とする請求項４又は５に記載された入力装置。
【請求項７】
前記第１〜第４中央突起部と接触する前記遊嵌突起部の接触面が円弧面となっていることを特徴とする請求項６に記載された入力装置。
【請求項８】
前記第１中央突起部は、前記中央部から前記第１周辺部の方向に向かうにつれて前記基板との距離が小さくなるような傾斜面を有し、
前記第２中央突起部は、前記中央部から前記第２周辺部の方向に向かうにつれて前記基板との距離が小さくなるような傾斜面を有し、
前記第３中央突起部は、前記中央部から前記第３周辺部の方向に向かうにつれて前記基板との距離が小さくなるような傾斜面を有し、
前記第４中央突起部は、前記中央部から前記第４周辺部の方向に向かうにつれて前記基板との距離が小さくなるような傾斜面を有することを特徴とする請求項４〜７のいずれか一項に記載された入力装置。
【請求項９】
前記入力キーは、前記キートップを保持する保持シートを更に有し、
前記保持シートは、前記第１〜第４周辺部のうちの一の周辺部が押下操作されたときに、前記第１〜第４中央突起部のうち押下操作された一の周辺部に対応する中央突起部が作用点として機能することによる前記第１〜第４周辺部のうちの他の周辺部の上昇が生じない位置に前記キートップを保持していることを特徴とする請求項１又は４に記載された入力装置。
【請求項１０】
前記キートップは、弾性変形可能な弾性部材によって前記基板上に支持されていることを特徴とする請求項９に記載された入力装置。
【請求項１１】
前記保持シートは、前記第１〜第４周辺部以外の部分において前記キートップを保持していることを特徴とする請求項９又は１０に記載された入力装置。
【請求項１２】
前記保持シートは、前記保持シートにおける前記第１〜第４周辺部に対応する部分が前記保持シートにおける前記第１〜第４周辺部以外の部分に対応する部分よりも伸張しやすくなるように、前記キートップを保持していることを特徴とする請求項９又は１０に記載された入力装置。
【請求項１３】
前記キートップの側面には突起が形成されていることを特徴とする請求項１〜１２のいずれか一項に記載された入力装置。
【請求項１４】
前記キートップに対応する位置に開口が形成され、外部から操作可能となるよう前記キートップが前記開口から露出されるフレームを更に備え、
前記キートップの側面と対向する前記フレームの側面には突起が形成されていることを特徴とする請求項１〜１２のいずれか一項に記載された入力装置。
【請求項１５】
前記基板には、押下されることにより情報入力を行わせるスイッチ部が、前記中央部および前記第１〜４周辺部に対応した位置にそれぞれ形成され、
前記キートップには、前記スイッチ部に対して押下作用を行わせる突起がそれぞれ形成されており、
前記中央部に対する突起は、前記第１〜４周辺部に対する突起より、長く形成されていることを特徴とする請求項４に記載の入力装置。
【請求項１６】
前記第１〜第４周辺部に対応する突起は、
前記キートップの中央部が押下された場合、前記第１〜第４周辺部に対応する突起が当該突起に対応するスイッチ部を押下しない高さに形成されるとともに、
前記キートップの第１〜第４周辺部が押下された場合、前記中央部に対応する突起が当該突起に対応するスイッチ部を押下しない高さに形成されていることを特徴とする請求項１５に記載の入力装置。
【請求項１７】
前記入力キーは、前記キートップを保持する保持シートを更に有し、
前記第１及び第２中央突起部並びに前記周辺突起部は、前記キートップの下面に突設され、
前記第１及び第２中央突起部は、所定の幅を有する幅部分によって前記キートップの押下量をそれぞれ規制し、
前記第１中央突起部の幅部分は、前記中央部と前記第１周辺部とを結ぶ直線に対して略垂直に交差するように配置され、
前記第２中央突起部の幅部分は、前記中央部と前記第２周辺部とを結ぶ直線に対して略垂直に交差するように配置され、
前記基板には、押下されることにより情報入力を行わせる中央スイッチ部、第１周辺スイッチ部及び第２周辺スイッチ部が、前記中央部、前記第１周辺部及び前記第２周辺部に対応した位置にそれぞれ形成され、
前記キートップには、前記中央スイッチ部、前記第１周辺スイッチ部及び前記第２周辺スイッチ部に対して押下操作を行わせる中央突起、第１周辺突起及び第２周辺突起がそれぞれ形成されており、
パラメータＫｄ１，Ｋｄ２，Ｐｃ，Ｐｓ，Ｒｃ，Ｄｃ，Ｄｓ，Ｇｒｃ，θ２を
Ｋｄ１：前記中央突起と前記第１中央突起部との平面視における直線距離
Ｋｄ２：前記第１中央突起部と前記第１周辺突起との平面視における直線距離
Ｐｃ：前記中央突起の長さ
Ｐｓ：前記第１及び第２周辺突起の長さ
Ｒｃ：前記第１及び第２中央突起部の長さ
Ｄｃ：前記中央スイッチ部の高さ
Ｄｓ：前記第１及び第２周辺スイッチ部の高さ
Ｇｒｃ：前記中央突起の先端が前記中央スイッチ部に当接すると共に前記第１周辺突起の先端が前記第１周辺スイッチ部に当接するまで前記キートップの前記中央部と前記第１周辺部との中間位置を押下した時の、前記第１中央突起部の先端と前記基板との直線距離
θ２：前記中央突起の先端が前記中央スイッチ部に当接すると共に前記第１周辺突起の先端が前記第１周辺スイッチ部に当接するまで前記キートップの前記中央部と前記第１周辺部との中間位置を押下した時の、前記中央突起及び前記第１周辺突起を通る直線での横断面における、前記保持シートの下面と前記基板の表面とがなす角
とそれぞれ定義したときに、下記式（ＭＣ−ａ）及び（ＭＣ−ｂ）にて求められるＧｒｃが下記式（ＭＣ１）を満たすことを特徴とする請求項１に記載の入力装置。
Ｇｒｃ≦０・・・（ＭＣ１）
Ｇｒｃ＝Ｄｃ＋Ｐｃｃｏｓθ２−Ｋｄ１ｓｉｎθ２−Ｒｃｃｏｓθ２・・・（ＭＣ−ａ）
Ｇｒｃ＝Ｄｓ＋Ｐｓｃｏｓθ２＋Ｋｄ２ｓｉｎθ２−Ｒｃｃｏｓθ２・・・（ＭＣ−ｂ）
［ただし、上記式（ＭＣ−ａ）及び（ＭＣ−ｂ）中、θ２は下記式（ＭＣ−ｃ）にて求められる。
Ｄｃ＋Ｐｃｃｏｓθ２＝Ｄｓ＋Ｐｓｃｏｓθ２＋（Ｋｄ１＋Ｋｄ２）ｓｉｎθ２・・・（ＭＣ−ｃ）］
【請求項１８】
パラメータＴｃ，Ｔｓを
Ｔｃ：押圧された前記中央スイッチ部が座屈を開始する時の、前記中央スイッチ部の頂点と前記基板との直線距離
Ｔｓ：押圧された前記第１及び第２周辺スイッチ部が座屈を開始する時の、前記第１及び第２周辺スイッチ部の頂点と前記基板との直線距離
とそれぞれ定義したときに、Ｇｒｃが、上記式（ＭＣ１）の代わりに、下記式（ＭＣ１．１）及び（ＭＣ１．２）を満たすことを特徴とする請求項１７に記載の入力装置。
Ｇｒｃ≦β×（Ｄｓ−Ｔｓ）・・・（ＭＣ１．１）
Ｇｒｃ≦β×（Ｄｃ−Ｔｃ）・・・（ＭＣ１．２）
（ここで、βは、０≦β＜１を満たす定数である。）
【請求項１９】
パラメータＴｃ，Ｌｃ，Ｇｐｓを
Ｔｃ：押圧された前記中央スイッチ部が座屈を開始する時の、前記中央スイッチ部の頂点と前記基板との直線距離
Ｌｃ：前記第１及び第２中央突起部が前記基板に当接するまで前記キートップの前記中央部を押下した時の、前記中央スイッチ部の頂点と前記基板との直線距離、すなわち、前記第１及び第２中央突起部の長さ（Ｒｃ）と前記中央突起の長さ（Ｐｃ）との差（Ｒｃ−Ｐｃ）
Ｇｐｓ：前記第１及び第２中央突起部が前記基板に当接するまで前記キートップの前記中央部を押下した時の、前記第１及び第２周辺突起の先端と前記基板との直線距離、すなわち、前記第１及び第２中央突起部の長さ（Ｒｃ）と前記第１及び第２周辺突起の長さ（Ｐｓ）との差（Ｒｃ−Ｐｓ）
とそれぞれ定義したときに、下記式（Ｃ１）及び（Ｃ２）にて表される関係が満たされていることを特徴とする請求項１７又は１８に記載の入力装置。
Ｔｃ−Ｌｃ≧αｃ×（Ｄｃ−Ｔｃ）・・・（Ｃ１）
（ここで、αｃは、０＜αｃ≦Ｔｃ／（Ｄｃ−Ｔｃ）を満たす定数である。）
Ｇｐｓ≧Ｄｓ・・・（Ｃ２）
【請求項２０】
パラメータＴｓを
Ｔｓ：押圧された前記第１及び第２周辺スイッチ部が座屈を開始する時の、前記第１及び第２周辺スイッチ部の頂点と前記基板との直線距離
と定義したときに、Ｇｐｓが、上記式（Ｃ２）の代わりに、下記式（Ｃ２．１）を満たすことを特徴とする請求項１９に記載の入力装置。
Ｇｐｓ＞Ｔｓ・・・（Ｃ２．１）
【請求項２１】
前記入力キーは、前記入力キーが内側に配置され、外部から操作可能となるように前記キートップが露出される開口が形成されているフレームを更に有し、
パラメータＫｖ２，Ｋｄ３，Ｋｄ４，Ｒｓ，Ｔｓ，Ｇｐｃ，Ｇｒｓ，Ｇｆ，Ｇｓ，Ｆｂ，Ｓｓ，Ｌｓ，θ，θ１を
Ｋｖ２：前記第１中央突起部の前記第１周辺突起部に近い側における端部から前記中央突起及び前記第１周辺突起部を通る直線に向けて垂直に延びる直線と前記中央突起及び前記第１周辺突起部を通る直線との交点と、前記第１周辺突起部との平面視における直線距離
Ｋｄ３：前記中央突起及び前記第１周辺突起を通る直線において、前記第１周辺突起と前記キートップの前記第１周辺突起に近い側における縁との平面視における直線距離
Ｋｄ４：前記中央突起及び前記第１周辺突起を通る直線において、前記中央突起と前記キートップの前記第１周辺突起と遠い側における縁との平面視における直線距離
Ｒｓ：前記第１及び第２周辺突起部の長さ
Ｔｓ：押圧された前記第１及び第２周辺スイッチ部が座屈を開始する時の、前記第１及び第２周辺スイッチ部の頂点と前記基板との直線距離
Ｆｂ：前記フレームの下面と前記基板との直線距離
Ｓｓ：前記保持シートの厚さ
Ｌｓ：前記キートップの前記第１周辺部を押下した時の、前記第１周辺突起の先端と前記基板との直線距離
Ｇｐｃ：前記第１周辺突起の先端と前記基板との直線距離がＬｓとなるまで前記キートップの前記第１周辺部を押下した時の、前記中央突起の先端と前記基板との直線距離
Ｇｒｓ：前記第１周辺突起の先端と前記基板との直線距離がＬｓとなるまで前記キートップの前記第１周辺部を押下した時の、前記第１周辺突起部の先端と前記基板との直線距離
Ｇｆ：前記第１周辺突起の先端と前記基板との直線距離がＬｓとなるまで前記キートップの前記第１周辺部を押下した時の、前記フレームの高さと、前記保持シートの上面のうち最も上方に位置する部分の高さとの差
Ｇｓ：前記第１周辺突起の先端と前記基板との直線距離がＬｓとなるまで前記キートップの前記第１周辺部を押下した時の、前記保持シートの下面のうち最も下方に位置する部分と、前記基板との直線距離
θ：平面視における、前記中央突起及び前記第１周辺突起を通る直線と、前記中央突起及び前記第２周辺突起を通る直線とがなす角を２で割った値
θ１：前記第１周辺突起の先端と前記基板との直線距離がＬｓとなるまで前記キートップの前記第１周辺部を押下した時の、前記中央突起及び前記第１周辺突起を通る直線での横断面における、前記保持シートの下面と前記基板の表面とがなす角
とそれぞれ定義したときに、下記式（Ｓ１）にて表される関係が満たされていると共に、下記式（Ｓ−ａ）にて求められるＧｐｃが下記式（Ｓ２）を満たし、下記式（Ｓ−ｂ）にて求められるＧｒｓが下記式（Ｓ３）を満たし、下記式（Ｓ−ｃ）にて求められるＧｓが下記式（Ｓ４．１）を満たし、且つ、下記式（Ｓ−ｄ）にて求められるＧｆが下記式（Ｓ４．２）を満たすことを特徴とする請求項１７〜２０のいずれか一項に記載の入力装置。
Ｔｓ−Ｌｓ≧αｓ×（Ｄｓ−Ｔｓ）・・・（Ｓ１）
（ここで、αｓは、０＜αｓ≦Ｔｓ／（Ｄｓ−Ｔｓ）を満たす定数である。）
Ｇｐｃ≧Ｄｓ・・・（Ｓ２）
Ｇｒｓ≧０・・・（Ｓ３）
Ｇｓ≧０・・・（Ｓ４．１）
Ｇｆ≧０・・・（Ｓ４．２）
Ｇｐｃ＝Ｒｃｃｏｓθ１＋Ｋｄ１ｓｉｎθ１−Ｐｃｃｏｓθ１・・・（Ｓ−ａ）
Ｇｒｓ＝Ｒｃｃｏｓθ１−Ｋｖ２ｃｏｓθｓｉｎθ１−Ｒｓｃｏｓθ１・・・（Ｓ−ｂ）
Ｇｓ＝Ｒｃｃｏｓθ１−（Ｋｄ２＋Ｋｄ３）ｓｉｎθ１・・・（Ｓ−ｃ）
Ｇｆ＝Ｆｂ−Ｒｃｃｏｓθ１−（Ｋｄ１＋Ｋｄ４）ｓｉｎθ１−Ｓｓ・・・（Ｓ−ｄ）
［ただし、上記式（Ｓ−ａ）〜（Ｓ−ｄ）中、θ１は下記式（Ｓ−ｅ）にて求められる。
Ｒｃｃｏｓθ１＝Ｋｄ２ｓｉｎθ１＋Ｐｓｃｏｓθ１＋Ｌｓ・・・（Ｓ−ｅ）］
【請求項２２】
パラメータＴｃを
Ｔｃ：押圧された前記中央スイッチ部が座屈を開始する時の、前記中央スイッチ部の頂点と前記基板との直線距離
と定義したときに、Ｇｐｃが、上記式（Ｓ２）の代わりに、下記式（Ｓ２．１）を満たすことを特徴とする請求項２１に記載の入力装置。
Ｇｐｃ＞Ｔｃ・・・（Ｓ２．１）
【請求項２３】
パラメータＫｖ１，Ｋｖ２，Ｒｓ，Ｇｐｓｓ，Ｇｐｃｓ，θ３を
Ｋｖ１：前記中央突起と、前記第１中央突起部の前記第１周辺突起部に近い側における端部から前記中央突起及び前記第１周辺突起部を通る直線に向けて垂直に延びる直線と前記中央突起及び前記第１周辺突起部を通る直線との交点との平面視における直線距離
Ｋｖ２：前記第１中央突起部の前記第１周辺突起部に近い側における端部から前記中央突起及び前記第１周辺突起部を通る直線に向けて垂直に延びる直線と前記中央突起及び前記第１周辺突起部を通る直線との交点と、前記第１周辺突起部との平面視における直線距離
Ｒｓ：前記第１及び第２周辺突起部の長さ
Ｇｐｓｓ：前記第１及び第２中央突起部の一部が前記基板に当接すると共に前記第１周辺突起部が前記基板に当接するまで前記キートップの前記第１周辺部と前記第２周辺部との中間位置を鉛直方向に押下した時の、前記第１及び第２周辺突起の先端と前記基板との直線距離
Ｇｐｃｓ：前記第１及び第２中央突起部の一部が前記基板に当接すると共に前記第１周辺突起部が前記基板に当接するまで前記キートップの前記第１周辺部と前記第２周辺部との中間位置を鉛直方向に押下した時の、前記中央突起の先端と前記基板との直線距離
θ３：前記第１及び第２中央突起部の一部が前記基板に当接すると共に前記第１周辺突起部が前記基板に当接するまで前記キートップの前記第１周辺部と前記第２周辺部との中間位置を鉛直方向に押下した時の、前記中央突起及び前記第１周辺突起部を通る直線での横断面における、前記保持シートの下面と前記基板の表面とがなす角
とそれぞれ定義したときに、下記式（ＭＳ−ａ）にて求められるＧｐｓｓが下記式（ＭＳ１）を満たし、且つ、下記式（ＭＳ−ｂ）にて求められるＧｐｃｓが下記式（ＭＳ２）を満たすことを特徴とする請求項１７〜２２のいずれか一項に記載の入力装置。
Ｇｐｓｓ≧Ｄｓ・・・（ＭＳ１）
Ｇｐｃｓ≧Ｄｃ・・・（ＭＳ２）
Ｇｐｓｓ＝Ｒｓｃｏｓθ３−Ｐｓｃｏｓθ３・・・（ＭＳ−ａ）
Ｇｐｃｓ＝Ｒｃｃｏｓθ３＋Ｋｖ１ｓｉｎθ３−Ｐｃｃｏｓθ３・・・（ＭＳ−ｂ）
［ただし、上記式（ＭＳ−ａ）及び（ＭＳ−ｂ）中、θ３は下記式（ＭＳ−ｃ）にて求められる。
Ｒｃｃｏｓθ３＝Ｋｖ２ｓｉｎθ３＋Ｒｓｃｏｓθ３・・・（ＭＳ−ｃ）］
【請求項２４】
Ｇｐｓｓが、上記式（ＭＳ１）の代わりに、下記式（ＭＳ１．１）を満たすことを特徴とする請求項２３に記載の入力装置。
Ｄｓ−Ｇｐｓｓ≦γ×（Ｄｓ−Ｔｓ）・・・（ＭＳ１．１）
（ここで、γは、０≦γ＜１を満たす定数である。）
【請求項２５】
パラメータＴｃを
Ｔｃ：押圧された前記中央スイッチ部が座屈を開始する時の、前記中央スイッチ部の頂点と前記基板との直線距離
と定義したときに、Ｇｐｃｓが、上記式（ＭＳ２）の代わりに、下記式（ＭＳ２．１）を満たすことを特徴とする請求項２３又は２４に記載の入力装置。
Ｄｃ−Ｇｐｃｓ≦δ×（Ｄｃ−Ｔｃ）・・・（ＭＳ２．１）
（ここで、δは、０≦δ＜１を満たす定数である。）
【請求項２６】
前記入力キーは、前記キートップを保持する保持シートを更に有し、
前記第１及び第２中央突起部並びに前記周辺突起部は、前記基板上に突設され、
前記第１及び第２中央突起部は、所定の幅を有する幅部分によって前記キートップの押下量をそれぞれ規制し、
前記第１中央突起部の幅部分は、前記中央部と前記第１周辺部とを結ぶ直線に対して略垂直に交差するように配置され、
前記第２中央突起部の幅部分は、前記中央部と前記第２周辺部とを結ぶ直線に対して略垂直に交差するように配置され、
前記基板には、押下されることにより情報入力を行わせる中央スイッチ部、第１周辺スイッチ部及び第２周辺スイッチ部が、前記中央部、前記第１周辺部及び前記第２周辺部に対応した位置にそれぞれ形成され、
前記キートップには、前記中央スイッチ部、前記第１周辺スイッチ部及び前記第２周辺スイッチ部に対して押下操作を行わせる中央突起、第１周辺突起及び第２周辺突起がそれぞれ形成されており、
パラメータＫｄ１，Ｋｄ２，Ｐｃ，Ｐｓ，Ｒｃ，Ｄｃ，Ｄｓ，Ｇｒｃ’，θ２を
Ｋｄ１：前記中央突起と前記第１中央突起部との平面視における直線距離
Ｋｄ２：前記第１中央突起部と前記第１周辺突起との平面視における直線距離
Ｐｃ：前記中央突起の長さ
Ｐｓ：前記第１及び第２周辺突起の長さ
Ｒｃ：前記第１及び第２中央突起部の長さ
Ｄｃ：前記中央スイッチ部の高さ
Ｄｓ：前記第１及び第２周辺スイッチ部の高さ
Ｇｒｃ’：前記中央突起の先端が前記中央スイッチ部に当接すると共に前記第１周辺突起の先端が前記第１周辺スイッチ部に当接するまで前記キートップの前記中央部と前記第１周辺部との中間位置を押下した時の、前記第１中央突起部の先端と前記キートップの下面及び前記保持シートの下面のうち近い方との鉛直方向における離間距離
θ２：前記中央突起の先端が前記中央スイッチ部に当接すると共に前記第１周辺突起の先端が前記第１周辺スイッチ部に当接するまで前記キートップの前記中央部と前記第１周辺部との中間位置を押下した時の、前記中央突起及び前記第１周辺突起を通る直線での横断面における、前記保持シートの下面と前記基板の表面とがなす角
とそれぞれ定義したときに、下記式（ＭＣ−ａ’）及び（ＭＣ−ｂ’）にて求められるＧｒｃ’が下記式（ＭＣ１’）を満たすことを特徴とする請求項１に記載の入力装置。
Ｇｒｃ’≦０・・・（ＭＣ１’）
Ｇｒｃ’＝Ｄｃ＋Ｐｃｃｏｓθ２−Ｋｄ１ｓｉｎθ２−Ｒｃ・・・（ＭＣ−ａ’）
Ｇｒｃ’＝Ｄｓ＋Ｐｓｃｏｓθ２＋Ｋｄ２ｓｉｎθ２−Ｒｃ・・・（ＭＣ−ｂ’）
［ただし、上記式（ＭＣ−ａ’）及び（ＭＣ−ｂ’）中、θ２は下記式（ＭＣ−ｃ）にて求められる。
Ｄｃ＋Ｐｃｃｏｓθ２＝Ｄｓ＋Ｐｓｃｏｓθ２＋（Ｋｄ１＋Ｋｄ２）ｓｉｎθ２・・・（ＭＣ−ｃ）］
【請求項２７】
前記入力キーは、前記キートップを保持する保持シートを更に有し、
前記第１〜第４中央突起部並びに第１及び第２周辺突起部は、前記キートップの下面に突設され、
前記基板には、押下されることにより情報入力を行わせる中央スイッチ部、第１周辺スイッチ部、第２周辺スイッチ部、第３周辺スイッチ部及び第４周辺スイッチ部が、前記中央部、前記第１周辺部、前記第２周辺部、前記第３周辺部及び前記第４周辺部に対応した位置にそれぞれ形成され、
前記キートップには、前記中央スイッチ部、前記第１周辺スイッチ部、前記第２周辺スイッチ部、前記第３周辺スイッチ部及び前記第４周辺スイッチ部に対して押下操作を行わせる中央突起、第１周辺突起、第２周辺突起、第３周辺突起及び第４周辺突起がそれぞれ形成されており、
パラメータＫｄ１，Ｋｄ２，Ｐｃ，Ｐｓ，Ｒｃ，Ｄｃ，Ｄｓ，Ｇｒｃ，θ２を
Ｋｄ１：前記中央突起と前記第１中央突起部との平面視における直線距離
Ｋｄ２：前記第１中央突起部と前記第１周辺突起との平面視における直線距離
Ｐｃ：前記中央突起の長さ
Ｐｓ：前記第１〜第４周辺突起の長さ
Ｒｃ：前記第１〜第４中央突起部の長さ
Ｄｃ：前記中央スイッチ部の高さ
Ｄｓ：前記第１〜第４周辺スイッチ部の高さ
Ｇｒｃ：前記中央突起の先端が前記中央スイッチ部に当接すると共に前記第１周辺突起の先端が前記第１周辺スイッチ部に当接するまで前記キートップの前記中央部と前記第１周辺部との中間位置を押下した時の、前記第１中央突起部の先端と前記基板との直線距離
θ２：前記中央突起の先端が前記中央スイッチ部に当接すると共に前記第１周辺突起の先端が前記第１周辺スイッチ部に当接するまで前記キートップの前記中央部と前記第１周辺部との中間位置を押下した時の、前記中央突起及び前記第１周辺突起を通る直線での横断面における、前記保持シートの下面と前記基板の表面とがなす角
とそれぞれ定義したときに、下記式（ＭＣ−ａ）及び（ＭＣ−ｂ）にて求められるＧｒｃが下記式（ＭＣ１）を満たすことを特徴とする請求項５に記載の入力装置。
Ｇｒｃ≦０・・・（ＭＣ１）
Ｇｒｃ＝Ｄｃ＋Ｐｃｃｏｓθ２−Ｋｄ１ｓｉｎθ２−Ｒｃｃｏｓθ２・・・（ＭＣ−ａ）
Ｇｒｃ＝Ｄｓ＋Ｐｓｃｏｓθ２＋Ｋｄ２ｓｉｎθ２−Ｒｃｃｏｓθ２・・・（ＭＣ−ｂ）
［ただし、上記式（ＭＣ−ａ）及び（ＭＣ−ｂ）中、θ２は下記式（ＭＣ−ｃ）にて求められる。
Ｄｃ＋Ｐｃｃｏｓθ２＝Ｄｓ＋Ｐｓｃｏｓθ２＋（Ｋｄ１＋Ｋｄ２）ｓｉｎθ２・・・（ＭＣ−ｃ）］
【請求項２８】
パラメータＴｃ，Ｔｓを
Ｔｃ：押圧された前記中央スイッチ部が座屈を開始する時の、前記中央スイッチ部の頂点と前記基板との直線距離
Ｔｓ：押圧された前記第１〜第４周辺スイッチ部が座屈を開始する時の、前記第１〜第４周辺スイッチ部の頂点と前記基板との直線距離
とそれぞれ定義したときに、Ｇｒｃが、上記式（ＭＣ１）の代わりに、下記式（ＭＣ１．１）及び（ＭＣ１．２）を満たすことを特徴とする請求項２７に記載の入力装置。
Ｇｒｃ≦β×（Ｄｓ−Ｔｓ）・・・（ＭＣ１．１）
Ｇｒｃ≦β×（Ｄｃ−Ｔｃ）・・・（ＭＣ１．２）
（ここで、βは、０≦β＜１を満たす定数である。）
【請求項２９】
パラメータＴｃ，Ｌｃ，Ｇｐｓを
Ｔｃ：押圧された前記中央スイッチ部が座屈を開始する時の、前記中央スイッチ部の頂点と前記基板との直線距離
Ｌｃ：前記第１〜第４中央突起部が前記基板に当接するまで前記キートップの前記中央部を押下した時の、前記中央スイッチ部の頂点と前記基板との直線距離、すなわち、前記第１〜第４中央突起部の長さ（Ｒｃ）と前記中央突起の長さ（Ｐｃ）との差（Ｒｃ−Ｐｃ）
Ｇｐｓ：前記第１〜第４中央突起部が前記基板に当接するまで前記キートップの前記中央部を押下した時の、前記第１〜第４周辺突起の先端と前記基板との直線距離、すなわち、前記第１〜第４中央突起部の長さ（Ｒｃ）と前記第１〜第４周辺突起の長さ（Ｐｓ）との差（Ｒｃ−Ｐｓ）
とそれぞれ定義したときに、下記式（Ｃ１）及び（Ｃ２）にて表される関係が満たされていることを特徴とする請求項２７又は２８に記載の入力装置。
Ｔｃ−Ｌｃ≧αｃ×（Ｄｃ−Ｔｃ）・・・（Ｃ１）
（ここで、αｃは、０＜αｃ≦Ｔｃ／（Ｄｃ−Ｔｃ）を満たす定数である。）
Ｇｐｓ≧Ｄｓ・・・（Ｃ２）
【請求項３０】
パラメータＴｓを
Ｔｓ：押圧された前記第１〜第４周辺スイッチ部が座屈を開始する時の、前記第１〜第４周辺スイッチ部の頂点と前記基板との直線距離
と定義したときに、Ｇｐｓが、上記式（Ｃ２）の代わりに、下記式（Ｃ２．１）を満たすことを特徴とする請求項２９に記載の入力装置。
Ｇｐｓ＞Ｔｓ・・・（Ｃ２．１）
【請求項３１】
前記入力キーは、前記入力キーが内側に配置され、外部から操作可能となるように前記キートップが露出される開口が形成されているフレームを更に有し、
パラメータＫｖ２，Ｋｄ３，Ｋｄ４，Ｒｓ，Ｔｓ，Ｇｐｃ，Ｇｒｓ，Ｇｆ，Ｇｓ，Ｆｂ，Ｓｓ，Ｌｓ，θ，θ１を
Ｋｖ２：前記第１中央突起部の前記第１周辺突起部に近い側における端部から前記中央突起及び前記第１周辺突起部を通る直線に向けて垂直に延びる直線と前記中央突起及び前記第１周辺突起部を通る直線との交点と、前記第１周辺突起部との平面視における直線距離
Ｋｄ３：前記中央突起及び前記第１周辺突起を通る直線において、前記第１周辺突起と前記キートップの前記第１周辺突起に近い側における縁との平面視における直線距離
Ｋｄ４：前記中央突起及び前記第１周辺突起を通る直線において、前記中央突起と前記キートップの前記第１周辺突起と遠い側における縁との平面視における直線距離
Ｒｓ：前記第１及び第２周辺突起部の長さ
Ｔｓ：押圧された前記第１〜第４周辺スイッチ部が座屈を開始する時の、前記第１〜第４周辺スイッチ部の頂点と前記基板との直線距離
Ｆｂ：前記フレームの下面と前記基板との直線距離
Ｓｓ：前記保持シートの厚さ
Ｌｓ：前記キートップの前記第１周辺部を押下した時の、前記第１周辺突起の先端と前記基板との直線距離
Ｇｐｃ：前記第１周辺突起の先端と前記基板との直線距離がＬｓとなるまで前記キートップの前記第１周辺部を押下した時の、前記中央突起の先端と前記基板との直線距離
Ｇｒｓ：前記第１周辺突起の先端と前記基板との直線距離がＬｓとなるまで前記キートップの前記第１周辺部を押下した時の、前記第１周辺突起部の先端と前記基板との直線距離
Ｇｆ：前記第１周辺突起の先端と前記基板との直線距離がＬｓとなるまで前記キートップの前記第１周辺部を押下した時の、前記フレームの高さと、前記保持シートの上面のうち最も上方に位置する部分の高さとの差
Ｇｓ：前記第１周辺突起の先端と前記基板との直線距離がＬｓとなるまで前記キートップの前記第１周辺部を押下した時の、前記保持シートの下面のうち最も下方に位置する部分と、前記基板との直線距離
θ：平面視における、前記中央突起及び前記第１周辺突起を通る直線と、前記中央突起及び前記第２周辺突起を通る直線とがなす角を２で割った値
θ１：前記第１周辺突起の先端と前記基板との直線距離がＬｓとなるまで前記キートップの前記第１周辺部を押下した時の、前記中央突起及び前記第１周辺突起を通る直線での横断面における、前記保持シートの下面と前記基板の表面とがなす角
とそれぞれ定義したときに、下記式（Ｓ１）にて表される関係が満たされていると共に、下記式（Ｓ−ａ）にて求められるＧｐｃが下記式（Ｓ２）を満たし、下記式（Ｓ−ｂ）にて求められるＧｒｓが下記式（Ｓ３）を満たし、下記式（Ｓ−ｃ）にて求められるＧｓが下記式（Ｓ４．１）を満たし、且つ、下記式（Ｓ−ｄ）にて求められるＧｆが下記式（Ｓ４．２）を満たすことを特徴とする請求項２７〜３０のいずれか一項に記載の入力装置。
Ｔｓ−Ｌｓ≧αｓ×（Ｄｓ−Ｔｓ）・・・（Ｓ１）
（ここで、αｓは、０＜αｓ≦Ｔｓ／（Ｄｓ−Ｔｓ）を満たす定数である。）
Ｇｐｃ≧Ｄｓ・・・（Ｓ２）
Ｇｒｓ≧０・・・（Ｓ３）
Ｇｓ≧０・・・（Ｓ４．１）
Ｇｆ≧０・・・（Ｓ４．２）
Ｇｐｃ＝Ｒｃｃｏｓθ１＋Ｋｄ１ｓｉｎθ１−Ｐｃｃｏｓθ１・・・（Ｓ−ａ）
Ｇｒｓ＝Ｒｃｃｏｓθ１−Ｋｖ２ｃｏｓθｓｉｎθ１−Ｒｓｃｏｓθ１・・・（Ｓ−ｂ）
Ｇｓ＝Ｒｃｃｏｓθ１−（Ｋｄ２＋Ｋｄ３）ｓｉｎθ１・・・（Ｓ−ｃ）
Ｇｆ＝Ｆｂ−Ｒｃｃｏｓθ１−（Ｋｄ１＋Ｋｄ４）ｓｉｎθ１−Ｓｓ・・・（Ｓ−ｄ）
［ただし、上記式（Ｓ−ａ）〜（Ｓ−ｄ）中、θ１は下記式（Ｓ−ｅ）にて求められる。
Ｒｃｃｏｓθ１＝Ｋｄ２ｓｉｎθ１＋Ｐｓｃｏｓθ１＋Ｌｓ・・・（Ｓ−ｅ）］
【請求項３２】
パラメータＴｃを
Ｔｃ：押圧された前記中央スイッチ部が座屈を開始する時の、前記中央スイッチ部の頂点と前記基板との直線距離
と定義したときに、Ｇｐｃが、上記式（Ｓ２）の代わりに、下記式（Ｓ２．１）を満たすことを特徴とする請求項３１に記載の入力装置。
Ｇｐｃ＞Ｔｃ・・・（Ｓ２．１）
【請求項３３】
パラメータＫｖ１，Ｋｖ２，Ｒｓ，Ｇｐｓｓ，Ｇｐｃｓ，θ３を
Ｋｖ１：前記中央突起と、前記第１中央突起部の前記第１周辺突起部に近い側における端部から前記中央突起及び前記第１周辺突起部を通る直線に向けて垂直に延びる直線と前記中央突起及び前記第１周辺突起部を通る直線との交点との平面視における直線距離
Ｋｖ２：前記第１中央突起部の前記第１周辺突起部に近い側における端部から前記中央突起及び前記第１周辺突起部を通る直線に向けて垂直に延びる直線と前記中央突起及び前記第１周辺突起部を通る直線との交点と、前記第１周辺突起部との平面視における直線距離
Ｒｓ：前記第１及び第２周辺突起部の長さ
Ｇｐｓｓ：前記第１及び第２中央突起部の一部が前記基板に当接すると共に前記第１周辺突起部が前記基板に当接するまで前記キートップの前記第１周辺部と前記第２周辺部との中間位置を鉛直方向に押下した時の、前記第１及び第２周辺突起の先端と前記基板との直線距離
Ｇｐｃｓ：前記第１及び第２中央突起部の一部が前記基板に当接すると共に前記第１周辺突起部が前記基板に当接するまで前記キートップの前記第１周辺部と前記第２周辺部との中間位置を鉛直方向に押下した時の、前記中央突起の先端と前記基板との直線距離
θ３：前記第１及び第２中央突起部の一部が前記基板に当接すると共に前記第１周辺突起部が前記基板に当接するまで前記キートップの前記第１周辺部と前記第２周辺部との中間位置を鉛直方向に押下した時の、前記中央突起及び前記第１周辺突起部を通る直線での横断面における、前記保持シートの下面と前記基板の表面とがなす角
とそれぞれ定義したときに、下記式（ＭＳ−ａ）にて求められるＧｐｓｓが下記式（ＭＳ１）を満たし、且つ、下記式（ＭＳ−ｂ）にて求められるＧｐｃｓが下記式（ＭＳ２）を満たすことを特徴とする請求項２７〜３２のいずれか一項に記載の入力装置。
Ｇｐｓｓ≧Ｄｓ・・・（ＭＳ１）
Ｇｐｃｓ≧Ｄｃ・・・（ＭＳ２）
Ｇｐｓｓ＝Ｒｓｃｏｓθ３−Ｐｓｃｏｓθ３・・・（ＭＳ−ａ）
Ｇｐｃｓ＝Ｒｃｃｏｓθ３＋Ｋｖ１ｓｉｎθ３−Ｐｃｃｏｓθ３・・・（ＭＳ−ｂ）
［ただし、上記式（ＭＳ−ａ）及び（ＭＳ−ｂ）中、θ３は下記式（ＭＳ−ｃ）にて求められる。
Ｒｃｃｏｓθ３＝Ｋｖ２ｓｉｎθ３＋Ｒｓｃｏｓθ３・・・（ＭＳ−ｃ）］
【請求項３４】
Ｇｐｓｓが、上記式（ＭＳ１）の代わりに、下記式（ＭＳ１．１）を満たすことを特徴とする請求項３３に記載の入力装置。
Ｄｓ−Ｇｐｓｓ≦γ×（Ｄｓ−Ｔｓ）・・・（ＭＳ１．１）
（ここで、γは、０≦γ＜１を満たす定数である。）
【請求項３５】
パラメータＴｃを
Ｔｃ：押圧された前記中央スイッチ部が座屈を開始する時の、前記中央スイッチ部の頂点と前記基板との直線距離
と定義したときに、Ｇｐｃｓが、上記式（ＭＳ２）の代わりに、下記式（ＭＳ２．１）を満たすことを特徴とする請求項３３又は３４に記載の入力装置。
Ｄｃ−Ｇｐｃｓ≦δ×（Ｄｃ−Ｔｃ）・・・（ＭＳ２．１）
（ここで、δは、０≦δ＜１を満たす定数である。）
【請求項３６】
前記入力キーは、前記キートップを保持する保持シートを更に有し、
前記第１〜第４中央突起部並びに前記第１及び第２周辺突起部は、前記基板上に突設され、
前記基板には、押下されることにより情報入力を行わせる中央スイッチ部、第１周辺スイッチ部、第２周辺スイッチ部、第３周辺スイッチ部及び第４周辺スイッチ部が、前記中央部、前記第１周辺部、前記第２周辺部、前記第３周辺部及び前記第４周辺部に対応した位置にそれぞれ形成され、
前記キートップには、前記中央スイッチ部、前記第１周辺スイッチ部、前記第２周辺スイッチ部、前記第３周辺スイッチ部及び前記第４周辺スイッチ部に対して押下操作を行わせる中央突起、第１周辺突起、第２周辺突起、第３周辺突起及び第４周辺突起がそれぞれ形成されており、
パラメータＫｄ１，Ｋｄ２，Ｐｃ，Ｐｓ，Ｒｃ，Ｄｃ，Ｄｓ，Ｇｒｃ’，θ２を
Ｋｄ１：前記中央突起と前記第１中央突起部との平面視における直線距離
Ｋｄ２：前記第１中央突起部と前記第１周辺突起との平面視における直線距離
Ｐｃ：前記中央突起の長さ
Ｐｓ：前記第１〜第４周辺突起の長さ
Ｒｃ：前記第１〜第４中央突起部の長さ
Ｄｃ：前記中央スイッチ部の高さ
Ｄｓ：前記第１〜第４周辺スイッチ部の高さ
Ｇｒｃ’：前記中央突起の先端が前記中央スイッチ部に当接すると共に前記第１周辺突起の先端が前記第１周辺スイッチ部に当接するまで前記キートップの前記中央部と前記第１周辺部との中間位置を押下した時の、前記第１中央突起部の先端と前記キートップの下面及び前記保持シートの下面のうち近い方との鉛直方向における離間距離
θ２：前記中央突起の先端が前記中央スイッチ部に当接すると共に前記第１周辺突起の先端が前記第１周辺スイッチ部に当接するまで前記キートップの前記中央部と前記第１周辺部との中間位置を押下した時の、前記中央突起及び前記第１周辺突起を通る直線での横断面における、前記保持シートの下面と前記基板の表面とがなす角
とそれぞれ定義したときに、下記式（ＭＣ−ａ’）及び（ＭＣ−ｂ’）にて求められるＧｒｃ’が下記式（ＭＣ１’）を満たすことを特徴とする請求項５に記載の入力装置。
Ｇｒｃ’≦０・・・（ＭＣ１’）
Ｇｒｃ’＝Ｄｃ＋Ｐｃｃｏｓθ２−Ｋｄ１ｓｉｎθ２−Ｒｃ・・・（ＭＣ−ａ’）
Ｇｒｃ’＝Ｄｓ＋Ｐｓｃｏｓθ２＋Ｋｄ２ｓｉｎθ２−Ｒｃ・・・（ＭＣ−ｂ’）
［ただし、上記式（ＭＣ−ａ’）及び（ＭＣ−ｂ’）中、θ２は下記式（ＭＣ−ｃ）にて求められる。
Ｄｃ＋Ｐｃｃｏｓθ２＝Ｄｓ＋Ｐｓｃｏｓθ２＋（Ｋｄ１＋Ｋｄ２）ｓｉｎθ２・・・（ＭＣ−ｃ）］
【発明の詳細な説明】
【技術分野】
【０００１】
本発明は、入力される情報が複数割り当てられている１つ以上の入力キーを備える入力装置に関する。
【背景技術】
【０００２】
携帯電話等の携帯端末は、利用者が携帯するために小型である必要がある。そのため、携帯端末の入力装置が備える入力キーの数は、いわゆるフルキーボードに比べると少ない場合が多い。
【０００３】
そこで、携帯端末において文字入力を効率よく行うために、１つのキートップに複数の文字が割り当てられている入力装置が提案されている（例えば、特許文献１参照）。この特許文献１に記載されたマルチ状態マルチ機能キーは、一つのキーの中央部分および上下左右の端部が押下された場合、その部分に割り当てられた文字が入力されるように構成されている。このような特許文献１に記載のキー構成では、一部の複数の周辺接点の同時押下により誤動作が生じることがある。
【０００４】
この同時押下を防止する構成としては、特許文献２に記載されている技術が挙げられる。
【０００５】
この特許文献２に記載された入力装置では、誤動作の防止のため、キートップから基板に向けて突出すると共に中央突起と周辺突起との間に配置されたリブが、キートップに備えられている。
【特許文献１】特許第３３１４２７６号公報
【特許文献２】特開２００４−９５３２３号公報
【発明の開示】
【発明が解決しようとする課題】
【０００６】
しかしながら、特許文献２に記載された入力装置は、メニュー選択等のカーソル移動を行うためのスクロールスイッチを想定したものであり、中央突起の下方における基板上に位置する中央ドームスイッチが決定スイッチを構成し、各周辺突起の下方における基板上に位置する各周辺ドームスイッチがそれぞれ前後左右にカーソルを移動させる指示を与えるためのスクロールスイッチを構成している。そのため、特許文献２に記載された入力装置では、中央ドームスイッチと各周辺ドームスイッチとを同時押ししてしまうことによる誤動作の防止のみを目的としており、周辺ドームスイッチ同士の同時押しについては考慮されていなかった。
【０００７】
特に、携帯端末における入力装置の入力キーは指に対して小さいので、周辺ドームスイッチ同士についても同時押しが発生しやすく、１つのキートップに複数の文字が割り当てられているような入力装置で正確な文字入力が困難であるという問題があった。
【０００８】
そこで、本発明は、１つのキートップに複数の文字が割り当てられている入力装置であって、同時押しの発生を防止することにより所望の文字等の情報を正確に入力することが可能で操作性の優れた入力装置を提供することを目的とする。
【課題を解決するための手段】
【０００９】
本発明に係る入力装置は、入力される情報が複数割り当てられている入力キーを１つ以上備える入力装置であって、入力キーは、基板と所定間隔を有するように保持され、中央部並びに中央部を挟んで対向しない第１及び第２周辺部においてそれぞれ押下操作が行われるキートップと、中央部と第１周辺部との間に配設され、押下操作によるキートップの押下量を規制する第１中央突起部と、中央部と第２周辺部との間に配設され、押下操作によるキートップの押下量を規制する第２中央突起部と、第１周辺部と第２周辺部との間に配設され、押下操作によるキートップの押下量を規制する周辺突起部とを有することを特徴とする。
【００１０】
本発明に係る入力装置では、中央部と第１周辺部との間、中央部と第２周辺部との間及び第１周辺部と第２周辺部との間にそれぞれ配設された突起部によって、押下操作によるキートップの押下量が規制されている。そのため、これらの突起部によって、中央部と第１周辺部との同時押し、中央部と第２周辺部との同時押し及び第１周辺部と第２周辺部との同時押しが防止されるようになる。その結果、中央部、第１周辺部及び第２周辺部のうちいずれか一つのみが押下操作されることとなるので、所望の文字等の情報を正確に入力することが可能となる。
【００１１】
また、本発明の入力装置は、前記基板には、押下されることにより情報入力を行わせるスイッチ部が、前記中央部、前記第１周辺部、および前記第２周辺部に対応した位置にそれぞれ形成され、前記キートップには、前記スイッチ部に対して押下作用を行わせる突起がそれぞれ形成されており、前記中央部に対する突起は、前記第１周辺部および第２周辺部に対する突起より、長く形成されていることが好ましい。
【００１２】
この構成により、入力キーの中央部が押下された場合には、中央部に対応した突起がスイッチ部に対して押下作用を行わせるとともに、第１周辺部および第２周辺部に対する突起はスイッチ部に対して押下作用を行わせないようにすることができ、正確な入力処理を行うことができる。
【００１３】
また、本発明の入力装置において、前記第１または第２周辺部に対応する突起は、前記キートップの中央部が押下された場合、前記第１または第２周辺部に対応する突起が当該突起に対応するスイッチ部を押下しない高さに形成されるとともに、前記キートップの第１または第２の周辺部が押下された場合、前記中央部に対応する突起が当該突起に対応するスイッチ部を押下しない高さに形成されていることが好ましい。
【００１４】
この構成により、力キーの中央部が押下された場合には、中央部に対応した突起がスイッチ部に対して押下作用を行わせるとともに、第１周辺部および第２周辺部に対する突起はスイッチ部に対して押下作用を行わせないようにすることができ、また、第１または第２の周辺部が押下された場合には、中央部に対応した突起がスイッチ部に対して押下作用を行わせないようにすることができ、より確実に入力操作を行わせることができる。
【００１５】
また、本発明に係る入力装置は、入力される情報が複数割り当てられている入力キーを１つ以上備える入力装置であって、入力キーは、基板と所定間隔を有するように保持され、中央部、中央部を挟んで対向しない第１及び第２周辺部並びに中央部を挟んで対向しない第３及び第４周辺部においてそれぞれ押下操作が行われるキートップと、中央部と第１周辺部との間に配設され、押下操作によるキートップの押下量を規制する第１中央突起部と、中央部と第２周辺部との間に配設され、押下操作によるキートップの押下量を規制する第２中央突起部と、中央部と第３周辺部との間に配設され、押下操作による前記キートップの押下量を規制する第３中央突起部と、中央部と第４周辺部との間に配設され、押下操作による前記キートップの押下量を規制する第４中央突起部と、第１周辺部と第２周辺部との間に配設され、押下操作によるキートップの押下量を規制する第１周辺突起部と、第３周辺部と第４周辺部との間に配設され、押下操作によるキートップの押下量を規制する第２周辺突起部とを有することを特徴とする。
【００１６】
本発明に係る入力装置では、中央部と第１〜第４周辺部との間にそれぞれ配設された第１〜第４中央突起部、第１周辺部と第２周辺部との間に配設された第１周辺突起部並びに第３周辺部と第４周辺部との間に配設された第２周辺突起部によって、押下操作によるキートップの押下量が規制されている。そのため、これらの突起部によって、中央部と第１〜第４周辺部との同時押し、第１周辺部と第２周辺部との同時押し及び第３周辺部と第４周辺部との間の同時押しが防止されるようになる。その結果、中央部及び第１〜第４周辺部のうちいずれか一つのみが押下操作されることとなるので、所望の文字等の情報を正確に入力することが可能となる。
【００１７】
また、第１〜第４中央突起部は、所定の幅を有する幅部分によってキートップの押下量をそれぞれ規制し、第１中央突起部の幅部分は、中央部と第１周辺部とを結ぶ直線に対して略垂直に交差するように配置され、第２中央突起部の幅部分は、中央部と第２周辺部とを結ぶ直線に対して略垂直に交差するように配置され、第３中央突起部の幅部分は、中央部と第３周辺部とを結ぶ直線に対して略垂直に交差するように配置され、第４中央突起部の幅部分は、中央部と第４周辺部とを結ぶ直線に対して略垂直に交差するように配置されていることが好ましい。このようにすると、第１〜第４周辺部が押下操作されたときに、キートップがねじれるように傾くことがなくなるので、安定した押下操作が実現される。
【００１８】
また、キートップの裏面又は基板の表面の一方に、第１〜第４中央突起部が設けられ、キートップの裏面又は基板の表面の他方に、第１〜第４中央突起部と遊嵌する遊嵌突起部が設けられていることが好ましい。このようにすると、キートップが基板の表面に沿う方向に位置ずれし難くなる。
【００１９】
また、第１〜第４中央突起部と接触する遊嵌突起部の接触面が円弧面となっていることが好ましい。このようにすると、キートップの周辺部が押下操作された際、遊嵌突起部の接触面が第１〜第４中央突起部に沿って円弧状に摺動するので、キートップがスムーズに傾くようになり、より安定した押下操作を実現することができる。すなわち、遊嵌突起部の接触面は、キートップが回転して傾く際の回転の支点として働き、回転を誘導することによりキートップがスムーズに傾くようにできる。
【００２０】
また、第１中央突起部は、中央部から第１周辺部の方向に向かうにつれて基板との距離が小さくなるような傾斜面を有し、第２中央突起部は、中央部から第２周辺部の方向に向かうにつれて基板との距離が小さくなるような傾斜面を有し、第３中央突起部は、中央部から第３周辺部の方向に向かうにつれて基板との距離が小さくなるような傾斜面を有し、第４中央突起部は、中央部から第４周辺部の方向に向かうにつれて基板との距離が小さくなるような傾斜面を有することが好ましい。このようにすると、第１〜第４周辺部が押下操作されたとき、第１〜第４中央突起部が有する傾斜面によってキートップが支持される。そのため、押下操作されていない他の周辺部の押下操作が妨げられることとなり、同時押しが確実に防止される。
【００２１】
また、入力キーは、キートップを保持する保持シートを更に有し、保持シートは、第１〜第４周辺部のうちの一の周辺部が押下操作されたときに、第１〜第４中央突起部のうち押下操作された一の周辺部に対応する中央突起部が作用点として機能することによる第１〜第４周辺部のうちの他の周辺部の上昇が生じない位置に前記キートップを保持していることが好ましい。このようにすると、キートップの一の周辺部が押下操作されたとき、キートップの他の周辺部を上昇させるための力を必要としなくなるので、キートップの周辺部を押下操作する際に要する力を軽減することができる。
【００２２】
また、キートップは、弾性変形可能な弾性部材によって基板上に支持されていることが好ましい。このようにすると、キートップと基板との間隔を所望の間隔に保持することができる。
【００２３】
また、保持シートは、第１〜第４周辺部以外の部分において前記キートップを保持していることが好ましい。また、保持シートは、保持シートにおける第１〜第４周辺部に対応する部分が保持シートにおける第１〜第４周辺部以外の部分に対応する部分よりも伸張しやすくなるように、キートップを保持していることが好ましい。これらのようにすると、キートップの第１〜第４周辺部に対応する部分をも保持シートで保持した場合と比較して、第１〜第４周辺部が押下操作されたときに、保持シートがキートップの第１〜第４周辺部を引っ張る力が小さくなる。そのため、第１〜第４周辺部を押下操作する際に要する力をより軽減することができる。
【００２４】
また、キートップの側面には突起が形成されていることが好ましい。また、キートップに対応する位置に開口が形成され、外部から操作可能となるようキートップが開口から露出されるフレームを更に備え、キートップの側面と対向するフレームの側面には突起が形成されていることが好ましい。これらのようにすると、キートップの押下操作をする際にキートップの側面がフレームの側面と接触するような場合でも、突起とキートップの側面又はフレームの側面とが接触するようになる。そのため、キートップの側面とフレームの側面との接触面積が小さくなり、摩擦抵抗が低減される。その結果、キートップを押下操作する際に要する力を更に低減することができる。
【００２５】
また、本発明の入力装置は、基板には、押下されることにより情報入力を行わせるスイッチ部が、中央部および第１〜４周辺部に対応した位置にそれぞれ形成され、キートップには、スイッチ部に対して押下作用を行わせる突起がそれぞれ形成されており、中央部に対する突起は、第１〜４周辺部に対する突起より、長く形成されていることが好ましい。
【００２６】
この構成により、入力キーの中央部が押下された場合には、中央部に対応した突起がスイッチ部に対して押下作用を行わせるとともに、第１〜４周辺部に対する突起はスイッチ部に対して押下作用を行わせないようにすることができ、正確な入力処理を行うことができる。
【００２７】
また、本発明の入力装置は、第１〜第４周辺部に対応する突起は、キートップの中央部が押下された場合、第１〜第４周辺部に対応する突起が当該突起に対応するスイッチ部を押下しない高さに形成されるとともに、キートップの第１〜第４周辺部が押下された場合、中央部に対応する突起が当該突起に対応するスイッチ部を押下しない高さに形成されていることが好ましい。
【００２８】
この構成により、入力キーの中央部が押下された場合には、中央部に対応した突起がスイッチ部に対して押下作用を行わせるとともに、第１〜４周辺部に対する突起はスイッチ部に対して押下作用を行わせないようにすることができ、また、第１〜４の周辺部が押下された場合には、中央部に対応した突起がスイッチ部に対して押下作用を行わせないようにすることができ、より確実に入力操作を行わせることができる。
【００２９】
また、入力キーは、キートップを保持する保持シートを更に有し、第１及び第２中央突起部並びに周辺突起部は、キートップの下面に突設され、第１及び第２中央突起部は、所定の幅を有する幅部分によってキートップの押下量をそれぞれ規制し、第１中央突起部の幅部分は、中央部と第１周辺部とを結ぶ直線に対して略垂直に交差するように配置され、第２中央突起部の幅部分は、中央部と第２周辺部とを結ぶ直線に対して略垂直に交差するように配置され、基板には、押下されることにより情報入力を行わせる中央スイッチ部、第１周辺スイッチ部及び第２周辺スイッチ部が、中央部、第１周辺部及び第２周辺部に対応した位置にそれぞれ形成され、キートップには、中央スイッチ部、第１周辺スイッチ部及び第２周辺スイッチ部に対して押下操作を行わせる中央突起、第１周辺突起及び第２周辺突起がそれぞれ形成されており、パラメータＫｄ１，Ｋｄ２，Ｐｃ，Ｐｓ，Ｒｃ，Ｄｃ，Ｄｓ，Ｇｒｃ，θ２を
Ｋｄ１：中央突起と第１中央突起部との平面視における直線距離
Ｋｄ２：第１中央突起部と第１周辺突起との平面視における直線距離
Ｐｃ：中央突起の長さ
Ｐｓ：第１及び第２周辺突起の長さ
Ｒｃ：第１及び第２中央突起部の長さ
Ｄｃ：中央スイッチ部の高さ
Ｄｓ：第１及び第２周辺スイッチ部の高さ
Ｇｒｃ：中央突起の先端が中央スイッチ部に当接すると共に第１周辺突起の先端が第１周辺スイッチ部に当接するまでキートップの中央部と第１周辺部との中間位置を押下した時の、第１中央突起部の先端と基板との直線距離
θ２：中央突起の先端が中央スイッチ部に当接すると共に第１周辺突起の先端が第１周辺スイッチ部に当接するまでキートップの中央部と第１周辺部との中間位置を押下した時の、中央突起及び第１周辺突起を通る直線での横断面における、保持シートの下面と基板の表面とがなす角
とそれぞれ定義したときに、下記式（ＭＣ−ａ）及び（ＭＣ−ｂ）にて求められるＧｒｃが下記式（ＭＣ１）を満たすことが好ましい。
Ｇｒｃ≦０・・・（ＭＣ１）
Ｇｒｃ＝Ｄｃ＋Ｐｃｃｏｓθ２−Ｋｄ１ｓｉｎθ２−Ｒｃｃｏｓθ２・・・（ＭＣ−ａ）
Ｇｒｃ＝Ｄｓ＋Ｐｓｃｏｓθ２＋Ｋｄ２ｓｉｎθ２−Ｒｃｃｏｓθ２・・・（ＭＣ−ｂ）
［ただし、上記式（ＭＣ−ａ）及び（ＭＣ−ｂ）中、θ２は下記式（ＭＣ−ｃ）にて求められる。
Ｄｃ＋Ｐｃｃｏｓθ２＝Ｄｓ＋Ｐｓｃｏｓθ２＋（Ｋｄ１＋Ｋｄ２）ｓｉｎθ２・・・（ＭＣ−ｃ）］
【００３０】
上記式（ＭＣ１）は、中央突起の先端が中央スイッチ部に当接すると共に第１周辺突起の先端が第１周辺スイッチ部に当接するまでキートップの中央部と第１周辺部との中間位置又はその近傍を押下した時の第１中央突起部の先端位置が基板と同じであるか、又は、中央突起の先端が中央スイッチ部に当接すると共に第１周辺突起の先端が第１周辺スイッチ部に当接する状態となる前に第１中央突起部が基板に当接することを表している。従って、上記式（ＭＣ１）を満たせば、キートップの中央部と第１周辺部との中間位置又はその近傍の押下時に、中央スイッチ部及び第１周辺スイッチ部の同時押しを防止できることとなる。なお、スイッチ部としては、ドームスイッチや、エンボス構造を有するスイッチを用いることができる。
【００３１】
ここで、パラメータＴｃ，Ｔｓを
Ｔｃ：押圧された中央スイッチ部が座屈を開始する時の、中央スイッチ部の頂点と基板との直線距離
Ｔｓ：押圧された第１及び第２周辺スイッチ部が座屈を開始する時の、第１及び第２周辺スイッチ部の頂点と基板との直線距離
とそれぞれ定義したときに、Ｇｒｃが、上記式（ＭＣ１）の代わりに、下記式（ＭＣ１．１）及び（ＭＣ１．２）を満たすようにしてもよい。
Ｇｒｃ≦β×（Ｄｓ−Ｔｓ）・・・（ＭＣ１．１）
Ｇｒｃ≦β×（Ｄｃ−Ｔｃ）・・・（ＭＣ１．２）
（ここで、βは、０≦β＜１を満たす定数である。）
【００３２】
上記式（ＭＣ１．１）において、Ｄｓ−Ｔｓは、非押下状態における第１及び第２周辺スイッチ部の頂点の高さと、押圧された第１及び第２周辺スイッチ部が座屈を開始する時の第１及び第２周辺スイッチ部の頂点の高さとの差を表している。そのため、上記式（ＭＣ１．１）を満たせば、中央突起の先端が中央スイッチ部に当接すると共に第１周辺突起の先端が第１周辺スイッチ部に当接した状態から、キートップの中央部と第１周辺部との中間位置又はその近傍を更に押下した場合でも、第１周辺スイッチ部がＤｓ−Ｔｓの大きさ以上押し下げられることがなくなる。また、上記式（ＭＣ１．２）において、Ｄｃ−Ｔｃは、非押下状態における中央スイッチ部の頂点の高さと、押圧された中央スイッチ部が座屈を開始する時の中央スイッチ部の頂点の高さとの差を表している。そのため、上記式（ＭＣ１．２）を満たせば、中央突起の先端が中央スイッチ部に当接すると共に第１周辺突起の先端が第１周辺スイッチ部に当接した状態から、キートップの中央部と第１周辺部との中間位置又はその近傍を更に押下した場合でも、中央スイッチ部がＤｃ−Ｔｃの大きさ以上押し下げられることがなくなる。従って、上記式（ＭＣ１．１）及び（ＭＣ１．２）を共に満たすことによっても、中央スイッチ部及び第１周辺スイッチ部の同時押しを防止できることとなる。なお、上記式（ＭＣ１．１）及び（ＭＣ１．２）は上記式（ＭＣ１）よりも満足しやすい条件であるが、よりよいクリック感（操作感）を得ることを考慮すると上記式（ＭＣ１）を満たす方が望ましいので、必要に迫られた場合に上記式（ＭＣ１．１）及び（ＭＣ１．２）を用いるのがよい。
【００３３】
また、パラメータＴｃ，Ｌｃ，Ｇｐｓを
Ｔｃ：押圧された中央スイッチ部が座屈を開始する時の、中央スイッチ部の頂点と基板との直線距離
Ｌｃ：第１及び第２中央突起部が基板に当接するまでキートップの中央部を押下した時の、中央スイッチ部の頂点と基板との直線距離、すなわち、第１及び第２中央突起部の長さ（Ｒｃ）と中央突起の長さ（Ｐｃ）との差（Ｒｃ−Ｐｃ）
Ｇｐｓ：第１及び第２中央突起部が基板に当接するまでキートップの中央部を押下した時の、第１及び第２周辺突起の先端と基板との直線距離、すなわち、第１及び第２中央突起部の長さ（Ｒｃ）と第１及び第２周辺突起の長さ（Ｐｓ）との差（Ｒｃ−Ｐｓ）
とそれぞれ定義したときに、下記式（Ｃ１）及び（Ｃ２）にて表される関係が満たされていることが好ましい。
Ｔｃ−Ｌｃ≧αｃ×（Ｄｃ−Ｔｃ）・・・（Ｃ１）
（ここで、αｃは、０＜αｃ≦Ｔｃ／（Ｄｃ−Ｔｃ）を満たす定数である。）
Ｇｐｓ≧Ｄｓ・・・（Ｃ２）
【００３４】
上記式（Ｃ１）において、Ｔｃ−Ｌｃは、押圧された中央スイッチ部が座屈を開始する時の中央スイッチ部の頂点の高さと、第１及び第２中央突起部が基板に当接するまでキートップの中央部を押下した時の中央スイッチ部の頂点の高さとの差であり、座屈開始から、キートップの中央部が押下されて第１及び第２中央突起部が基板に当接するまでにおける、中央スイッチ部の頂点の高さの変化量（中央スイッチ部の頂点が座屈開始の高さから更に下がる大きさ）を表している。また、上記式（Ｃ１）において、Ｄｃ−Ｔｃは、非押下状態における中央スイッチ部の頂点の高さと、押圧された中央スイッチ部が座屈を開始する時の中央スイッチ部の頂点の高さとの差であり、非押下状態から座屈開始までにおける、中央スイッチ部の頂点の高さの変化量を表している。そして、変化量Ｄｃ−Ｔｃはαｃによって重み付けされているので、上記式（Ｃ１）の右辺αｃ×（Ｄｃ−Ｔｃ）は０＜αｃ×（Ｄｃ−Ｔｃ）≦Ｔｃとなる。そのため、上記式（Ｃ１）は、左辺Ｔｃ−Ｌｃ（中央スイッチ部の頂点が座屈開始の高さから更に下がる大きさ）が０よりも大きい値以上であること、すなわち、第１及び第２中央突起部が基板に当接するまでキートップの中央部を押下した時の中央スイッチ部の頂点位置が、押圧された中央スイッチ部が座屈を開始する時の中央スイッチ部の頂点位置よりも下方であること（中央スイッチ部の頂点が座屈開始の高さよりも更に下がっていること）を表している。従って、上記式（Ｃ１）を満たせば、キートップの中央部の押下時に、中央スイッチ部が確実に座屈することとなる。
【００３５】
また、上記式（Ｃ２）は、第１及び第２中央突起部が基板に当接するまでキートップの中央部を押下した時の第１及び第２周辺突起の先端位置が、非押下状態における第１及び第２周辺スイッチ部の頂点位置と同じか、非押下状態における第１及び第２周辺スイッチ部の頂点位置よりも上方であることを表している。従って、上記式（Ｃ２）を満たせば、キートップの中央部の押下時に、第１及び第２周辺突起が第１及び第２周辺スイッチ部を押し下げないので、第１及び第２周辺スイッチ部が座屈しないこととなる。その結果、上記式（Ｃ１）及び（Ｃ２）にて表される関係が満たされている場合には、キートップの中央部の押下時において、中央スイッチ部による情報入力が確実に行われるようになると共に、中央スイッチ部並びに第１及び第２周辺スイッチ部の同時押しが防止されることとなる。
【００３６】
ここで、パラメータＴｓを
Ｔｓ：押圧された第１及び第２周辺スイッチ部が座屈を開始する時の、第１及び第２周辺スイッチ部の頂点と基板との直線距離
と定義したときに、Ｇｐｓが、上記式（Ｃ２）の代わりに、下記式（Ｃ２．１）を満たすようにしてもよい。
Ｇｐｓ＞Ｔｓ・・・（Ｃ２．１）
【００３７】
上記式（Ｃ２．１）は、第１及び第２中央突起部が基板に当接するまでキートップの中央部を押下した時の第１及び第２周辺突起の先端位置が、第１及び第２周辺スイッチ部が座屈を開始する時における第１及び第２周辺スイッチ部の頂点位置よりも上方であることを表している。従って、上記式（Ｃ２．１）を満たすことによっても、キートップの中央部の押下時に、第１及び第２周辺スイッチ部が座屈しないこととなる。なお、上記式（Ｃ２．１）は上記式（Ｃ２）よりも満足しやすい条件であるが、よりよいクリック感（操作感）を得ることを考慮すると上記式（Ｃ２）を満たす方が望ましいので、必要に迫られた場合に上記式（Ｃ２．１）を用いるのがよい。
【００３８】
また、入力キーは、入力キーが内側に配置され、外部から操作可能となるようにキートップが露出される開口が形成されているフレームを更に有し、パラメータＫｖ２，Ｋｄ３，Ｋｄ４，Ｒｓ，Ｔｓ，Ｇｐｃ，Ｇｒｓ，Ｇｆ，Ｇｓ，Ｆｂ，Ｓｓ，Ｌｓ，θ，θ１を
Ｋｖ２：第１中央突起部の第１周辺突起部に近い側における端部から中央突起及び第１周辺突起部を通る直線に向けて垂直に延びる直線と中央突起及び第１周辺突起部を通る直線との交点と、第１周辺突起部との平面視における直線距離
Ｋｄ３：中央突起及び第１周辺突起を通る直線において、第１周辺突起とキートップの第１周辺突起に近い側における縁との平面視における直線距離
Ｋｄ４：中央突起及び第１周辺突起を通る直線において、中央突起とキートップの第１周辺突起と遠い側における縁との平面視における直線距離
Ｒｓ：第１及び第２周辺突起部の長さ
Ｔｓ：押圧された第１及び第２周辺スイッチ部が座屈を開始する時の、第１及び第２周辺スイッチ部の頂点と基板との直線距離
Ｆｂ：フレームの下面と基板との直線距離
Ｓｓ：保持シートの厚さ
Ｌｓ：キートップの第１周辺部を押下した時の、第１周辺突起の先端と基板との直線距離
Ｇｐｃ：第１周辺突起の先端と基板との直線距離がＬｓとなるまでキートップの第１周辺部を押下した時の、中央突起の先端と基板との直線距離
Ｇｒｓ：第１周辺突起の先端と基板との直線距離がＬｓとなるまでキートップの第１周辺部を押下した時の、第１周辺突起部の先端と基板との直線距離
Ｇｆ：第１周辺突起の先端と基板との直線距離がＬｓとなるまでキートップの第１周辺部を押下した時の、フレームの高さと、保持シートの上面のうち最も上方に位置する部分の高さとの差
Ｇｓ：第１周辺突起の先端と基板との直線距離がＬｓとなるまでキートップの第１周辺部を押下した時の、保持シートの下面のうち最も下方に位置する部分と、基板との直線距離
θ：平面視における、中央突起及び第１周辺突起を通る直線と、中央突起及び第２周辺突起を通る直線とがなす角を２で割った値
θ１：第１周辺突起の先端と基板との直線距離がＬｓとなるまでキートップの第１周辺部を押下した時の、中央突起及び第１周辺突起を通る直線での横断面における、保持シートの下面と基板の表面とがなす角
とそれぞれ定義したときに、下記式（Ｓ１）にて表される関係が満たされていると共に、下記式（Ｓ−ａ）にて求められるＧｐｃが下記式（Ｓ２）を満たし、下記式（Ｓ−ｂ）にて求められるＧｒｓが下記式（Ｓ３）を満たし、下記式（Ｓ−ｃ）にて求められるＧｓが下記式（Ｓ４．１）を満たし、且つ、下記式（Ｓ−ｄ）にて求められるＧｆが下記式（Ｓ４．２）を満たすことが好ましい。
Ｔｓ−Ｌｓ≧αｓ×（Ｄｓ−Ｔｓ）・・・（Ｓ１）
（ここで、αｓは、０＜αｓ≦Ｔｓ／（Ｄｓ−Ｔｓ）を満たす定数である。）
Ｇｐｃ≧Ｄｓ・・・（Ｓ２）
Ｇｒｓ≧０・・・（Ｓ３）
Ｇｓ≧０・・・（Ｓ４．１）
Ｇｆ≧０・・・（Ｓ４．２）
Ｇｐｃ＝Ｒｃｃｏｓθ１＋Ｋｄ１ｓｉｎθ１−Ｐｃｃｏｓθ１・・・（Ｓ−ａ）
Ｇｒｓ＝Ｒｃｃｏｓθ１−Ｋｖ２ｃｏｓθｓｉｎθ１−Ｒｓｃｏｓθ１・・・（Ｓ−ｂ）
Ｇｓ＝Ｒｃｃｏｓθ１−（Ｋｄ２＋Ｋｄ３）ｓｉｎθ１・・・（Ｓ−ｃ）
Ｇｆ＝Ｆｂ−Ｒｃｃｏｓθ１−（Ｋｄ１＋Ｋｄ４）ｓｉｎθ１−Ｓｓ・・・（Ｓ−ｄ）
［ただし、上記式（Ｓ−ａ）〜（Ｓ−ｄ）中、θ１は下記式（Ｓ−ｅ）にて求められる。
Ｒｃｃｏｓθ１＝Ｋｄ２ｓｉｎθ１＋Ｐｓｃｏｓθ１＋Ｌｓ・・・（Ｓ−ｅ）］
【００３９】
上記式（Ｓ１）において、Ｔｓ−Ｌｓは、押圧された第１周辺スイッチ部が座屈を開始する時の第１周辺スイッチ部の頂点の高さと、第１周辺突起の先端と基板との直線距離がＬｓとなるまでキートップの第１周辺部を押下した時の第１周辺スイッチ部の頂点の高さとの差であり、座屈開始から、キートップの第１周辺部が押下されて第１周辺突起の先端と基板との直線距離がＬｓとなるまでにおける、第１周辺スイッチ部の頂点の高さの変化量（第１周辺スイッチ部の頂点が座屈開始の高さから更に下がる大きさ）を表している。また、上記式（Ｓ１）において、Ｄｓ−Ｔｓは、非押下状態における第１周辺スイッチ部の頂点の高さと、押圧された第１周辺スイッチ部が座屈を開始する時の第１周辺スイッチ部の頂点の高さとの差であり、非押下状態から座屈開始までにおける、第１周辺スイッチ部の頂点の高さの変化量を表している。そして、変化量Ｄｓ−Ｔｓはαｓによって重み付けされているので、上記式（Ｓ１）の右辺αｓ×（Ｄｓ−Ｔｓ）は０＜αｓ×（Ｄｓ−Ｔｓ）≦Ｔｓとなる。そのため、上記式（Ｓ１）は、左辺Ｔｓ−Ｌｓ（第１周辺スイッチ部の頂点が座屈開始の高さから更に下がる大きさ）が０よりも大きい値以上であること、すなわち、第１周辺突起の先端と基板との直線距離がＬｓとなるまでキートップの第１周辺部を押下した時の第１周辺スイッチ部の頂点位置が、押圧された第１周辺スイッチ部が座屈を開始する時の第１周辺スイッチ部の頂点位置よりも下方であること（第１周辺スイッチ部の頂点が座屈開始の高さよりも更に下がっていること）を表している。従って、上記式（Ｓ１）を満たせば、キートップの第１周辺部の押下時に、第１周辺スイッチ部が確実に座屈することとなる。
【００４０】
また、上記式（Ｓ２）は、第１周辺突起の先端と基板との直線距離がＬｓとなるまでキートップの第１周辺部を押下した時の中央突起の先端位置が、非押下状態における中央スイッチ部の頂点位置と同じであるか、又は、非押下状態における中央スイッチ部の頂点位置よりも上方であることを表している。従って、上記式（Ｓ２）を満たせば、キートップの第１周辺部の押下時に、中央突起が中央スイッチ部を押し下げないこととなる。
【００４１】
また、上記式（Ｓ３）は、第１周辺突起の先端と基板との直線距離がＬｓとなるまでキートップの第１周辺部を押下した時の周辺突起部の先端位置が、基板と同じか、基板よりも上方であることを表している。従って、上記式（Ｓ３）を満たせば、キートップの第１周辺部の押下時に、周辺突起部によって妨害されることなく、第１周辺突起の先端と基板との直線距離がＬｓとなるまでキートップの第１周辺部を押下できることとなる。
【００４２】
また、上記式（Ｓ４．１）は、第１周辺突起の先端と基板との直線距離がＬｓとなるまでキートップの第１周辺部を押下した時の保持シートの下面のうち最も下方に位置する部分の高さが、基板と同じか、基板よりも上方であることを表している。従って、上記式（Ｓ４．１）を満たせば、キートップの第１周辺部の押下時に、基板に接触した保持シートによって妨害されることなく、第１周辺突起の先端と基板との直線距離がＬｓとなるまでキートップの第１周辺部を押下できることとなる。また、上記式（Ｓ４．２）は、第１周辺突起の先端と基板との直線距離がＬｓとなるまでキートップの第１周辺部を押下した時の保持シートの上面のうち最も上方に位置する部分の高さが、フレームの下面と同じか、フレームの下面よりも下方であることを表している。従って、上記式（Ｓ４．２）を満たせば、キートップの第１周辺部の押下時に、フレームに接触した保持シートによって妨害されることなく、第１周辺突起の先端と基板との直線距離がＬｓとなるまでキートップの第１周辺部を押下できることとなる。その結果、上記式（Ｓ１）、（Ｓ２）、（Ｓ３）、（Ｓ４．１）及び（Ｓ４．２）にて表される関係が満たされている場合には、第１周辺スイッチ部による情報入力が確実に行われるようになると共に、キートップの第１周辺部の押下時において中央スイッチ部及び第１周辺スイッチ部の同時押しが防止されることとなる。
【００４３】
ここで、パラメータＴｃを
Ｔｃ：押圧された中央スイッチ部が座屈を開始する時の、中央スイッチ部の頂点と基板との直線距離
と定義したときに、Ｇｐｃが、上記式（Ｓ２）の代わりに、下記式（Ｓ２．１）を満たすようにしてもよい。
Ｇｐｃ＞Ｔｃ・・・（Ｓ２．１）
【００４４】
上記式（Ｓ２．１）は、第１周辺突起の先端と基板との直線距離がＬｓとなるまでキートップの第１周辺部を押下した時の中央突起の先端位置が、中央スイッチ部が座屈を開始する時における中央スイッチ部の頂点位置よりも上方であることを表している。従って、上記式（Ｓ２．１）を満たすことによっても、第１周辺突起の先端と基板との直線距離がＬｓとなるまでキートップの第１周辺部を押下した時に、中央スイッチ部が座屈しないこととなる。なお、上記式（Ｓ２．１）は上記式（Ｓ２）よりも満足しやすい条件であるが、よりよいクリック感（操作感）を得ることを考慮すると上記式（Ｓ２）を満たす方が望ましいので、必要に迫られた場合に上記式（Ｓ２．１）を用いるのがよい。
【００４５】
また、パラメータＫｖ１，Ｋｖ２，Ｒｓ，Ｇｐｓｓ，Ｇｐｃｓ，θ３を
Ｋｖ１：中央突起と、第１中央突起部の第１周辺突起部に近い側における端部から中央突起及び第１周辺突起部を通る直線に向けて垂直に延びる直線と中央突起及び第１周辺突起部を通る直線との交点との平面視における直線距離
Ｋｖ２：第１中央突起部の第１周辺突起部に近い側における端部から中央突起及び第１周辺突起部を通る直線に向けて垂直に延びる直線と中央突起及び第１周辺突起部を通る直線との交点と、第１周辺突起部との平面視における直線距離
Ｒｓ：第１及び第２周辺突起部の長さ
Ｇｐｓｓ：第１及び第２中央突起部の一部が基板に当接すると共に第１周辺突起部が基板に当接するまでキートップの第１周辺部と第２周辺部との中間位置を鉛直方向に押下した時の、第１及び第２周辺突起の先端と基板との直線距離
Ｇｐｃｓ：第１及び第２中央突起部の一部が基板に当接すると共に第１周辺突起部が基板に当接するまでキートップの第１周辺部と第２周辺部との中間位置を鉛直方向に押下した時の、中央突起の先端と基板との直線距離
θ３：第１及び第２中央突起部の一部が基板に当接すると共に第１周辺突起部が基板に当接するまでキートップの第１周辺部と第２周辺部との中間位置を鉛直方向に押下した時の、中央突起及び第１周辺突起部を通る直線での横断面における、保持シートの下面と基板の表面とがなす角
とそれぞれ定義したときに、下記式（ＭＳ−ａ）にて求められるＧｐｓｓが下記式（ＭＳ１）を満たし、且つ、下記式（ＭＳ−ｂ）にて求められるＧｐｃｓが下記式（ＭＳ２）を満たすことが好ましい。
Ｇｐｓｓ≧Ｄｓ・・・（ＭＳ１）
Ｇｐｃｓ≧Ｄｃ・・・（ＭＳ２）
Ｇｐｓｓ＝Ｒｓｃｏｓθ３−Ｐｓｃｏｓθ３・・・（ＭＳ−ａ）
Ｇｐｃｓ＝Ｒｃｃｏｓθ３＋Ｋｖ１ｓｉｎθ３−Ｐｃｃｏｓθ３・・・（ＭＳ−ｂ）
［ただし、上記式（ＭＳ−ａ）及び（ＭＳ−ｂ）中、θ３は下記式（ＭＳ−ｃ）にて求められる。
Ｒｃｃｏｓθ３＝Ｋｖ２ｓｉｎθ３＋Ｒｓｃｏｓθ３・・・（ＭＳ−ｃ）］
【００４６】
上記式（ＭＳ１）は、第１及び第２中央突起部の一部が基板に当接すると共に周辺突起部が基板に当接するまでキートップの第１周辺部と第２周辺部との中間位置を鉛直方向に押下した時の第１及び第２周辺突起の先端位置が、非押下状態における第１及び第２周辺スイッチ部の頂点位置と同じであるか、又は、非押下状態における第１及び第２周辺スイッチ部の頂点位置よりも上方であることを表している。ところで、キートップの第１周辺部と第２周辺部との中間位置を鉛直方向に押下した時には、第１周辺突起の先端と第２周辺突起の先端とは同じ高さであり、第１及び第２周辺突起の先端が最も下方に位置した状態となっている。一方、キートップの第１周辺部と第２周辺部との中間位置の近傍を押下した時には、第１周辺突起の先端の高さよりも第２周辺突起の先端の高さが低い又は高い状態、すなわち、第１及び第２周辺突起の一方がスイッチ部に近づき、第１及び第２周辺突起の他方がスイッチ部から離れた状態となる。従って、上記式（ＭＳ１）を満たせば、キートップの第１周辺部と第２周辺部との中間位置又はその近傍の押下時に、第１及び第２周辺スイッチ部の同時押しを防止できることとなる。
【００４７】
また、上記式（ＭＳ２）は、第１及び第２中央突起部の一部が基板に当接すると共に周辺突起部が基板に当接するまでキートップの第１周辺部と第２周辺部との中間位置を鉛直方向に押下した時の中央突起の先端位置が、非押下状態における中央スイッチ部の頂点位置と同じか、又は、非押下状態における中央スイッチ部の頂点位置よりも上方であることを表している。ところで、このとき第１及び第２中央突起部の一部が基板に当接していると共に周辺突起部が基板に当接しているので、キートップの第１周辺部と第２周辺部との中間位置の近傍を押下した場合でも、中央突起の先端と基板との直線距離であるＧｐｃｓはキートップの第１周辺部と第２周辺部との中間位置を鉛直方向に押下した場合と変わらない。従って、上記式（ＭＳ２）を満たせば、キートップの第１周辺部と第２周辺部との中間位置又はその近傍の押下時に、中央突起が中央スイッチ部を押し下げないこととなる。その結果、上記式（ＭＳ１）及び（ＭＳ２）にて表される関係が満たされている場合には、キートップの第１周辺部と第２周辺部との中間位置又はその近傍の押下時において中央スイッチ部、第１周辺スイッチ部及び第２周辺スイッチ部の同時押しが防止されることとなる。
【００４８】
ここで、Ｇｐｓｓが、上記式（ＭＳ１）の代わりに、下記式（ＭＳ１．１）を満たすようにしてもよい。
Ｄｓ−Ｇｐｓｓ≦γ×（Ｄｓ−Ｔｓ）・・・（ＭＳ１．１）
（ここで、γは、０≦γ＜１を満たす定数である。）
【００４９】
上記式（ＭＳ１．１）において、Ｄｓ−Ｇｐｓｓは、非押下状態における第１及び第２周辺スイッチ部の頂点の高さと、第１及び第２中央突起部の一部が基板に当接すると共に周辺突起部が基板に当接するまでキートップの第１周辺部と第２周辺部との中間位置を鉛直方向に押下した時における、第１及び第２周辺突起の先端の高さとの差を表している。また、上記式（ＭＳ１．１）において、Ｄｓ−Ｔｓは、非押下状態における第１及び第２周辺スイッチ部の頂点の高さと、押圧された第１及び第２周辺スイッチ部が座屈を開始する時の第１及び第２周辺スイッチ部の頂点の高さとの差を表している。そのため、上記式（ＭＳ１．１）を満たせば、第１及び第２中央突起部の一部が基板に当接すると共に周辺突起部が基板に当接するまでキートップの第１周辺部と第２周辺部との中間位置を鉛直方向に押下した時に、第１及び第２周辺スイッチ部がＤｓ−Ｔｓの大きさ以上押し下げられることがなくなる。従って、上記式（ＭＳ１．１）を満たすことによっても、キートップの第１周辺部と第２周辺部との中間位置又はその近傍の押下時に、第１及び第２周辺スイッチ部の同時押しを防止できることとなる。なお、上記式（ＭＳ１．１）は上記式（ＭＳ１）よりも満足しやすい条件であるが、よりよいクリック感（操作感）を得ることを考慮すると上記式（ＭＳ１）を満たす方が望ましいので、必要に迫られた場合に上記式（ＭＳ１．１）を用いるのがよい。
【００５０】
また、ここで、パラメータＴｃを
Ｔｃ：押圧された中央スイッチ部が座屈を開始する時の、中央スイッチ部の頂点と基板との直線距離
と定義したときに、Ｇｐｃｓが、上記式（ＭＳ２）の代わりに、下記式（ＭＳ２．１）を満たすようにしてもよい。
Ｄｃ−Ｇｐｃｓ≦δ×（Ｄｃ−Ｔｃ）・・・（ＭＳ２．１）
（ここで、δは、０≦δ＜１を満たす定数である。）
【００５１】
上記式（ＭＳ２．１）において、Ｄｃ−Ｇｐｃｓは、非押下状態における中央スイッチ部の頂点の高さと、第１及び第２中央突起部の一部が基板に当接すると共に周辺突起部が基板に当接するまでキートップの第１周辺部と第２周辺部との中間位置を鉛直方向に押下した時における中央突起の先端の高さとの差を表している。また、上記式（ＭＳ２．１）において、Ｄｃ−Ｔｃは、非押下状態における中央スイッチ部の頂点の高さと、押圧された中央スイッチ部が座屈を開始する時の中央スイッチ部の頂点の高さとの差を表している。そのため、上記式（ＭＣ２．１）を満たせば、第１及び第２中央突起部の一部が基板に当接すると共に周辺突起部が基板に当接するまでキートップの第１周辺部と第２周辺部との中間位置を鉛直方向に押下した場合でも、中央スイッチ部がＤｃ−Ｔｃの大きさ以上押し下げられることがなくなる。従って、上記式（ＭＳ２．１）を満たすことによっても、キートップの第１周辺部と第２周辺部との中間位置又はその近傍の押下時に、中央突起が中央スイッチ部を押し下げないこととなる。なお、上記式（ＭＳ２．１）は上記式（ＭＳ２）よりも満足しやすい条件であるが、よりよいクリック感（操作感）を得ることを考慮すると上記式（ＭＳ２）を満たす方が望ましいので、必要に迫られた場合に上記式（ＭＳ２．１）を用いるのがよい。
【００５２】
また、入力キーは、キートップを保持する保持シートを更に有し、第１及び第２中央突起部並びに周辺突起部は、基板上に突設され、第１及び第２中央突起部は、所定の幅を有する幅部分によってキートップの押下量をそれぞれ規制し、第１中央突起部の幅部分は、中央部と第１周辺部とを結ぶ直線に対して略垂直に交差するように配置され、第２中央突起部の幅部分は、中央部と第２周辺部とを結ぶ直線に対して略垂直に交差するように配置され、基板には、押下されることにより情報入力を行わせる中央スイッチ部、第１周辺スイッチ部及び第２周辺スイッチ部が、中央部、第１周辺部及び第２周辺部に対応した位置にそれぞれ形成され、キートップには、中央スイッチ部、第１周辺スイッチ部及び第２周辺スイッチ部に対して押下操作を行わせる中央突起、第１周辺突起及び第２周辺突起がそれぞれ形成されており、パラメータＫｄ１，Ｋｄ２，Ｐｃ，Ｐｓ，Ｒｃ，Ｄｃ，Ｄｓ，Ｇｒｃ’，θ２を
Ｋｄ１：中央突起と第１中央突起部との平面視における直線距離
Ｋｄ２：第１中央突起部と第１周辺突起との平面視における直線距離
Ｐｃ：中央突起の長さ
Ｐｓ：第１及び第２周辺突起の長さ
Ｒｃ：第１及び第２中央突起部の長さ
Ｄｃ：中央スイッチ部の高さ
Ｄｓ：第１及び第２周辺スイッチ部の高さ
Ｇｒｃ’：中央突起の先端が中央スイッチ部に当接すると共に第１周辺突起の先端が第１周辺スイッチ部に当接するまでキートップの中央部と第１周辺部との中間位置を押下した時の、第１中央突起部の先端とキートップの下面及び保持シートの下面のうち近い方との鉛直方向における離間距離
θ２：中央突起の先端が中央スイッチ部に当接すると共に第１周辺突起の先端が第１周辺スイッチ部に当接するまでキートップの中央部と第１周辺部との中間位置を押下した時の、中央突起及び第１周辺突起を通る直線での横断面における、保持シートの下面と基板の表面とがなす角
とそれぞれ定義したときに、下記式（ＭＣ−ａ’）及び（ＭＣ−ｂ’）にて求められるＧｒｃ’が下記式（ＭＣ１’）を満たすことが好ましい。
Ｇｒｃ’≦０・・・（ＭＣ１’）
Ｇｒｃ’＝Ｄｃ＋Ｐｃｃｏｓθ２−Ｋｄ１ｓｉｎθ２−Ｒｃ・・・（ＭＣ−ａ’）
Ｇｒｃ’＝Ｄｓ＋Ｐｓｃｏｓθ２＋Ｋｄ２ｓｉｎθ２−Ｒｃ・・・（ＭＣ−ｂ’）
［ただし、上記式（ＭＣ−ａ’）及び（ＭＣ−ｂ’）中、θ２は下記式（ＭＣ−ｃ）にて求められる。
Ｄｃ＋Ｐｃｃｏｓθ２＝Ｄｓ＋Ｐｓｃｏｓθ２＋（Ｋｄ１＋Ｋｄ２）ｓｉｎθ２・・・（ＭＣ−ｃ）］
【００５３】
上記式（ＭＣ１’）は、中央突起の先端が中央スイッチ部に当接すると共に第１周辺突起の先端が第１周辺スイッチ部に当接するまでキートップの中央部と第１周辺部との中間位置又はその近傍を押下した時の第１中央突起部の先端位置がキートップの下面又は保持シートの下面と同じであるか、又は、中央突起の先端が中央スイッチ部に当接すると共に第１周辺突起の先端が第１周辺スイッチ部に当接する状態となる前に第１中央突起部がキートップの下面又は保持シートの下面に当接することを表している。従って、上記式（ＭＣ１’）を満たせば、キートップの中央部と第１周辺部との中間位置又はその近傍の押下時に、中央スイッチ部及び第１周辺スイッチ部の同時押しを防止できることとなる。
【００５４】
また、入力キーは、キートップを保持する保持シートを更に有し、第１〜第４中央突起部並びに第１及び第２周辺突起部は、キートップの下面に突設され、基板には、押下されることにより情報入力を行わせる中央スイッチ部、第１周辺スイッチ部、第２周辺スイッチ部、第３周辺スイッチ部及び第４周辺スイッチ部が、中央部、第１周辺部、第２周辺部、第３周辺部及び第４周辺部に対応した位置にそれぞれ形成され、キートップには、中央スイッチ部、第１周辺スイッチ部、第２周辺スイッチ部、第３周辺スイッチ部及び第４周辺スイッチ部に対して押下操作を行わせる中央突起、第１周辺突起、第２周辺突起、第３周辺突起及び第４周辺突起がそれぞれ形成されており、パラメータＫｄ１，Ｋｄ２，Ｐｃ，Ｐｓ，Ｒｃ，Ｄｃ，Ｄｓ，Ｇｒｃ，θ２を
Ｋｄ１：中央突起と第１中央突起部との平面視における直線距離
Ｋｄ２：第１中央突起部と第１周辺突起との平面視における直線距離
Ｐｃ：中央突起の長さ
Ｐｓ：第１〜第４周辺突起の長さ
Ｒｃ：第１〜第４中央突起部の長さ
Ｄｃ：中央スイッチ部の高さ
Ｄｓ：第１〜第４周辺スイッチ部の高さ
Ｇｒｃ：中央突起の先端が中央スイッチ部に当接すると共に第１周辺突起の先端が第１周辺スイッチ部に当接するまでキートップの中央部と第１周辺部との中間位置を押下した時の、第１中央突起部の先端と基板との直線距離
θ２：中央突起の先端が中央スイッチ部に当接すると共に第１周辺突起の先端が第１周辺スイッチ部に当接するまでキートップの中央部と第１周辺部との中間位置を押下した時の、中央突起及び第１周辺突起を通る直線での横断面における、保持シートの下面と基板の表面とがなす角
とそれぞれ定義したときに、下記式（ＭＣ−ａ）及び（ＭＣ−ｂ）にて求められるＧｒｃが下記式（ＭＣ１）を満たすことが好ましい。
Ｇｒｃ≦０・・・（ＭＣ１）
Ｇｒｃ＝Ｄｃ＋Ｐｃｃｏｓθ２−Ｋｄ１ｓｉｎθ２−Ｒｃｃｏｓθ２・・・（ＭＣ−ａ）
Ｇｒｃ＝Ｄｓ＋Ｐｓｃｏｓθ２＋Ｋｄ２ｓｉｎθ２−Ｒｃｃｏｓθ２・・・（ＭＣ−ｂ）
［ただし、上記式（ＭＣ−ａ）及び（ＭＣ−ｂ）中、θ２は下記式（ＭＣ−ｃ）にて求められる。
Ｄｃ＋Ｐｃｃｏｓθ２＝Ｄｓ＋Ｐｓｃｏｓθ２＋（Ｋｄ１＋Ｋｄ２）ｓｉｎθ２・・・（ＭＣ−ｃ）］
【００５５】
上記式（ＭＣ１）は、中央突起の先端が中央スイッチ部に当接すると共に第１周辺突起の先端が第１周辺スイッチ部に当接するまでキートップの中央部と第１周辺部との中間位置又はその近傍を押下した時の第１中央突起部の先端位置が基板と同じであるか、又は、中央突起の先端が中央スイッチ部に当接すると共に第１周辺突起の先端が第１周辺スイッチ部に当接する状態となる前に第１中央突起部が基板に当接することを表している。従って、上記式（ＭＣ１）を満たせば、キートップの中央部と第１周辺部との中間位置又はその近傍の押下時に、中央スイッチ部及び第１周辺スイッチ部の同時押しを防止できることとなる。
【００５６】
ここで、パラメータＴｃ，Ｔｓを
Ｔｃ：押圧された中央スイッチ部が座屈を開始する時の、中央スイッチ部の頂点と基板との直線距離
Ｔｓ：押圧された第１〜第４周辺スイッチ部が座屈を開始する時の、第１〜第４周辺スイッチ部の頂点と基板との直線距離
とそれぞれ定義したときに、Ｇｒｃが、上記式（ＭＣ１）の代わりに、下記式（ＭＣ１．１）及び（ＭＣ１．２）を満たすようにしてもよい。
Ｇｒｃ≦β×（Ｄｓ−Ｔｓ）・・・（ＭＣ１．１）
Ｇｒｃ≦β×（Ｄｃ−Ｔｃ）・・・（ＭＣ１．２）
（ここで、βは、０≦β＜１を満たす定数である。）
【００５７】
上記式（ＭＣ１．１）において、Ｄｓ−Ｔｓは、非押下状態における第１〜第４周辺スイッチ部の頂点の高さと、押圧された第１〜第４周辺スイッチ部が座屈を開始する時の第１〜第４周辺スイッチ部の頂点の高さとの差を表している。そのため、上記式（ＭＣ１．１）を満たせば、中央突起の先端が中央スイッチ部に当接すると共に第１周辺突起の先端が第１周辺スイッチ部に当接した状態から、キートップの中央部と第１周辺部との中間位置又はその近傍を更に押下した場合でも、第１周辺スイッチ部がＤｓ−Ｔｓの大きさ以上押し下げられることがなくなる。また、上記式（ＭＣ１．２）において、Ｄｃ−Ｔｃは、非押下状態における中央スイッチ部の頂点の高さと、押圧された中央スイッチ部が座屈を開始する時の中央スイッチ部の頂点の高さとの差を表している。そのため、上記式（ＭＣ１．２）を満たせば、中央突起の先端が中央スイッチ部に当接すると共に第１周辺突起の先端が第１周辺スイッチ部に当接した状態から、キートップの中央部と第１周辺部との中間位置又はその近傍を更に押下した場合でも、中央スイッチ部がＤｃ−Ｔｃの大きさ以上押し下げられることがなくなる。従って、上記式（ＭＣ１．１）及び（ＭＣ１．２）を共に満たすことによっても、中央スイッチ部及び第１周辺スイッチ部の同時押しを防止できることとなる。なお、上記式（ＭＣ１．１）及び（ＭＣ１．２）は上記式（ＭＣ１）よりも満足しやすい条件であるが、よりよいクリック感（操作感）を得ることを考慮すると上記式（ＭＣ１）を満たす方が望ましいので、必要に迫られた場合に上記式（ＭＣ１．１）及び（ＭＣ１．２）を用いるのがよい。
【００５８】
また、パラメータＴｃ，Ｌｃ，Ｇｐｓを
Ｔｃ：押圧された中央スイッチ部が座屈を開始する時の、中央スイッチ部の頂点と基板との直線距離
Ｌｃ：第１〜第４中央突起部が基板に当接するまでキートップの中央部を押下した時の、中央スイッチ部の頂点と基板との直線距離、すなわち、第１〜第４中央突起部の長さ（Ｒｃ）と中央突起の長さ（Ｐｃ）との差（Ｒｃ−Ｐｃ）
Ｇｐｓ：第１〜第４中央突起部が基板に当接するまでキートップの中央部を押下した時の、第１〜第４周辺突起の先端と基板との直線距離、すなわち、第１〜第４中央突起部の長さ（Ｒｃ）と第１〜第４周辺突起の長さ（Ｐｓ）との差（Ｒｃ−Ｐｓ）
とそれぞれ定義したときに、下記式（Ｃ１）及び（Ｃ２）にて表される関係が満たされていることが好ましい。
Ｔｃ−Ｌｃ≧αｃ×（Ｄｃ−Ｔｃ）・・・（Ｃ１）
（ここで、αｃは、０＜αｃ≦Ｔｃ／（Ｄｃ−Ｔｃ）を満たす定数である。）
Ｇｐｓ≧Ｄｓ・・・（Ｃ２）
【００５９】
上記式（Ｃ１）において、Ｔｃ−Ｌｃは、押圧された中央スイッチ部が座屈を開始する時の中央スイッチ部の頂点の高さと、第１〜第４中央突起部が基板に当接するまでキートップの中央部を押下した時の中央スイッチ部の頂点の高さとの差であり、座屈開始から、キートップの中央部が押下されて第１〜第４中央突起部が基板に当接するまでにおける、中央スイッチ部の頂点の高さの変化量（中央スイッチ部の頂点が座屈開始の高さから更に下がる大きさ）を表している。また、上記式（Ｃ１）において、Ｄｃ−Ｔｃは、非押下状態における中央スイッチ部の頂点の高さと、押圧された中央スイッチ部が座屈を開始する時の中央スイッチ部の頂点の高さとの差であり、非押下状態から座屈開始までにおける、中央スイッチ部の頂点の高さの変化量を表している。そして、変化量Ｄｃ−Ｔｃはαｃによって重み付けされているので、上記式（Ｃ１）の右辺αｃ×（Ｄｃ−Ｔｃ）は０＜αｃ×（Ｄｃ−Ｔｃ）≦Ｔｃとなる。そのため、上記式（Ｃ１）は、左辺Ｔｃ−Ｌｃ（中央スイッチ部の頂点が座屈開始の高さから更に下がる大きさ）が０よりも大きい値以上であること、すなわち、第１〜第４中央突起部が基板に当接するまでキートップの中央部を押下した時の中央スイッチ部の頂点位置が、押圧された中央スイッチ部が座屈を開始する時の中央スイッチ部の頂点位置よりも下方であること（中央スイッチ部の頂点が座屈開始の高さよりも更に下がっていること）を表している。従って、上記式（Ｃ１）を満たせば、キートップの中央部の押下時に、中央スイッチ部が確実に座屈することとなる。
【００６０】
また、上記式（Ｃ２）は、第１〜第４中央突起部が基板に当接するまでキートップの中央部を押下した時の第１〜第４周辺突起の先端位置が、非押下状態における第１〜第４周辺スイッチ部の頂点位置と同じか、非押下状態における第１〜第４周辺スイッチ部の頂点位置よりも上方であることを表している。従って、上記式（Ｃ２）を満たせば、キートップの中央部の押下時に、第１〜第４周辺突起が第１〜第４周辺スイッチ部を押し下げないので、第１〜第４周辺スイッチ部が座屈しないこととなる。その結果、上記式（Ｃ１）及び（Ｃ２）にて表される関係が満たされている場合には、キートップの中央部の押下時において、中央スイッチ部による情報入力が確実に行われるようになると共に、中央スイッチ部及び第１〜第４周辺スイッチ部の同時押しが防止されることとなる。
【００６１】
ここで、パラメータＴｓを
Ｔｓ：押圧された第１〜第４周辺スイッチ部が座屈を開始する時の、前記第１〜第４周辺スイッチ部の頂点と前記基板との直線距離
と定義したときに、Ｇｐｓが、上記式（Ｃ２）の代わりに、下記式（Ｃ２．１）を満たすようにしてもよい。
Ｇｐｓ＞Ｔｓ・・・（Ｃ２．１）
【００６２】
上記式（Ｃ２．１）は、第１〜第４中央突起部が基板に当接するまでキートップの中央部を押下した時の第１〜第４周辺突起の先端位置が、第１〜第４周辺スイッチ部が座屈を開始する時における第１〜第４周辺スイッチ部の頂点位置よりも上方であることを表している。従って、上記式（Ｃ２．１）を満たすことによっても、キートップの中央部の押下時に、第１〜第４周辺スイッチ部が座屈しないこととなる。なお、上記式（Ｃ２．１）は上記式（Ｃ２）よりも満足しやすい条件であるが、よりよいクリック感（操作感）を得ることを考慮すると上記式（Ｃ２）を満たす方が望ましいので、必要に迫られた場合に上記式（Ｃ２．１）を用いるのがよい。
【００６３】
また、入力キーは、入力キーが内側に配置され、外部から操作可能となるようにキートップが露出される開口が形成されているフレームを更に有し、パラメータＫｖ２，Ｋｄ３，Ｋｄ４，Ｒｓ，Ｔｓ，Ｇｐｃ，Ｇｒｓ，Ｇｆ，Ｇｓ，Ｆｂ，Ｓｓ，Ｌｓ，θ，θ１を
Ｋｖ２：第１中央突起部の第１周辺突起部に近い側における端部から中央突起及び第１周辺突起部を通る直線に向けて垂直に延びる直線と中央突起及び第１周辺突起部を通る直線との交点と、第１周辺突起部との平面視における直線距離
Ｋｄ３：中央突起及び第１周辺突起を通る直線において、第１周辺突起とキートップの第１周辺突起に近い側における縁との平面視における直線距離
Ｋｄ４：中央突起及び第１周辺突起を通る直線において、中央突起とキートップの第１周辺突起と遠い側における縁との平面視における直線距離
Ｒｓ：第１及び第２周辺突起部の長さ
Ｔｓ：押圧された第１〜第４周辺スイッチ部が座屈を開始する時の、第１〜第４周辺スイッチ部の頂点と基板との直線距離
Ｆｂ：フレームの下面と基板との直線距離
Ｓｓ：保持シートの厚さ
Ｌｓ：キートップの第１周辺部を押下した時の、第１周辺突起の先端と基板との直線距離
Ｇｐｃ：第１周辺突起の先端と基板との直線距離がＬｓとなるまでキートップの第１周辺部を押下した時の、中央突起の先端と基板との直線距離
Ｇｒｓ：第１周辺突起の先端と基板との直線距離がＬｓとなるまでキートップの第１周辺部を押下した時の、第１周辺突起部の先端と基板との直線距離
Ｇｆ：第１周辺突起の先端と基板との直線距離がＬｓとなるまでキートップの第１周辺部を押下した時の、フレームの高さと、保持シートの上面のうち最も上方に位置する部分の高さとの差
Ｇｓ：第１周辺突起の先端と基板との直線距離がＬｓとなるまでキートップの第１周辺部を押下した時の、保持シートの下面のうち最も下方に位置する部分と、基板との直線距離
θ：平面視における、中央突起及び第１周辺突起を通る直線と、中央突起及び第２周辺突起を通る直線とがなす角を２で割った値
θ１：第１周辺突起の先端と基板との直線距離がＬｓとなるまでキートップの第１周辺部を押下した時の、中央突起及び第１周辺突起を通る直線での横断面における、保持シートの下面と基板の表面とがなす角
とそれぞれ定義したときに、下記式（Ｓ１）にて表される関係が満たされていると共に、下記式（Ｓ−ａ）にて求められるＧｐｃが下記式（Ｓ２）を満たし、下記式（Ｓ−ｂ）にて求められるＧｒｓが下記式（Ｓ３）を満たし、下記式（Ｓ−ｃ）にて求められるＧｓが下記式（Ｓ４．１）を満たし、且つ、下記式（Ｓ−ｄ）にて求められるＧｆが下記式（Ｓ４．２）を満たすことが好ましい。
Ｔｓ−Ｌｓ≧αｓ×（Ｄｓ−Ｔｓ）・・・（Ｓ１）
（ここで、αｓは、０＜αｓ≦Ｔｓ／（Ｄｓ−Ｔｓ）を満たす定数である。）
Ｇｐｃ≧Ｄｓ・・・（Ｓ２）
Ｇｒｓ≧０・・・（Ｓ３）
Ｇｓ≧０・・・（Ｓ４．１）
Ｇｆ≧０・・・（Ｓ４．２）
Ｇｐｃ＝Ｒｃｃｏｓθ１＋Ｋｄ１ｓｉｎθ１−Ｐｃｃｏｓθ１・・・（Ｓ−ａ）
Ｇｒｓ＝Ｒｃｃｏｓθ１−Ｋｖ２ｃｏｓθｓｉｎθ１−Ｒｓｃｏｓθ１・・・（Ｓ−ｂ）
Ｇｓ＝Ｒｃｃｏｓθ１−（Ｋｄ２＋Ｋｄ３）ｓｉｎθ１・・・（Ｓ−ｃ）
Ｇｆ＝Ｆｂ−Ｒｃｃｏｓθ１−（Ｋｄ１＋Ｋｄ４）ｓｉｎθ１−Ｓｓ・・・（Ｓ−ｄ）
［ただし、上記式（Ｓ−ａ）〜（Ｓ−ｄ）中、θ１は下記式（Ｓ−ｅ）にて求められる。
Ｒｃｃｏｓθ１＝Ｋｄ２ｓｉｎθ１＋Ｐｓｃｏｓθ１＋Ｌｓ・・・（Ｓ−ｅ）］
【００６４】
上記式（Ｓ１）において、Ｔｓ−Ｌｓは、押圧された第１周辺スイッチ部が座屈を開始する時の第１周辺スイッチ部の頂点の高さと、第１周辺突起の先端と基板との直線距離がＬｓとなるまでキートップの第１周辺部を押下した時の第１周辺スイッチ部の頂点の高さとの差であり、座屈開始から、キートップの第１周辺部が押下されて第１周辺突起の先端と基板との直線距離がＬｓとなるまでにおける、第１周辺スイッチ部の頂点の高さの変化量（第１周辺スイッチ部の頂点が座屈開始の高さから更に下がる大きさ）を表している。また、上記式（Ｓ１）において、Ｄｓ−Ｔｓは、非押下状態における第１周辺スイッチ部の頂点の高さと、押圧された第１周辺スイッチ部が座屈を開始する時の第１周辺スイッチ部の頂点の高さとの差であり、非押下状態から座屈開始までにおける、第１周辺スイッチ部の頂点の高さの変化量を表している。そして、変化量Ｄｓ−Ｔｓはαｓによって重み付けされているので、上記式（Ｓ１）の右辺αｓ×（Ｄｓ−Ｔｓ）は０＜αｓ×（Ｄｓ−Ｔｓ）≦Ｔｓとなる。そのため、上記式（Ｓ１）は、左辺Ｔｓ−Ｌｓ（第１周辺スイッチ部の頂点が座屈開始の高さから更に下がる大きさ）が０よりも大きい値以上であること、すなわち、第１周辺突起の先端と基板との直線距離がＬｓとなるまでキートップの第１周辺部を押下した時の第１周辺スイッチ部の頂点位置が、押圧された第１周辺スイッチ部が座屈を開始する時の第１周辺スイッチ部の頂点位置よりも下方であること（第１周辺スイッチ部の頂点が座屈開始の高さよりも更に下がっていること）を表している。従って、上記式（Ｓ１）を満たせば、キートップの第１周辺部の押下時に、第１周辺スイッチ部が確実に座屈することとなる。
【００６５】
また、上記式（Ｓ２）は、第１周辺突起の先端と基板との直線距離がＬｓとなるまでキートップの第１周辺部を押下した時の中央突起の先端位置が、非押下状態における中央スイッチ部の頂点位置と同じであるか、又は、非押下状態における中央スイッチ部の頂点位置よりも上方であることを表している。従って、上記式（Ｓ２）を満たせば、キートップの第１周辺部の押下時に、中央突起が中央スイッチ部を押し下げないこととなる。
【００６６】
また、上記式（Ｓ３）は、第１周辺突起の先端と基板との直線距離がＬｓとなるまでキートップの第１周辺部を押下した時の第１周辺突起部の先端位置が、基板と同じか、基板よりも上方であることを表している。従って、上記式（Ｓ３）を満たせば、キートップの第１周辺部の押下時に、第１周辺突起部によって妨害されることなく、第１周辺突起の先端と基板との直線距離がＬｓとなるまでキートップの第１周辺部を押下できることとなる。
【００６７】
また、上記式（Ｓ４．１）は、第１周辺突起の先端と基板との直線距離がＬｓとなるまでキートップの第１周辺部を押下した時の保持シートの下面のうち最も下方に位置する部分の高さが、基板と同じか、基板よりも上方であることを表している。従って、上記式（Ｓ４．１）を満たせば、キートップの第１周辺部の押下時に、基板に接触した保持シートによって妨害されることなく、第１周辺突起の先端と基板との直線距離がＬｓとなるまでキートップの第１周辺部を押下できることとなる。また、上記式（Ｓ４．２）は、第１周辺突起の先端と基板との直線距離がＬｓとなるまでキートップの第１周辺部を押下した時の保持シートの上面のうち最も上方に位置する部分の高さが、フレームの下面と同じか、フレームの下面よりも下方であることを表している。従って、上記式（Ｓ４．２）を満たせば、キートップの第１周辺部の押下時に、フレームに接触した保持シートによって妨害されることなく、第１周辺突起の先端と基板との直線距離がＬｓとなるまでキートップの第１周辺部を押下できることとなる。その結果、上記式（Ｓ１）、（Ｓ２）、（Ｓ３）、（Ｓ４．１）及び（Ｓ４．２）にて表される関係が満たされている場合には、第１周辺スイッチ部による情報入力が確実に行われるようになると共に、キートップの第１周辺部の押下時において中央スイッチ部及び第１周辺スイッチ部の同時押しが防止されることとなる。
【００６８】
ここで、パラメータＴｃを
Ｔｃ：押圧された中央スイッチ部が座屈を開始する時の、中央スイッチ部の頂点と基板との直線距離
と定義したときに、Ｇｐｃが、上記式（Ｓ２）の代わりに、下記式（Ｓ２．１）を満たすようにしてもよい。
Ｇｐｃ＞Ｔｃ・・・（Ｓ２．１）
【００６９】
上記式（Ｓ２．１）は、第１周辺突起の先端と基板との直線距離がＬｓとなるまでキートップの第１周辺部を押下した時の中央突起の先端位置が、中央スイッチ部が座屈を開始する時における中央スイッチ部の頂点位置よりも上方であることを表している。従って、上記式（Ｓ２．１）を満たすことによっても、第１周辺突起の先端と基板との直線距離がＬｓとなるまでキートップの第１周辺部を押下した時に、中央スイッチ部が座屈しないこととなる。なお、上記式（Ｓ２．１）は上記式（Ｓ２）よりも満足しやすい条件であるが、よりよいクリック感（操作感）を得ることを考慮すると上記式（Ｓ２）を満たす方が望ましいので、必要に迫られた場合に上記式（Ｓ２．１）を用いるのがよい。
【００７０】
パラメータＫｖ１，Ｋｖ２，Ｒｓ，Ｇｐｓｓ，Ｇｐｃｓ，θ３を
Ｋｖ１：中央突起と、第１中央突起部の第１周辺突起部に近い側における端部から中央突起及び第１周辺突起部を通る直線に向けて垂直に延びる直線と中央突起及び第１周辺突起部を通る直線との交点との平面視における直線距離
Ｋｖ２：第１中央突起部の第１周辺突起部に近い側における端部から中央突起及び第１周辺突起部を通る直線に向けて垂直に延びる直線と中央突起及び第１周辺突起部を通る直線との交点と、第１周辺突起部との平面視における直線距離
Ｒｓ：第１及び第２周辺突起部の長さ
Ｇｐｓｓ：第１及び第２中央突起部の一部が基板に当接すると共に第１周辺突起部が基板に当接するまでキートップの第１周辺部と第２周辺部との中間位置を鉛直方向に押下した時の、第１及び第２周辺突起の先端と基板との直線距離
Ｇｐｃｓ：第１及び第２中央突起部の一部が基板に当接すると共に第１周辺突起部が基板に当接するまでキートップの第１周辺部と第２周辺部との中間位置を鉛直方向に押下した時の、中央突起の先端と基板との直線距離
θ３：第１及び第２中央突起部の一部が基板に当接すると共に第１周辺突起部が基板に当接するまでキートップの第１周辺部と第２周辺部との中間位置を鉛直方向に押下した時の、中央突起及び第１周辺突起部を通る直線での横断面における、保持シートの下面と基板の表面とがなす角
とそれぞれ定義したときに、下記式（ＭＳ−ａ）にて求められるＧｐｓｓが下記式（ＭＳ１）を満たし、且つ、下記式（ＭＳ−ｂ）にて求められるＧｐｃｓが下記式（ＭＳ２）を満たすことが好ましい。
Ｇｐｓｓ≧Ｄｓ・・・（ＭＳ１）
Ｇｐｃｓ≧Ｄｃ・・・（ＭＳ２）
Ｇｐｓｓ＝Ｒｓｃｏｓθ３−Ｐｓｃｏｓθ３・・・（ＭＳ−ａ）
Ｇｐｃｓ＝Ｒｃｃｏｓθ３＋Ｋｖ１ｓｉｎθ３−Ｐｃｃｏｓθ３・・・（ＭＳ−ｂ）
［ただし、上記式（ＭＳ−ａ）及び（ＭＳ−ｂ）中、θ３は下記式（ＭＳ−ｃ）にて求められる。
Ｒｃｃｏｓθ３＝Ｋｖ２ｓｉｎθ３＋Ｒｓｃｏｓθ３・・・（ＭＳ−ｃ）］
【００７１】
上記式（ＭＳ１）は、第１及び第２中央突起部の一部が基板に当接すると共に第１周辺突起部が基板に当接するまでキートップの第１周辺部と第２周辺部との中間位置を鉛直方向に押下した時の第１及び第２周辺突起の先端位置が、非押下状態における第１及び第２周辺スイッチ部の頂点位置と同じであるか、又は、非押下状態における第１及び第２周辺スイッチ部の頂点位置よりも上方であることを表している。ところで、キートップの第１周辺部と第２周辺部との中間位置を鉛直方向に押下した時には、第１周辺突起の先端と第２周辺突起の先端とは同じ高さであり、第１及び第３周辺突起の先端が最も下方に位置した状態となっている。一方、キートップの第１周辺部と第２周辺部との中間位置の近傍を押下した時には、第１周辺突起の先端の高さよりも第２周辺突起の先端の高さが低い又は高い状態、すなわち、第１及び第２周辺突起の一方がスイッチ部に近づき、第１及び第２周辺突起の他方がスイッチ部から離れた状態となる。従って、上記式（ＭＳ１）を満たせば、キートップの第１周辺部と第２周辺部との中間位置又はその近傍の押下時に、第１及び第２周辺スイッチ部の同時押しを防止できることとなる。
【００７２】
また、上記式（ＭＳ２）は、第１及び第２中央突起部の一部が基板に当接すると共に第１周辺突起部が基板に当接するまでキートップの第１周辺部と第２周辺部との中間位置を鉛直方向に押下した時の中央突起の先端位置が、非押下状態における中央スイッチ部の頂点位置と同じか、又は、非押下状態における中央スイッチ部の頂点位置よりも上方であることを表している。ところで、このとき第１及び第２中央突起部の一部が基板に当接していると共に第１周辺突起部が基板に当接しているので、キートップの第１周辺部と第２周辺部との中間位置の近傍を押下した場合でも、中央突起の先端と基板との直線距離であるＧｐｃｓはキートップの第１周辺部と第２周辺部との中間位置を鉛直方向に押下した場合と変わらない。従って、上記式（ＭＳ２）を満たせば、キートップの第１周辺部と第２周辺部との中間位置又はその近傍の押下時に、中央突起が中央スイッチ部を押し下げないこととなる。その結果、上記式（ＭＳ１）及び（ＭＳ２）にて表される関係が満たされている場合には、キートップの第１周辺部と第２周辺部との中間位置又はその近傍の押下時において中央スイッチ部、第１周辺スイッチ部及び第２周辺スイッチ部の同時押しが防止されることとなる。
【００７３】
ここで、Ｇｐｓｓが、上記式（ＭＳ１）の代わりに、下記式（ＭＳ１．１）を満たすようにしてもよい。
Ｄｓ−Ｇｐｓｓ≦γ×（Ｄｓ−Ｔｓ）・・・（ＭＳ１．１）
（ここで、γは、０≦γ＜１を満たす定数である。）
【００７４】
上記式（ＭＳ１．１）において、Ｄｓ−Ｇｐｓｓは、非押下状態における第１及び第２周辺スイッチ部の頂点の高さと、第１及び第２中央突起部の一部が基板に当接すると共に第１周辺突起部が基板に当接するまでキートップの第１周辺部と第２周辺部との中間位置を鉛直方向に押下した時における、第１及び第２周辺突起の先端の高さとの差を表している。また、上記式（ＭＳ１．１）において、Ｄｓ−Ｔｓは、非押下状態における第１及び第２周辺スイッチ部の頂点の高さと、押圧された第１及び第２周辺スイッチ部が座屈を開始する時の第１及び第２周辺スイッチ部の頂点の高さとの差を表している。そのため、上記式（ＭＳ１．１）を満たせば、第１及び第２中央突起部の一部が基板に当接すると共に第１周辺突起部が基板に当接するまでキートップの第１周辺部と第２周辺部との中間位置を鉛直方向に押下した時に、第１及び第２周辺スイッチ部がＤｓ−Ｔｓの大きさ以上押し下げられることがなくなる。従って、上記式（ＭＳ１．１）を満たすことによっても、キートップの第１周辺部と第２周辺部との中間位置又はその近傍の押下時に、第１及び第２周辺スイッチ部の同時押しを防止できることとなる。なお、上記式（ＭＳ１．１）は上記式（ＭＳ１）よりも満足しやすい条件であるが、よりよいクリック感（操作感）を得ることを考慮すると上記式（ＭＳ１）を満たす方が望ましいので、必要に迫られた場合に上記式（ＭＳ１．１）を用いるのがよい。
【００７５】
また、ここで、パラメータＴｃを
Ｔｃ：押圧された中央スイッチ部が座屈を開始する時の、中央スイッチ部の頂点と基板との直線距離
と定義したときに、Ｇｐｃｓが、上記式（ＭＳ２）の代わりに、下記式（ＭＳ２．１）を満たすようにしてもよい。
Ｄｃ−Ｇｐｃｓ≦δ×（Ｄｃ−Ｔｃ）・・・（ＭＳ２．１）
（ここで、δは、０≦δ＜１を満たす定数である。）
【００７６】
上記式（ＭＳ２．１）において、Ｄｃ−Ｇｐｃｓは、非押下状態における中央スイッチ部の頂点の高さと、第１及び第２中央突起部の一部が基板に当接すると共に第１周辺突起部が基板に当接するまでキートップの第１周辺部と第２周辺部との中間位置を押下した時における中央突起の先端の高さとの差を表している。また、上記式（ＭＳ２．１）において、Ｄｃ−Ｔｃは、非押下状態における中央スイッチ部の頂点の高さと、押圧された中央スイッチ部が座屈を開始する時の中央スイッチ部の頂点の高さとの差を表している。そのため、上記式（ＭＣ２．１）を満たせば、第１及び第２中央突起部の一部が基板に当接すると共に第１周辺突起部が基板に当接するまでキートップの第１周辺部と第２周辺部との中間位置を鉛直方向に押下した場合でも、中央スイッチ部がＤｃ−Ｔｃの大きさ以上押し下げられることがなくなる。従って、上記式（ＭＳ２．１）を満たすことによっても、キートップの第１周辺部と第２周辺部との中間位置又はその近傍の押下時に、中央突起が中央スイッチ部を押し下げないこととなる。なお、上記式（ＭＳ２．１）は上記式（ＭＳ２）よりも満足しやすい条件であるが、よりよいクリック感（操作感）を得ることを考慮すると上記式（ＭＳ２）を満たす方が望ましいので、必要に迫られた場合に上記式（ＭＳ２．１）を用いるのがよい。
【００７７】
また、入力キーは、キートップを保持する保持シートを更に有し、第１〜第４中央突起部並びに第１及び第２周辺突起部は、基板上に突設され、基板には、押下されることにより情報入力を行わせる中央スイッチ部、第１周辺スイッチ部、第２周辺スイッチ部、第３周辺スイッチ部及び第４周辺スイッチ部が、中央部、第１周辺部、第２周辺部、第３周辺部及び第４周辺部に対応した位置にそれぞれ形成され、キートップには、中央スイッチ部、第１周辺スイッチ部、第２周辺スイッチ部、第３周辺スイッチ部及び第４周辺スイッチ部に対して押下操作を行わせる中央突起、第１周辺突起、第２周辺突起、第３周辺突起及び第４周辺突起がそれぞれ形成されており、パラメータＫｄ１，Ｋｄ２，Ｐｃ，Ｐｓ，Ｒｃ，Ｄｃ，Ｄｓ，Ｇｒｃ’，θ２を
Ｋｄ１：中央突起と第１中央突起部との平面視における直線距離
Ｋｄ２：第１中央突起部と第１周辺突起との平面視における直線距離
Ｐｃ：中央突起の長さ
Ｐｓ：第１〜第４周辺突起の長さ
Ｒｃ：第１〜第４中央突起部の長さ
Ｄｃ：中央スイッチ部の高さ
Ｄｓ：第１〜第４周辺スイッチ部の高さ
Ｇｒｃ’：中央突起の先端が中央スイッチ部に当接すると共に第１周辺突起の先端が第１周辺スイッチ部に当接するまでキートップの中央部と第１周辺部との中間位置を押下した時の、第１中央突起部の先端とキートップの下面及び保持シートの下面のうち近い方との鉛直方向における離間距離
θ２：中央突起の先端が中央スイッチ部に当接すると共に第１周辺突起の先端が第１周辺スイッチ部に当接するまでキートップの中央部と第１周辺部との中間位置を押下した時の、中央突起及び第１周辺突起を通る直線での横断面における、保持シートの下面と基板の表面とがなす角
とそれぞれ定義したときに、下記式（ＭＣ−ａ’）及び（ＭＣ−ｂ’）にて求められるＧｒｃ’が下記式（ＭＣ１’）を満たすことが好ましい。
Ｇｒｃ’≦０・・・（ＭＣ１’）
Ｇｒｃ’＝Ｄｃ＋Ｐｃｃｏｓθ２−Ｋｄ１ｓｉｎθ２−Ｒｃ・・・（ＭＣ−ａ’）
Ｇｒｃ’＝Ｄｓ＋Ｐｓｃｏｓθ２＋Ｋｄ２ｓｉｎθ２−Ｒｃ・・・（ＭＣ−ｂ’）
［ただし、上記式（ＭＣ−ａ’）及び（ＭＣ−ｂ’）中、θ２は下記式（ＭＣ−ｃ）にて求められる。
Ｄｃ＋Ｐｃｃｏｓθ２＝Ｄｓ＋Ｐｓｃｏｓθ２＋（Ｋｄ１＋Ｋｄ２）ｓｉｎθ２・・・（ＭＣ−ｃ）］
【００７８】
上記式（ＭＣ１’）は、中央突起の先端が中央スイッチ部に当接すると共に第１周辺突起の先端が第１周辺スイッチ部に当接するまでキートップの中央部と第１周辺部との中間位置又はその近傍を押下した時の第１中央突起部の先端位置がキートップの下面又は保持シートの下面と同じであるか、又は、中央突起の先端が中央スイッチ部に当接すると共に第１周辺突起の先端が第１周辺スイッチ部に当接する状態となる前に第１中央突起部がキートップの下面又は保持シートの下面に当接することを表している。従って、上記式（ＭＣ１’）を満たせば、キートップの中央部と第１周辺部との中間位置又はその近傍の押下時に、中央スイッチ部及び第１周辺スイッチ部の同時押しを防止できることとなる。
【発明の効果】
【００７９】
本発明によれば、同時押しの発生を防止することにより所望の文字等の情報を正確に入力することが可能な入力装置を提供することができる。
【発明を実施するための最良の形態】
【００８０】
本発明の好適な実施形態について、図面を参照して説明する。なお、説明において、同一要素又は同一機能を有する要素には同一符号を用いることとし、重複する説明は省略する。また、説明中、「鉛直方向」及び「高さ」との語を使用することがあるが、「鉛直方向」とは後述する基板３６に対しての鉛直方向を意味するものであり、「高さ」とは後述する基板３６からの鉛直方向における高さを意味するものである。
【００８１】
（第１実施形態）
図１〜図７を参照して、第１実施形態に係る入力装置１０の構成について説明する。図１は、第１〜第６実施形態に係る入力装置を適用した携帯電話の斜視図である。図２は、（ａ）が第１実施形態に係る入力装置の一部を拡大して示す上面図であり、（ｂ）が第１実施形態に係る入力装置の一部を拡大して示す斜視図である。図３は、第１実施形態に係る入力装置における入力キーの平面図である。図４は、第１〜第６実施形態に係る入力装置におけるキートップの天面側を示す斜視図である。図５は、第１実施形態に係る入力装置におけるキートップの裏面側を示す斜視図である。図６は、第１実施形態に係る入力装置における入力キーの図４のＡ−Ａ線断面図である。図７は、第１実施形態に係る入力装置における基板の表面を示す斜視図である。
【００８２】
携帯電話機１は、図１に示されるように、文字、数字又は記号等の情報を入力するための入力装置１０と、入力装置１０の操作に応じて入力された文字等を表示するための液晶ディスプレイ２とを備える。携帯電話機１では、入力装置１０が液晶ディスプレイ２の下部に配置されており、携帯電話機１の操作者は、入力装置１０を片手で掴んだ状態で入力装置１０を操作しつつ、その操作に応じて液晶ディスプレイ２に表示された文字等を確認することができる。
【００８３】
入力装置１０は、フレーム２０と、フレーム２０の内側に配置される複数の入力キー３０とを備えている。フレーム２０は、入力装置１０の筐体を構成しており、各入力キー３０に対応した位置にそれぞれ開口部２２を有している。各開口部２２からは、外部から操作可能となるように各入力キー３０がそれぞれ露出している。開口部２２の各隅における側面には、図２に示されるように、開口部２２がフレーム２０を貫通している方向に伸びる複数の突条２４が設けられている。
【００８４】
入力キー３０は、図３に示されるように４行、３列に並んで配列されている。入力キー３０では、複数の箇所（第１実施形態では５箇所）において押下操作が可能となっており、押下が可能な各箇所に入力される情報がそれぞれ割り当てられている（このような形態の入力キーを、５ポジションキーともいう）。このような入力キー３０は、主として、キートップ３２、保持シート３４及び基板３６により構成されている。
【００８５】
キートップ３２は、操作者による押下操作で力が加えられる部分であり、例えば、硬質プラスチックや金属等、ある程度硬度のある材料で形成される。キートップ３２は、平面視において略矩形状を呈しており、キートップ３２の天面における中央部３２Ａ及び隅部３２Ｂ〜３２Ｅには、割り当てられている情報がそれぞれ表示されている。具体的には、入力キー３０毎に、「あ」、「か」、「さ」、・・・が中央部３２Ａに表示され、「い」、「き」、「し」、・・・が左上隅部３２Ｂに表示され、「う」、「く」、「す」、・・・が右上隅部３２Ｃに表示され、「え」、「け」、「せ」、・・・が右下隅部３２Ｄに表示され、「お」、「こ」、「そ」、・・・が左下隅部３２Ｅに表示されている（図２〜図４参照）。なお、キートップ３２において、本実施形態では、左上隅部３２Ｂと右下隅部３２Ｄとが、および右上隅部３２Ｃと左下隅部３３Ｅとが、それぞれ中央部３２Ａを挟んで対向する位置に配置されているが、少なくとも左上隅部３２Ｂと左下隅部３２Ｅとは中央部３２Ａを挟んで対向しないように位置し、右上隅部３２Ｃと右下隅部３２Ｄとは中央部３２Ａを挟んで対向しないように位置し、左上隅部３２Ｂと右上隅部３２Ｃとは中央部３２Ａを挟んで対向しないように位置し、左下隅部３２Ｅと右下隅部３２Ｄとは中央部３２Ａを挟んで対向しないように位置している構成となっている。
【００８６】
本実施形態では、キートップ３２の４つの隅部に情報が割り当てられ表示されているが、キートップ３２の上辺部、下辺部、左辺部、右辺部に情報を割り当てて表示し、この位置に合わせて隅部による実現方法と同様の方法により、同様の機能を実現してもよい。すなわち、中心部、上辺部、下辺部、左辺部、右辺部を押下することで、その位置に対応する文字を入力することができるようにしてもよいことは、言うまでもない。
【００８７】
キートップ３２の天面には、図４に示されるように、キートップ３２の天面よりも窪んだ凹部３８Ａが中央部３２Ａに形成されており、キートップ３２の天面から突出した突部３８Ｂ〜３８Ｅが隅部３２Ｂ〜３２Ｅに形成されている。そのため、操作者は、指でキートップ３２の天面を触れたときの凹凸の感触によって、各押下位置を容易に判別できるようになっている。
【００８８】
キートップ３２の裏面には、図５に示されるように、キートップ３２の裏面から突出した突条４０ａ〜４０ｆが形成されており、保持シート３４を貫通している。突条４０ａ〜４０ｆは、キートップ３２の裏面の中央部分において、六角形が形成されるように配置されており、後述する突起部材５０ａ〜５０ｄと遊嵌する。突条４０ａ〜４０ｆの外側面４２ａ〜４２ｆは、キートップ３２の裏面の中央部分から外方に向けて膨らむ円弧面となっている。
【００８９】
保持シート３４は、合成ゴム、軟質プラスチック、軟質ビニール等の弾性体がシート状に形成されたものである。保持シート３４には、図３に示されるように、入力キー３０のキートップ３２及び入力キー３０以外のキー（スクロールキー、通話キー、電源キー等）のキートップが、例えば接着剤等によってそれぞれ所定位置に貼り付けられている。これらの各種キーのキートップが貼り付けられた保持シート３４は、図６に示されるように、基板３６と所定間隔を有するように各種キーのキートップを保持する。
【００９０】
保持シート３４には、基板３６側に向けて突出する中央突起４４Ａ及び周辺突起４４Ｂ〜４４Ｅが、保持シート３４と一体的に形成されている。これらの中央突起４４Ａ及び周辺突起４４Ｂ〜４４Ｅは、キートップ３２の天面における中央部３２Ａ及び隅部３２Ｂ〜３２Ｅと対応するように位置している。すなわち、周辺突起４４Ｂと周辺突起４４Ｅとは中央突起４４Ａを挟んで対向しないように位置し、周辺突起４４Ｃと周辺突起４４Ｄとは中央突起４４Ａを挟んで対向しないように位置し、周辺突起４４Ｂと周辺突起４４Ｃとは中央突起４４Ａを挟んで対向しないように位置し、周辺突起４４Ｅと周辺突起４４Ｄとは中央突起４４Ａを挟んで対向しないように位置している。
【００９１】
ここで、中央突起４４Ａの突出量が、周辺突起４４Ｂ〜４４Ｅの突出量よりも大きくなるように、その中央突起４４Ａは形成されている。この周辺突起４４Ｂ〜４４Ｅは、キートップの中央部３２Ａが押下された場合、当該周辺突起４４Ｂ〜４４Ｅに対応するドームスイッチ４８Ｂ〜４８Ｅを押下しない高さに形成される。また、中央突起４４Ａは、キートップ３２の隅部３２Ｂ〜３２Ｄのいずれかが押下された場合、中央部３２Ａに対応する中央突起４４Ａが当該突起４４Ａに対応するドームスイッチ４８Ａを押下しない高さに形成されている。
【００９２】
基板３６は、入力装置１０の基礎として、キートップ３２を支持する。基板３６上には、図７に示されるように、半球状の中央ドームスイッチ４８Ａ及び周辺ドームスイッチ４８Ｂ〜４８Ｅが設けられている。これらの中央ドームスイッチ４８Ａ及び周辺ドームスイッチ４８Ｂ〜４８Ｅは、キートップ３２の天面における中央部３２Ａ及び隅部３２Ｂ〜３２Ｅと対応すると共に、保持シート３４における中央突起４４Ａ及び周辺突起４４Ｂ〜４４Ｅと対応するように位置している。すなわち、周辺ドームスイッチ４８Ｂと周辺ドームスイッチ４８Ｅとは中央ドームスイッチ４８Ａを挟んで対向しないように位置し、周辺ドームスイッチ４８Ｃと周辺ドームスイッチ４８Ｄとは中央ドームスイッチ４８Ａを挟んで対向しないように位置し、周辺ドームスイッチ４８Ｂと周辺ドームスイッチ４８Ｃとは中央ドームスイッチ４８Ａを挟んで対向しないように位置し、周辺ドームスイッチ４８Ｅと周辺ドームスイッチ４８Ｄとは中央ドームスイッチ４８Ａを挟んで対向しないように位置している。なお、中央ドームスイッチ４８Ａは、クリック感を変えるために周辺ドームスイッチ４８Ｂ〜４８Ｅよりも大きくなっているが、同じ大きさでもよい。
【００９３】
中央ドームスイッチ４８Ａ及び周辺ドームスイッチ４８Ｂ〜４８Ｅは、弾性復元力を有する金属板によって形成されており、キートップ３２の押下操作が行われた際にクリック感が得られるようになっている。中央ドームスイッチ４８Ａ及び周辺ドームスイッチ４８Ｂ〜４８Ｅの内部には、図示しない金属接点が配設されている。そのため、中央部３２Ａ及び隅部３２Ｂ〜３２Ｅのいずれかが押下操作されたときには、押下位置に対応するドームスイッチが中央突起４４Ａ又は周辺突起４４Ｂ〜４４Ｅによって押し潰されてドームスイッチと金属接点とが接触し、図示しない回路が短絡して、押下位置に応じた情報が入力されることとなる。この情報に基づいて、キーに割り当てられた複数の文字の中から、対応する文字を一意に選択することで、一度の押下操作で所望の文字を入力できることになる。
【００９４】
また、基板３６上には、突起部材５０ａ〜５０ｆが突設されている。突起部材５０ａ〜５０ｄは、先端部５１ａ〜５１ｄによって周辺ドームスイッチ４８Ｂ〜４８Ｅの半分を取り囲むようにそれぞれ配置されている。すなわち、突起部材５０ａ〜５０ｄは、中央ドームスイッチ４８Ａと各周辺ドームスイッチ４８Ｂ〜４８Ｅとの間にそれぞれ位置しており、突起部材５０ｅは、周辺ドームスイッチ４８Ｂと周辺ドームスイッチ４８Ｅとの間に位置しており、突起部材５０ｆは、周辺ドームスイッチ４８Ｃと周辺ドームスイッチ４８Ｄとの間に位置している。また、突起部材５０ａ〜５０ｄは、突起部材５０ｅ，５０ｆと共に六角形状の囲いをなし、中央ドームスイッチ４８Ａを取り囲んでいる。突起部材５０ａ〜５０ｆによって形成される六角形状の囲いの内側には、キートップ３２の裏面の中央部分において同じく六角形となるように配置された突条４０ａ〜４０ｆが遊嵌されている（図６参照）。
【００９５】
突起部材５０ａ〜５０ｄは、各突起部材５０ａ〜５０ｄの幅を規定する稜線（幅部分）５２ａ〜５２ｄを有している。稜線５２ａ〜５２ｄは、いずれも基板３６と略平行で且つ突起部材５０ａ〜５０ｄにおいて最も基板３６からの高さが高い部分となっており、キートップ３２の押下量を規制する。なお、この稜線５２ａ〜５２ｄの高さは、キートップ３２の中心部分を垂直押下した時に、中央ドームスイッチ４８Ａのみがキートップ３２に形成されている中央突起４４Ａにより押しつぶされ、周辺ドームスイッチ４８Ｂ〜４８Ｅは変形しない高さとする。また同時に、隅部３２Ｂ〜４２Ｅのいずれかを押下した時に、押下側のキートップ３２の周辺ドームスイッチ４８Ｂ〜４８Ｅのいずれかのみが押しつぶされ中央ドームスイッチ４８Ａは変形しない高さとする。突起部材５０ａの稜線５２ａは、中央ドームスイッチ４８Ａの中心と周辺ドームスイッチ４８Ｂの中心とを結ぶ直線に対して略垂直に交差している。突起部材５０ｂの稜線５２ｂは、中央ドームスイッチ４８Ａの中心と周辺ドームスイッチ４８Ｃの中心とを結ぶ直線に対して略垂直に交差している。突起部材５０ｃの稜線５２ｃは、中央ドームスイッチ４８Ａの中心と周辺ドームスイッチ４８Ｄの中心とを結ぶ直線に対して略垂直に交差している。突起部材５０ｄの稜線５２ｄは、中央ドームスイッチ４８Ａの中心と周辺ドームスイッチ４８Ｅの中心とを結ぶ直線に対して略垂直に交差している。
【００９６】
突起部材５０ａ〜５０ｄは、それぞれ傾斜面５４ａ〜５４ｄを有している。傾斜面５４ａは、突起部材５０ａの稜線５２ａを含み且つ中央ドームスイッチ４８Ａから周辺ドームスイッチ４８Ｂの方向に向かうにつれて基板３６との距離が小さくなる平面である。傾斜面５４ｂは、突起部材５０ｂの稜線５２ｂを含み且つ中央ドームスイッチ４８Ａから周辺ドームスイッチ４８Ｃの方向に向かうにつれて基板３６との距離が小さくなる平面である。傾斜面５４ｃは、突起部材５０ｃの稜線５２ｃを含み且つ中央ドームスイッチ４８Ａから周辺ドームスイッチ４８Ｄの方向に向かうにつれて基板３６との距離が小さくなる平面である。傾斜面５４ｄは、突起部材５０ｄの稜線５２ｄを含み且つ中央ドームスイッチ４８Ａから周辺ドームスイッチ４８Ｅの方向に向かうにつれて基板３６との距離が小さくなる平面である。
【００９７】
続いて、図８及び図９を参照して、上述した構成を有する入力キー３０の動作について説明する。図８は、第１実施形態に係る入力装置におけるキートップの中央部が押下操作されたときの、図４のＡ−Ａ線断面図である。図９は、第１実施形態に係る入力装置におけるキートップの隅部が押下操作されたときの、図４のＡ−Ａ線断面図である。
【００９８】
キートップ３２の中央部３２Ａが押下操作されると、図８に示されるように、キートップ３２が基板３６方向に降下して、突条４０ａ〜４０ｆが突起部材５０ａ〜５０ｆの内側に押し込まれ、突起部材５０ａ〜５０ｆの稜線５２ａ〜５２ｆが保持シート３４に当接する。これに伴い、中央突起４４Ａによって中央ドームスイッチ４８Ａが押し潰され、キートップ３２の天面における中央部３２Ａに表示された情報が入力されることとなる。また、キートップ３２の中央部３２Ａから少しずれた所を押下した時は、まず、キートップ３２の底面の最も下がった部分が稜線５２ａ〜５２ｄのいずれかに接し、更に押し続けてキートップを下げようとすると、この稜線５２ａ〜５２ｄのいずれかに当りキートップ３２の中央部３２Ａが正しく押下された時の下がった状態になるよう誘導することで、正しい中央部３２Ａの押下動作になり、中心部３２Ａの押下操作を確実なものとし、操作性を向上させることができる。
【００９９】
一方、キートップ３２の隅部３２Ｂ〜３２Ｅのいずれか（ここでは隅部３２Ｅ）が押下操作されると、図９に示されるように、突条４０ｂの外側面４２ｂが突起部材５０ｄに対して摺動しながらキートップ３２の隅部３２Ｅが基板３６方向に降下して、突起部材５０ｄの傾斜面５４ｄが保持シート３４に当接する。これに伴い、周辺突起４４Ｅによって周辺ドームスイッチ４８Ｅが押し潰され、キートップ３２の天面における隅部３２Ｅに表示された情報が入力されることとなる。また、隅部３２Ｂ〜３２Ｅから少しずれた所を押下した時は、正規の時とずれた傾きが生じるが、傾斜面によって正しい傾斜方向になるよう誘導することで、正しい隅部３２Ｂ〜３２Ｅの押下動作になり、隅部３２Ｂ〜３２Ｅの押下操作を確実なものとし、操作性を向上させることができる。
【０１００】
以上のように、第１実施形態においては、中央ドームスイッチ４８Ａと各周辺ドームスイッチ４８Ｂ〜４８Ｅとの間にそれぞれ配設された突起部材５０ａ〜５０ｄ、周辺ドームスイッチ４８Ｂと周辺ドームスイッチ４８Ｅとの間に配設された突起部材５０ａ，５０ｄ及び周辺ドームスイッチ４８Ｃと周辺ドームスイッチ４８Ｄとの間に配設された突起部材５０ｂ，５０ｃによって、キートップ３２の押下量が規制されている。そのため、これらの突起部材５０ａ〜５０ｄによって、中央ドームスイッチ４８Ａと各周辺ドームスイッチ４８Ｂ〜４８Ｅとの同時押し、周辺ドームスイッチ４８Ｂと周辺ドームスイッチ４８Ｅとの同時押し及び周辺ドームスイッチ４８Ｃと周辺ドームスイッチ４８Ｄとの間の同時押しが防止されるようになる。その結果、押下操作されたドームスイッチのみが押下されるようになり、所望の文字等の情報を正確に入力することが可能となる。
【０１０１】
また、第１実施形態では、突起部材５０ａ〜５０ｄの幅を規定する稜線５２ａ〜５２ｄが、中央ドームスイッチ４８Ａの中心と各周辺ドームスイッチ４８Ｂ〜４８Ｅの中心とを結ぶ各直線に対してそれぞれ略垂直に交差している。そのため、各隅部３２Ｂ〜３２Ｅが押下操作されたとき、キートップ３２がねじれるように傾くことがなくなるので、安定した押下操作が実現される。
【０１０２】
また、第１実施形態では、突条４０ａ〜４０ｆが突起部材５０ａ〜５０ｆによって形成される六角形状の囲いの内側に遊嵌されているので、キートップ３２が基板３６の表面に沿う方向に位置ずれし難くなっている。
【０１０３】
また、第１実施形態では、突条４０ａ〜４０ｆの外側面４２ａ〜４２ｆが、キートップ３２の裏面の中央部分から外方に向けて膨らむ円弧面となっている。そのため、各隅部３２Ｂ〜３２Ｅが押下操作された際、突条４０ａ〜４０ｆの外側面４２ａ〜４２ｆが突起部材５０ａ〜５０ｆに沿って円弧状に摺動するので、キートップがスムーズに傾くようになり、より安定した押下操作を実現することができる。
【０１０４】
また、第１実施形態では、突起部材５０ａ〜５０ｄがそれぞれ傾斜面５４ａ〜５４ｄを有している。そのため、例えば隅部３８Ｅが押下操作されたとき、隅部３８Ｅに対応する突起部材５０ｄの傾斜面５４ｄによってキートップ３２が支持される。その結果、押下操作されていない隅部３８Ｂ〜３８Ｄの押下操作が妨げされることとなり、中央ドームスイッチ４８Ａ及び各周辺ドームスイッチ４８Ｂ〜４８Ｅの同時押しが確実に防止される。
【０１０５】
また、第１実施形態では、フレーム２０の開口部２２の各隅における側面に複数の突条２４が設けられているので、キートップ３２の押下操作をする際、キートップ３２の側面がフレーム２０の側面ではなく突条２４と接触するようになる。そのため、キートップ３２の側面とフレーム２０の側面との接触面積が小さくなり、摩擦抵抗が低減される。その結果、キートップ３２を押下操作する際に要する力を更に軽減することができる。
【０１０６】
（第２実施形態）
続いて、図１、図２及び図１０を参照して、第２実施形態に係る入力装置２１０の構成について説明する。図１０は、第２実施形態に係る入力装置における基板の表面を示す斜視図である。以下では、第１実施形態に係る入力装置１０との相違点を中心に説明し、重複する説明は省略する。
【０１０７】
入力装置２１０は、図１に示されるように、フレーム２０の内部に配置される複数の入力キー２３０を備えている。入力キー２３０は、突起部材２５０ａ〜２５０ｄ，５０ｅ，３０ｆが突設された基板３６を含んで構成されている。突起部材２５０ａ〜２５０ｄは、第１実施形態における突起部材５０ａ〜５０ｄから先端部５１ａ〜５１ｄが切除されたものであり、先端部５１ａ〜５１ｄがないことを除いて第１実施形態における突起部材５０ａ〜５０ｄと同じ形状となっている。
【０１０８】
以上の構成を有する第２実施形態に係る入力装置２１０においても、第１実施形態に係る入力装置１０と同様の作用効果を奏する。
【０１０９】
また、第２実施形態では、第１実施形態と異なり突起部材５０ａ〜５０ｄの先端部５１ａ〜５１ｄがなく、突起部材２５０ａ〜２５０ｄがコンパクトで且つ簡易な構造となっている。
【０１１０】
（第３実施形態）
続いて、図１、図２及び図１１を参照して、第３実施形態に係る入力装置３１０の構成について説明する。図１１は、第３実施形態に係る入力装置における入力キーの図４のＡ−Ａ線断面図である。以下では、第１実施形態に係る入力装置１０との相違点を中心に説明し、重複する説明は省略する。
【０１１１】
入力装置３１０は、図１に示されるように、フレーム２０の内部に配置される複数の入力キー３３０を備えている。入力キー３３０は、キートップ３３２及び保持体３３４を含んで構成されている。
【０１１２】
キートップ３３２には、基板３６側に向けて突出する中央突起３４４Ａ及び周辺突起３４４Ｂ〜３４４Ｅが、キートップ３３２と一体的に形成されている。これらの中央突起３４４Ａ及び周辺突起３４４Ｂ〜３４４Ｅは、キートップ３３２の天面における中央部３２Ａ及び隅部３２Ｂ〜３２Ｅと対応するように位置している。なお、中央突起３４４Ａの突出量は、周辺突起３４４Ｂ〜３４４Ｅの突出量よりも大きくなっている。
【０１１３】
保持体３３４は、キートップ３３２の下部側面と接続される薄肉部３３４ａを介して、基板３６と所定間隔を有するようにキートップ３３２を保持している。保持体３３４の底面は、接着剤等により基板３６に貼り付けられている。なお、保持体３３４は、合成ゴム、軟質プラスチック、軟質ビニール等の弾性体によって形成されている。
【０１１４】
以上の構成を有する第３実施形態に係る入力装置３１０においても、第１実施形態に係る入力装置１０と同様の作用効果を奏する。
【０１１５】
（第４実施形態）
続いて、図１、図２及び図１２〜図１５を参照して、第４実施形態に係る入力装置４１０の構成について説明する。図１２は、第４実施形態に係る入力装置におけるキートップの裏面側を示す斜視図である。図１３は、第４実施形態に係る入力装置における入力キーの図４のＡ−Ａ線断面図である。図１４は、図１２のＢ−Ｂ線断面図である。図１５は、第４実施形態に係る入力装置における基板の表面を示す斜視図である。以下では、第１実施形態に係る入力装置１０との相違点を中心に説明し、重複する説明は省略する。
【０１１６】
入力装置４１０は、図１に示されるように、フレーム２０の内部に配置される複数の入力キー４３０を備えている。入力キー４３０は、主として、キートップ４３２、保持シート４３４及び基板３６により構成されている。
【０１１７】
キートップ４３２の裏面には、図１２に示されるように、突起部材４５０ａ〜４５０ｆが突設されている。突起部材４５０ａ〜４５０ｄは、中央突起４４Ａと各周辺突起４４Ｂ〜４４Ｅとの間にそれぞれ位置している。突起部材４５０ｅは、周辺突起４４Ｂと周辺突起４４Ｅとの間に位置している。突起部材４５０ｆは、周辺突起４４Ｃと周辺突起４４Ｄとの間に位置している。
【０１１８】
突起部材４５０ａ〜４５０ｄは、各突起部材４５０ａ〜４５０ｄの幅を規定する稜線（幅部分）４５２ａ〜４５２ｄを有している。稜線４５２ａ〜４５２ｄは、いずれもキートップ４３２の裏面と略平行で且つ突起部材４５０ａ〜４５０ｄにおいて最もキートップ４３２の裏面からの高さが高い部分となっており、キートップ４３２の押下量を規制する。突起部材４５０ａの稜線４５２ａは、中央突起４４Ａの中心と周辺突起４４Ｂの中心とを結ぶ直線に対して略垂直に交差している。突起部材４５０ｂの稜線４５２ｂは、中央突起４４Ａの中心と周辺突起４４Ｃの中心とを結ぶ直線に対して略垂直に交差している。突起部材４５０ｃの稜線４５２ｃは、中央突起４４Ａの中心と周辺突起４４Ｄの中心とを結ぶ直線に対して略垂直に交差している。突起部材４５０ｄの稜線４５２ｄは、中央突起４４Ａの中心と周辺突起４４Ｅの中心とを結ぶ直線に対して略垂直に交差している。
【０１１９】
突起部材４５０ａ〜４５０ｄは、それぞれ傾斜面４５４ａ〜４５４ｄを有している。傾斜面４５４ａは、突起部材４５０ａの稜線４５２ａを含み且つ中央突起４４Ａから周辺突起４４Ｂの方向に向かうにつれて基板３６との距離が小さくなる平面である。傾斜面４５４ｂは、突起部材４５０ｂの稜線４５２ｂを含み且つ中央突起４４Ａから周辺突起４４Ｃの方向に向かうにつれて基板３６との距離が小さくなる平面である。傾斜面４５４ｃは、突起部材４５０ｃの稜線４５２ｃを含み且つ中央突起４４Ａから周辺突起４４Ｄの方向に向かうにつれて基板３６との距離が小さくなる平面である。傾斜面４５４ｄは、突起部材４５０ｄの稜線４５２ｄを含み且つ中央突起４４Ａから周辺突起４４Ｅの方向に向かうにつれて基板３６との距離が小さくなる平面である。
【０１２０】
突起部材４５０ｅは、傾斜面４５４ｅ，４５５ｅを有している。突起部材４５０ｅの一方の傾斜面４５４ｅは、突起部材４５０ａの傾斜面４５４ａと同一平面となっており、突起部材４５０ｅの他方の傾斜面４５５ｅは、突起部材４５０ｄの傾斜面４５４ｄと同一平面となっている。突起部材４５０ｆは、傾斜面４５４ｆ，４５５ｆを有している。突起部材４５０ｆの一方の傾斜面４５４ｆは、突起部材４５０ｂの傾斜面４５４ｂと同一平面となっており、突起部材４５０ｆの他方の傾斜面４５５ｆは、突起部材４５０ｃの傾斜面４５４ｃと同一平面となっている。
【０１２１】
保持シート４３４には、隣り合う４つのキートップの各隅部によって囲まれる位置に、各隅部の一部がそれぞれ露出するような開口４４６が形成されている。また、保持シート４３４の裏面側には、図１２〜図１４に示されるように、隣り合うキートップ４３２の間であって隣接する２つの開口４４６の間に位置するように、複数の保持突起４６０が突設されている。これらの保持突起４６０は、保持シート４３４と同じく弾性体によって形成されている。キートップ４３２は、保持突起４６０によって、基板３６と所定の間隔Ｌを有するように保持されている（詳しくは、後述する）。
【０１２２】
基板３６上には、図１５に示されるように、中央ドームスイッチ４８Ａ及び周辺ドームスイッチ４８Ｂ〜４８Ｅのみが設けられている。
【０１２３】
続いて、図１６〜図１９を参照して、上述した構成を有する入力キー４３０の動作について説明する。図１６は、第４実施形態に係る入力装置におけるキートップの中央部が押下操作されたときの、図４のＡ−Ａ線断面図である。図１７は、第４実施形態に係る入力装置におけるキートップの中央部が押下操作されたときの、図１２のＢ−Ｂ線断面図である。図１８は、第４実施形態に係る入力装置におけるキートップの隅部が押下操作されたときの、図４のＡ−Ａ線断面図である。図１９は、第４実施形態に係る入力装置におけるキートップの隅部が押下操作されたときの、図１２のＢ−Ｂ線断面図である。
【０１２４】
キートップ４３２の中央部３２Ａが押下操作されると、図１６及び図１７に示されるように、キートップ４３２が基板３６方向に降下して、突起部材４５０ａ〜４５０ｆの稜線４５２ａ〜４５２ｆが基板３６に当接する。これと同時に、中央突起４４Ａによって中央ドームスイッチ４８Ａが押し潰され、キートップ４３２の天面における中央部３８Ａに表示された情報が入力されることとなる。
【０１２５】
一方、キートップ４３２の隅部３２Ｂ〜３２Ｅのいずれか（ここでは隅部３２Ｅ）が押下操作されると、図１８及び図１９に示されるように、キートップ４３２が基板３６方向に降下して、突起部材４５０ｄ，４５０ｅの傾斜面４５４ｄ，４５５ｅが基板３６に当接する。これに伴い、周辺突起４４Ｅによって周辺ドームスイッチ４８Ｅが押し潰され、キートップ４３２の天面における隅部３２Ｅに表示された情報が入力されることとなる。このとき、押下操作された隅部３２Ｅと対角に位置する隅部３２Ｃは、図１９に示されるように、基板３６との間隔Ｌを保持している。すなわち、キートップ４３２は、キートップ４３２の隅部３２Ｂ〜３２Ｅのうち一の隅部が押下操作されたときに、突起部材４５０ａ〜４５０ｆのうちいずれかの突起部材が作用点として機能することによるキートップ４３２の他の隅部の上昇が生じない位置に保持されている。
【０１２６】
ここでは、キートップ４３２の隅部が上昇しない位置になるように、以下のように高さの関係が規定されることになる。まず、中央突起４４Ａと周辺突起４４Ｂ〜Ｅとの高さを元に突起部材４５０ａ〜４５０ｆの高さが求められる。この高さは、キートップ４３２の中心部分を垂直押下した時に、中央ドームスイッチ４８Ａのみが押しつぶされ、周辺ドームスイッチ４８Ｂ〜４８Ｅは変形しない高さとする。また同時に、キートップ４３２の隅部を押下した時に、押下側のキートップの周辺ドームスイッチ４８Ｂ〜４８Ｅのいずれかのみが押しつぶされ中央ドームスイッチ４８Ａは変形しない高さとする。次に、求めた突起部材４５０ａ〜４５０ｆの高さに基づいて、キートップ４３２の隅部を押下した時の反対側のキートップの隅部の保持シートの底面の高さを基板とキートップの保持シートとの距離Ｌとして求める。このような高さの関係を持たせることにより、キートップ４３２の隅部３２Ｂ〜３２Ｅのいずれかを押下した場合に、対角関係にあるキートップ４３２の隅部は持ち上がることがなくなる。
【０１２７】
なお、上記のようにキートップ４３２の中央部３２Ａ又は隅部３２Ｂ〜３２Ｅが押下操作された場合、押下操作されたキートップ４３２の周囲に位置する保持突起４６０は、キートップ４３２の外側に向けて膨らむように弾性変形することとなる（図１６〜図１９参照）。
【０１２８】
以上のように、第４実施形態においては、中央突起４４Ａと周辺突起４４Ｂ〜４４Ｅとの間にそれぞれ配設された突起部材４５０ａ〜４５０ｄ、周辺突起４４Ｂと周辺突起４４Ｅとの間に配設された突起部材４５０ａ，４５０ｄ、周辺突起４４Ｃと周辺突起４４Ｄとの間に配設された突起部材４５０ｂ，４５０ｃによって、キートップ３２の押下量が規制されている。そのため、これらの突起部材４５０ａ〜４５０ｄによって、中央ドームスイッチ４８Ａと各周辺ドームスイッチ４８Ｂ〜４８Ｅとの同時押し、周辺ドームスイッチ４８Ｂと周辺ドームスイッチ４８Ｅとの同時押し及び周辺ドームスイッチ４８Ｃと周辺ドームスイッチ４８Ｄとの間の同時押しが防止されるようになる。その結果、押下操作されたドームスイッチのみが押下されるようになり、所望の文字等の情報を正確に入力することが可能となる。
【０１２９】
また、第４実施形態では、突起部材４５０ａ〜４５０ｆがそれぞれ傾斜面４５４ａ〜４５４ｆ，４５５ｅ，４５５ｆを有している。そのため、例えば隅部３８Ｅが押下操作されたとき、隅部３８Ｅに対応する突起部材４５０ｄの傾斜面４５４ｄ及び突起部材４５０ｅの傾斜面４５５ｅによってキートップ３２が支持される。その結果、押下操作されていない隅部３８Ｂ〜３８Ｄの押下操作が妨げされることとなり、中央ドームスイッチ４８Ａ及び各周辺ドームスイッチ４８Ｂ〜４８Ｅの同時押しが確実に防止される。
【０１３０】
また、第４実施形態では、キートップ４３２が弾性変形可能な保持突起４６０によって基板３６上に支持されているので、キートップ４３２の押下操作がされていない状態で、キートップ４３２と基板３６との間隔が所望の間隔Ｌに保持されている。すなわち、キートップ４３２は、キートップ４３２の隅部３２Ｂ〜３２Ｅのうち一の隅部が押下操作されたときに、突起部材４５０ａ〜４５０ｆのうちいずれかの突起部材が作用点として機能することによるキートップ４３２の他の隅部の上昇が生じない位置に保持されている。そのため、キートップ４３２の隅部３８Ｂ〜３８Ｅのうちいずれかが押下操作されたとき、キートップの他の隅部を上昇させるための力を必要としなくなる。その結果、キートップの隅部３８Ｂ〜３８Ｅを押下操作する際に要する力を軽減することができる。
【０１３１】
また、第４実施形態では、保持シート４３４には、隣り合う４つのキートップの各隅部によって囲まれる位置に、各隅部の一部がそれぞれ露出するような開口４４６が形成されている。すなわち、保持シート４３４は、各隅部３８Ｂ〜３８Ｅ以外の部分においてキートップ４３２を保持している。そのため、保持シート４３４に開口４４６が形成されていない場合と比較して、キートップ４３２の各隅部３８Ｂ〜３８Ｅが押下されたときに、保持シート４３４がキートップ４３２の各隅部３８Ｂ〜３８Ｅを引っ張る力が小さくなる。そのため、キートップ４３２の各隅部３８Ｂ〜３８Ｅを押下操作する際に要する力をより軽減することができる。
【０１３２】
また、第４実施形態では、フレーム２０の開口部２２の各隅における側面に複数の突条２４が設けられているので、キートップ４３２の押下操作をする際、キートップ４３２の側面がフレーム２０の側面でなく突条２４と接触するようになる。そのため、キートップ４３２の側面とフレーム２０の側面との接触面積が小さくなり、摩擦抵抗が低減される。その結果、キートップ４３２を押下操作する際に要する力を更に軽減することができる。
【０１３３】
（第５実施形態）
続いて、図１、図２及び図２０〜図２２を参照して、第５実施形態に係る入力装置５１０の構成について説明する。図２０は、第５実施形態に係る入力装置におけるキートップの裏面側を示す斜視図である。図２１は、第５実施形態に係る入力装置における入力キーの図４のＡ−Ａ線断面図である。図２２は、第５実施形態に係る入力装置における基板の表面を示す斜視図である。以下では、第１実施形態に係る入力装置１０との相違点を中心に説明し、重複する説明は省略する。
【０１３４】
入力装置５１０は、図１に示されるように、フレーム２０の内部に配置される複数の入力キー５３０を備えている。入力キー５３０は、主として、キートップ５３２、保持シート５３４及び基板３６により構成されている。
【０１３５】
キートップ５３２の裏面は、図２０及び図２１に示されるように、平坦となっており、保持シート５３４に接着剤等によって貼り付けられている。
【０１３６】
保持シート５３４には、隣り合う４つのキートップの各隅部によって囲まれる位置に、各隅部の一部がそれぞれ露出するような開口５４６が形成されている。また、保持シート５３４の裏面側には、図２０及び図２１に示されるように、隣り合うキートップ５３２の間であって隣接する２つの開口５４６の間に位置するように、複数の保持突起５６０が突設されている。これらの保持突起５６０は、保持シート５３４と同じく弾性体によって形成されている。キートップ５３２は、保持突起５６０によって、基板３６と所定の間隔Ｌを有するように保持されている（図２１参照）。
【０１３７】
基板３６上には、図２１及び図２２に示されるように、突起部材５５０ａ〜５５０ｆが突設されている。突起部材５５０ａ〜５５０ｄは、中央ドームスイッチ４８Ａと各周辺ドームスイッチ４８Ｂ〜４８Ｅとの間にそれぞれ位置している。突起部材５５０ｅは、周辺ドームスイッチ４８Ｂと周辺ドームスイッチ４８Ｅとの間に位置している。突起部材５５０ｆは、周辺ドームスイッチ４８Ｃと周辺ドームスイッチ４８Ｄとの間に位置している。
【０１３８】
突起部材５５０ａ〜５５０ｄは、各突起部材５５０ａ〜５５０ｄの幅を規定する稜線（幅部分）５５２ａ〜５５２ｄを有している。稜線５５２ａ〜５５２ｄは、いずれも基板３６と略平行で且つ突起部材５５０ａ〜５５０ｄにおいて最も基板３６からの高さが高い部分となっており、キートップ５３２の押下量を規制する。突起部材５５０ａの稜線５５２ａは、中央ドームスイッチ４８Ａの中心と周辺ドームスイッチ４８Ｂの中心とを結ぶ直線に対して略垂直に交差している。突起部材５５０ｂの稜線５５２ｂは、中央ドームスイッチ４８Ａの中心と周辺ドームスイッチ４８Ｃの中心とを結ぶ直線に対して略垂直に交差している。突起部材５５０ｃの稜線５５２ｃは、中央ドームスイッチ４８Ａの中心と周辺ドームスイッチ４８Ｄの中心とを結ぶ直線に対して略垂直に交差している。突起部材５５０ｄの稜線５５２ｄは、中央ドームスイッチ４８Ａの中心と周辺ドームスイッチ４８Ｅの中心とを結ぶ直線に対して略垂直に交差している。
【０１３９】
突起部材５５０ａ〜５５０ｄは、それぞれ傾斜面５５４ａ〜５５４ｄを有している。傾斜面５５４ａは、突起部材５５０ａの稜線５５２ａを含み且つ中央ドームスイッチ４８Ａから周辺ドームスイッチ４８Ｂの方向に向かうにつれて基板３６との距離が小さくなる平面である。傾斜面５５４ｂは、突起部材５５０ｂの稜線５５２ｂを含み且つ中央ドームスイッチ４８Ａから周辺ドームスイッチ４８Ｃの方向に向かうにつれて基板３６との距離が小さくなる平面である。傾斜面５５４ｃは、突起部材５５０ｃの稜線５５２ｃを含み且つ中央ドームスイッチ４８Ａから周辺ドームスイッチ４８Ｄの方向に向かうにつれて基板３６との距離が小さくなる平面である。傾斜面５５４ｄは、突起部材５５０ｄの稜線５５２ｄを含み且つ中央ドームスイッチ４８Ａから周辺ドームスイッチ４８Ｅの方向に向かうにつれて基板３６との距離が小さくなる平面である。
【０１４０】
突起部材５５０ｅは、傾斜面５５４ｅ，５５５ｅを有している。突起部材５５０ｅの一方の傾斜面５５４ｅは、突起部材５５０ａの傾斜面５５４ａと同一平面となっており、突起部材５５０ｅの他方の傾斜面５５５ｅは、突起部材５５０ｄの傾斜面５５４ｄと同一平面となっている。突起部材５５０ｆは、傾斜面５５４ｆ，５５５ｆを有している。突起部材５５０ｆの一方の傾斜面５５４ｆは、突起部材５５０ｂの傾斜面５５４ｂと同一平面となっており、突起部材５５０ｆの他方の傾斜面５５５ｆは、突起部材５５０ｃの傾斜面５５４ｃと同一平面となっている。
【０１４１】
以上の構成を有する第５実施形態に係る入力装置５１０においては、第４実施形態に係る入力装置４１０と同様の作用効果を奏する。
【０１４２】
（第６実施形態）
続いて、図１、図２及び図２３〜図２５を参照して、第６実施形態に係る入力装置６１０の構成について説明する。図２３は、第６実施形態に係る入力装置におけるキートップの裏面側を示す斜視図である。図２４は、第６実施形態に係る入力装置における入力キーの図４のＡ−Ａ線断面図である。図２５は、第６実施形態に係る入力装置における基板の表面を示す斜視図である。以下では、第１実施形態に係る入力装置１０との相違点を中心に説明し、重複する説明は省略する。
【０１４３】
入力装置６１０は、図１に示されるように、フレーム２０の内部に配置される複数の入力キー６３０を備えている。入力キー６３０は、主として、キートップ６３２、保持シート６３４及び基板３６により構成されている。
【０１４４】
キートップ５３２の裏面は、図２３及び図２４に示されるように、平坦となっており、保持シート６３４に接着剤等によって貼り付けられている。
【０１４５】
保持シート６３４には、隣り合う４つのキートップの各隅部によって囲まれる位置に、各隅部の一部がそれぞれ露出するような開口６４６が形成されている。また、保持シート６３４の裏面側には、図２３及び図２４に示されるように、隣り合うキートップ６３２の間であって隣接する２つの開口６４６の間に位置するように、複数の保持突起６６０が突設されている。これらの保持突起６６０は、保持シート６３４と同じく弾性体によって形成されている。キートップ６３２は、保持突起６６０によって、基板３６と所定の間隔Ｌを有するように保持されている（図２４参照）。
【０１４６】
基板３６上には、図２４及び図２５に示されるように、突起部材群６５０ａ〜６５０ｆをそれぞれ構成すると共にキートップ６３２の押下量を規制する一対の突起部材６５２ａ，６５４ａ、一対の突起部材６５２ｂ，６５４ｂ、一対の突起部材６５２ｃ，６５４ｃ、一対の突起部材６５２ｄ，６５４ｄ、一対の突起部材６５２ｅ，６５４ｅ及び一対の突起部材６５４ｆ，６５４ｆが突設されている。突起部材群６５０ａ〜６５０ｄは、中央ドームスイッチ４８Ａと各周辺ドームスイッチ４８Ｂ〜４８Ｅとの間にそれぞれ位置している。突起部材群６５０ｅは、周辺ドームスイッチ４８Ｂと周辺ドームスイッチ４８Ｅとの間に位置している。突起部材群６５０ｆは、周辺ドームスイッチ４８Ｃと周辺ドームスイッチ４８Ｄとの間に位置している。
【０１４７】
突起部材群６５０ａ〜６５０ｆの幅は、一対の突起部材６５２ａ，６５４ａ同士を結ぶ線分（幅部分）６５６ａ、一対の突起部材６５２ｂ，６５４ｂ同士を結ぶ線分（幅部分）６５６ｂ、一対の突起部材６５２ｃ，６５４ｃ同士を結ぶ線分（幅部分）６５６ｃ、一対の突起部材６５２ｄ，６５４ｄ同士を結ぶ線分（幅部分）６５６ｄ、一対の突起部材６５２ｅ，６５４ｅ同士を結ぶ線分（幅部分）６５６ｅ及び一対の突起部材６５２ｆ，６５４ｆ同士を結ぶ線分（幅部分）６５６ｆによってそれぞれ規定される。突起部材群６５０ａにおける線分６５６ａは、中央ドームスイッチ４８Ａの中心と周辺ドームスイッチ４８Ｂの中心とを結ぶ直線に対して略垂直に交差している。突起部材群６５０ｂにおける線分６５６ｂは、中央ドームスイッチ４８Ａの中心と周辺ドームスイッチ４８Ｃの中心とを結ぶ直線に対して略垂直に交差している。突起部材群６５０ｃにおける線分６５６ｃは、中央ドームスイッチ４８Ａの中心と周辺ドームスイッチ４８Ｄの中心とを結ぶ直線に対して略垂直に交差している。突起部材群６５０ｄにおける線分６５６ｄは、中央ドームスイッチ４８Ａの中心と周辺ドームスイッチ４８Ｅの中心とを結ぶ直線に対して略垂直に交差している。
【０１４８】
突起部材６５２ａ〜６５２ｄ，６５４ａ〜６５４ｄは、基板３６からの高さが同じとなっている。突起部材６５２ｅ，６５２ｆは、基板からの高さが突起部材６５２ａ〜６５２ｄ，６５４ａ〜６５４ｄよりも低くなっている。突起部材６５４ｅ，６５４ｆは、基板からの高さが突起部材６５２ｅ，６５２ｆよりも低くなっている。そのため、突起部材６５２ａ，６５４ａ，６５２ｅ，６５４ｅの頂点によって中央ドームスイッチ４８Ａから周辺ドームスイッチ４８Ｂの方向に向かうにつれて基板３６との距離が小さくなる仮想的な傾斜面６５８ａが形成されている。突起部材６５２ｂ，６５４ｂ，６５２ｆ，６５４ｆの頂点によって中央ドームスイッチ４８Ａから周辺ドームスイッチ４８Ｃの方向に向かうにつれて基板３６との距離が小さくなる仮想的な傾斜面６５８ｂが形成されている。突起部材６５２ｃ，６５４ｃ，６５２ｆ，６５４ｆの頂点によって中央ドームスイッチ４８Ａから周辺ドームスイッチ４８Ｄの方向に向かうにつれて基板３６との距離が小さくなる仮想的な傾斜面６５８ｃが形成されている。突起部材６５２ｄ，６５４ｄ，６５２ｅ，６５４ｅの頂点によって中央ドームスイッチ４８Ａから周辺ドームスイッチ４８Ｅの方向に向かうにつれて基板３６との距離が小さくなる仮想的な傾斜面６５８ｄが形成されている。
【０１４９】
以上のように、第６実施形態においては、中央ドームスイッチ４８Ａと周辺ドームスイッチ４８Ｂ〜４８Ｅとの間にそれぞれ配設された突起部材群６５０ａ〜６５０ｄ、周辺ドームスイッチ４８Ｂと周辺ドームスイッチ４８Ｅとの間に配設された突起部材群６５０ａ，６５０ｄ、周辺ドームスイッチ４８Ｃと周辺ドームスイッチ４８Ｄとの間に配設された突起部材群６５０ｂ，６５０ｃによって、キートップ６３２の押下量が規制されている。そのため、これらの突起部材群６５０ａ〜６５０ｄによって、中央ドームスイッチ４８Ａと各周辺ドームスイッチ４８Ｂ〜４８Ｅとの同時押し、周辺ドームスイッチ４８Ｂと周辺ドームスイッチ４８Ｅとの同時押し及び周辺ドームスイッチ４８Ｃと周辺ドームスイッチ４８Ｄとの間の同時押しが防止されるようになる。その結果、押下操作されたドームスイッチのみが押下されるようになり、所望の文字等の情報を正確に入力することが可能となる。
【０１５０】
また、第６実施形態では、突起部材群６５０ａ〜６５０ｆをそれぞれ構成する突起部材６５２ａ〜６５２ｆ，６５４ａ〜６５４ｆがそれぞれ仮想的な傾斜面６５８ａ〜６５８ｆを形成している。そのため、例えば隅部３８Ｅが押下操作されたとき、傾斜面６５８ｄによってキートップ６３２が支持される。その結果、押下操作されていない隅部３８Ｂ〜３８Ｄの押下操作が妨げされることとなり、中央ドームスイッチ４８Ａ及び各周辺ドームスイッチ４８Ｂ〜４８Ｅの同時押しが確実に防止される。
【０１５１】
また、第６実施形態では、キートップ６３２が弾性変形可能な保持突起６６０によって基板３６上に支持されているので、キートップ６３２の押下操作がされていない状態で、キートップ６３２と基板３６との間隔が所望の間隔Ｌに保持されている。すなわち、キートップ６３２は、キートップ６３２の隅部３２Ｂ〜３２Ｅのうち一の隅部が押下操作されたときに、突起部材群６５０ａ〜６５０ｆのうちいずれかの突起部材群が作用点として機能することによるキートップ６３２の他の隅部の上昇が生じない位置に保持されている。そのため、キートップ６３２の隅部３８Ｂ〜３８Ｅのうちいずれかが押下操作されたとき、キートップの他の隅部を上昇させるための力を必要としなくなる。その結果、キートップの隅部３８Ｂ〜３８Ｅを押下操作する際に要する力を軽減することができる。
【０１５２】
また、第６実施形態では、保持シート６３４には、隣り合う４つのキートップの各隅部によって囲まれる位置に、各隅部の一部がそれぞれ露出するような開口６４６が形成されている。すなわち、保持シート６３４は、各隅部３８Ｂ〜３８Ｅ以外の部分においてキートップ６３２を保持している。そのため、保持シート６３４に開口６４６が形成されていない場合と比較して、キートップ６３２の各隅部３８Ｂ〜３８Ｅが押下されたときに、保持シート６３４がキートップ６３２の各隅部３８Ｂ〜３８Ｅを引っ張る力が小さくなる。そのため、キートップ６３２の各隅部３８Ｂ〜３８Ｅを押下操作する際に要する力をより軽減することができる。
【０１５３】
また、第６実施形態では、フレーム２０の開口部２２の各隅における側面に複数の突条２４が設けられているので、キートップ６３２の押下操作をする際、キートップ６３２の側面がフレーム２０の側面でなく突条２４と接触するようになる。そのため、キートップ６３２の側面とフレーム２０の側面との接触面積が小さくなり、摩擦抵抗が低減される。その結果、キートップ６３２を押下操作する際に要する力を更に軽減することができる。
【０１５４】
（第７実施形態）
続いて、図１、図２６及び図２７を参照して、第７実施形態に係る入力装置７１０について説明する。図２６は、キートップを透視した状態で第７実施形態に係る入力装置における基板を示す上面図である。図２７は、キートップの非押下時における、図２６のＣ−Ｃ線断面図である。なお、図２６のＣ−Ｃ線は、中央突起７４４Ａ及び対角に位置する周辺突起７４４Ｂ，７４４Ｄを通る直線である。また、図２６のＤ−Ｄ線は、中央突起７４４Ａ及び突起部材７５０ｅ，７５０ｆを通る直線である。以下では、第１実施形態に係る入力装置１０との相違点を中心に説明し、重複する説明は省略する。
【０１５５】
入力装置７１０は、図１に示されるように、フレーム２０の内部に配置される複数の入力キー７３０を備えている。入力キー７３０は、主として、キートップ７３２、保持シート７３４及び基板３６により構成されている。キートップ７３２の裏面には、中央突起７４４Ａ及び周辺突起７４４Ｂ〜７４４Ｅ並びに突起部材７５０ａ〜７５０ｆを有する保持シート７３４が貼り付けられている。
【０１５６】
なお、第７実施形態に係る入力装置７１０では、ドームスイッチ４８Ａ〜４８Ｅの同時押しを防止することのできる条件を説明するために、各突起７４４Ａ〜７４４Ｅ及び各突起部材７５０ａ〜７５０ｆ、並びに、各ドームスイッチ４８Ａ〜４８Ｅの形状がモデル化されている。具体的には、各突起７４４Ａ〜７４４Ｅ及び各突起部材７５０ｅ，７５０ｆとして、その太さが限りなく０に近い棒状体を想定しており、各突起部材７５０ａ〜７５０ｄとして、その厚みが限りなく０に近い板状体を想定している。また、各ドームスイッチ４８Ａ〜４８Ｅとして、その厚みが限りなく０に近いものを想定している。ただし、中央突起及び周辺突起がある程度の太さを有し、突起部材がある程度の厚みを有する実際の入力キーでは、通常、中央突起と周辺突起との平面視における直線距離と比較して、中央突起及び周辺突起の太さ及び突起部材の厚さが小さいので、実際の入力キーにおいてもモデル化された状態と同視できる。
【０１５７】
突起部材７５０ａは、中央突起７４４Ａの中心と周辺突起７４４Ｂの中心とを結ぶ直線に対して略垂直に交差している。突起部材７５０ｂは、中央突起７４４Ａの中心と周辺突起７４４Ｃの中心とを結ぶ直線に対して略垂直に交差している。突起部材７５０ｃは、中央突起７４４Ａの中心と周辺突起７４４Ｄの中心とを結ぶ直線に対して略垂直に交差している。突起部材７５０ｄは、中央突起７４４Ａの中心と周辺突起７４４Ｅの中心とを結ぶ直線に対して略垂直に交差している。突起部材７５０ｅは、周辺突起７４４Ｂと周辺突起７４４Ｅとを結ぶ線分の中間に位置している。突起部材７５０ｆは、周辺突起７４４Ｃと周辺突起７４４Ｄとを結ぶ線分の中間に位置している。なお、第７実施形態では、キートップ７３２が矩形状であり、突起部材７５０ａ〜７５０ｄがそれぞれキートップ７３２の縁近傍まで延在しているので、突起部材７５０ａ〜７５０ｄによって周辺ドームスイッチ４８Ｂ及び周辺ドームスイッチ４８Ｃの同時押し、並びに、周辺ドームスイッチ４８Ｄ及び周辺ドームスイッチ４８Ｅの同時押しが防止されている。
【０１５８】
以上のような入力装置７１０において、（Ａ）キートップ７３２の非押下時における、ドームスイッチ４８Ａ〜４８Ｅの同時押し防止の条件、（Ｂ）キートップ７３２の中央部７３２Ａの押下時におけるドームスイッチ４８Ａ〜４８Ｅの同時押し防止の条件、（Ｃ）キートップ７３２の各隅部７３２Ｂ〜７３２Ｅの押下時におけるドームスイッチ４８Ａ〜４８Ｅの同時押し防止の条件、（Ｄ）キートップ７３２の中央部７３２Ａと各隅部７３２Ｂ〜７３２Ｅとの中間位置の押下時におけるドームスイッチ４８Ａ〜４８Ｅの同時押し防止の条件、（Ｅ）キートップ７３２の隣り合う隅部同士の中間位置又はその近傍の押下時におけるドームスイッチ４８Ａ〜４８Ｅの同時押し防止の条件、について以下に述べる。
【０１５９】
［パラメータの定義］
まず、図２６、図２７、図２９、図３０、図３５及び図３８を参照して、各パラメータを以下のように定義する。
Ｋｖ１：中央突起７４４Ａと、突起部材７５０ｃの突起部材７５０ｆに近い側における端部から中央突起７４４Ａ及び突起部材７５０ｆを通る直線に向けて垂直に延びる直線と中央突起７４４Ａ及び突起部材７５０ｆを通る直線との交点との平面視における直線距離（第７実施形態においては、中央突起７４４Ａと、突起部材７５０ｂ及び突起部材７５０ｃの交差部分との平面視における直線距離）（図２６参照）
Ｋｖ２：突起部材７５０ｃの突起部材７５０ｆに近い側における端部から中央突起７４４Ａ及び突起部材７５０ｆを通る直線に向けて垂直に延びる直線と中央突起７４４Ａ及び突起部材７５０ｆを通る直線との交点と、突起部材７５０ｆとの平面視における直線距離（第７実施形態においては、突起部材７５０ｂ及び突起部材７５０ｃの交差部分と、突起部材７５０ｆとの平面視における直線距離）（図２６参照）
Ｋｖ３：中央突起７４４Ａ及び突起部材７５０ｅ，７５０ｆを通る直線（Ｄ−Ｄ線）において、突起部材７５０ｆとキートップ７３２の縁との平面視における直線距離（図２６参照）
Ｋｄ１：中央突起７４４Ａと突起部材７５０ｃとの平面視における直線距離（図２６、図２７参照）
Ｋｄ２：突起部材７５０ｃと周辺突起７４４Ｄとの平面視における直線距離（図２６、図２７参照）
Ｋｄ３：中央突起７４４Ａ及び対角に位置する周辺突起７４４Ｂ，７４４Ｄを通る直線（Ｃ−Ｃ線）において、周辺突起７４４Ｄとキートップ７３２の周辺突起７４４Ｄに近い側における縁との平面視における直線距離（図２６、図２７参照）
Ｋｄ４：中央突起７４４Ａ及び周辺突起７４４Ｄを通る直線において、中央突起７４４Ａとキートップ７３２の周辺突起７４４Ｄと遠い側における縁との平面視における直線距離（第７実施形態においては、Ｋｄ４＝Ｋｄ１＋Ｋｄ２＋Ｋｄ３）
Ｋｔ：キートップ７３２の非押下時における、キートップ７３２の上面と基板３６との直線距離（図２７参照）
Ｋｂ：キートップ７３２の非押下時における、保持シート７３４の下面と基板３６との直線距離（図２７参照）
【０１６０】
Ｐｃ：中央突起７４４Ａの長さ（図２７参照）
Ｐｓ：周辺突起７４４Ｂ〜７４４Ｅの長さ（図２７参照）
Ｒｃ：突起部材７５０ａ〜７５０ｄの長さ（図２７参照）
Ｒｓ：突起部材７５０ｆ，７５０ｅの長さ（図２７参照）
Ｄｃ：中央ドームスイッチ４８Ａの高さ（図２７参照）
Ｄｓ：周辺ドームスイッチ４８Ｂ〜４８Ｅの高さ（図２７参照）
Ｆｔ：フレーム２０の上面と基板３６との直線距離（図２７参照）
Ｆｂ：フレーム２０の下面と基板３６との直線距離（図２７参照）
Ｓｓ：保持シート７３４の厚さ（図２７参照）
【０１６１】
Ｔｃ：押圧された中央ドームスイッチ４８Ａが座屈（反転）を開始する時の、中央ドームスイッチ４８Ａの頂点と基板３６との直線距離（図２９参照）
Ｔｓ：押圧された周辺ドームスイッチ４８Ｂ〜４８Ｅが座屈（反転）を開始する時の、周辺ドームスイッチ４８Ｂ〜４８Ｅの頂点と基板３６との直線距離（図３０参照）
Ｌｃ：突起部材７５０ａ〜７５０ｄが基板３６に当接するまでキートップ７３２の中央部７３２Ａを押下した時の、中央ドームスイッチ４８Ａの頂点と基板３６との直線距離、すなわち、突起部材７５０ａ〜７５０ｄの長さ（Ｒｃ）と中央突起７４４Ａの長さ（Ｐｃ）との差（Ｒｃ−Ｐｃ）（図２９参照）
Ｌｓ：キートップ７３２の隅部７３２Ｄを押下した時の、周辺突起７４４Ｄの先端と基板３６との直線距離（図３０参照）
【０１６２】
Ｇｐｓ：突起部材７５０ａ〜７５０ｄが基板３６に当接するまでキートップ７３２の中央部７３２Ａを押下した時の、周辺突起７４４Ｂ〜７４４Ｅの先端と基板３６との直線距離、すなわち、突起部材７５０ａ〜７５０ｄの長さ（Ｒｃ）と周辺突起７４４Ｂ〜７４４Ｅの長さ（Ｐｓ）との差（Ｒｃ−Ｐｓ）（図２９参照）
Ｇｐｃ：周辺突起７４４Ｄの先端と基板３６との直線距離がＬｓとなるまでキートップ７３２の隅部７３２Ｄを押下した時の、中央突起７４４Ａの先端と基板３６との直線距離（図３０参照）
Ｇｒｓ：周辺突起７４４Ｄの先端と基板３６との直線距離がＬｓとなるまでキートップ７３２の隅部７３２Ｄを押下した時の、突起部材７５０ｆの先端と基板３６との直線距離（図３０参照）
Ｇｆ：周辺突起７４４Ｄの先端と基板３６との直線距離がＬｓとなるまでキートップ７３２の隅部７３２Ｄを押下した時の、フレーム２０の下面の高さと、保持シート７３４の上面のうち最も上方に位置する部分の高さとの差（図３０参照）
Ｇｓ：周辺突起７４４Ｄの先端と基板３６との直線距離がＬｓとなるまでキートップ７３２の隅部７３２Ｄを押下した時の、保持シート７３４の下面のうち最も下方に位置する部分と、基板３６との直線距離（図３０参照）
Ｇｒｃ：中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置を押下した時の、突起部材７５０ｃの先端と基板３６との直線距離（図３５参照）
Ｇｐｓｓ：突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を鉛直方向に押下した時の、周辺突起７４４Ｃ（７４４Ｄ）の先端と基板３６との直線距離（図３８参照）
Ｇｐｃｓ：突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を鉛直方向に押下した時の、中央突起７４４Ａの先端と基板３６との直線距離（図３８参照）
【０１６３】
θ：平面視における、中央突起７４４Ａ及び対角に位置する周辺突起７４４Ｂ，７４４Ｄを通る直線（Ｃ−Ｃ線）と、中央突起７４４Ａ及び周辺突起７４４Ｃ，７４４Ｅを通る直線とがなす角を２で割った値（第７実施形態においては、平面視における、中央突起７４４Ａ及び対角に位置する周辺突起７４４Ｂ，７４４Ｄを通る直線（Ｃ−Ｃ線）と、中央突起７４４Ａ及び突起部材７５０ｅ，７５０ｆを通る直線（Ｄ−Ｄ線）とがなす角）（図２６参照）
θ１：周辺突起７４４Ｄの先端と基板３６との直線距離がＬｓとなるまでキートップ７３２の隅部７３２Ｄを押下した時の、中央突起７４４Ａ及び対角に位置する周辺突起７４４Ｂ，７４４Ｄを通る直線（Ｃ−Ｃ線）での横断面における、保持シート７３４の下面と基板３６の表面とがなす角（図３０参照）
θ２：中央突起７４４Ａの先端が中央ドームスイッチ４８Ａに当接すると共に周辺突起７４４Ｄの先端が周辺ドームスイッチ４８Ｄ当接するまでキートップ７３２の中央部７３２Ａと隅部７３２Ｄとの中間位置を押下した時の、中央突起７４４Ａ及び対角に位置する周辺突起７４４Ｂ，７４４Ｄを通る直線（Ｃ−Ｃ線）での横断面における、保持シート７３４の下面と基板３６の表面とがなす角（図３５参照）
θ３：突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を鉛直方向に押下した時の、中央突起７４４Ａ及び突起部材７５０ｅ，７５０ｆを通る直線（Ｄ−Ｄ線）での横断面における、保持シート７３４の下面と基板３６の表面とがなす角（図３８参照）
【０１６４】
なお、キートップ７３２の中央部７３２Ａを押下したときに、中央ドームスイッチ４８Ａのみを押下し、周辺ドームスイッチ４８Ｂ〜４８Ｅを押下しないようにするため、周辺突起７４４Ｂ〜７４４Ｅよりも中央突起７４４Ａが長くなっている（すなわち、Ｐｃ＞Ｐｓとなっている）。
【０１６５】
［（Ａ）キートップ７３２の非押下時における、ドームスイッチ４８Ａ〜４８Ｅの同時押し防止の条件］
続いて、図２７及び図２８を参照して、キートップ７３２の非押下時における、ドームスイッチ４８Ａ〜４８Ｅの同時押し防止の条件について説明する。キートップ７３２の非押下時においてドームスイッチ４８Ａ〜４８Ｅの同時押しを防止するためには、下記の条件（Ｎ１）を満たす必要がある。
条件（Ｎ１）：キートップ７３２の非押下時に、中央突起７４４Ａが中央ドームスイッチ４８Ａを押し下げない長さとなっていること
【０１６６】
上記の条件（Ｎ１）を定式化すると、下記式（Ｎ１）となる。
Ｋｂ≧Ｐｃ＋Ｄｃ・・・（Ｎ１）
【０１６７】
上記式（Ｎ１）において、Ｐｃ＋Ｄｃは、中央突起７４４Ａの長さ（Ｐｃ）と中央ドームスイッチ４８Ａの高さ（Ｄｃ）との和を表している（図２７参照）。そのため、上記式（Ｎ１）は、キートップ７３２の非押下時における、保持シート７３４の下面と基板３６との直線距離（Ｋｂ）が、中央突起７４４Ａの長さ（Ｐｃ）と中央ドームスイッチ４８Ａの高さ（Ｄｃ）との和（Ｐｃ＋Ｄｃ）以上であることを表している。従って、上記式（Ｎ１）を満たせば、キートップ７３２の非押下時に、中央突起７４４Ａが中央ドームスイッチ４８Ａを押し下げないこととなる。
【０１６８】
なお、キートップ７３２の非押下時に、中央突起７４４Ａが中央ドームスイッチ４８Ａを僅かに押し下げる位置にキートップ７３２を配置することで、中央ドームスイッチ４８Ａの反発力によりキートップ７３２が安定した状態で支持されることになるので（図２８参照）、上記式（Ｎ１）の代わりに下記式（Ｎ１．１）を満たすようにしてもよい。
Ｋｂ＝Ｐｃ＋Ｄｃ−αｎ・・・（Ｎ１．１）
（ここで、αｎは、Ｄｃ−Ｔｃ≫αｎ＞０を満たす定数である。）
【０１６９】
［（Ｂ）キートップ７３２の中央部７３２Ａの押下時におけるドームスイッチ４８Ａ〜４８Ｅの同時押し防止の条件］
続いて、図２９を参照して、キートップ７３２の中央部７３２Ａの押下時におけるドームスイッチ４８Ａ〜４８Ｅの同時押し防止の条件について説明する。
【０１７０】
キートップ７３２の中央部７３２Ａの押下時において、中央ドームスイッチによる情報入力が確実に行われるようになると共に、ドームスイッチ４８Ａ〜４８Ｅの同時押しを防止するためには、下記の条件（Ｃ１），（Ｃ２）を満たす必要がある。
条件（Ｃ１）：キートップ７３２の中央部７３２Ａの押下時に、中央ドームスイッチ４８Ａが確実に座屈（反転）すること
条件（Ｃ２）：キートップ７３２の中央部７３２Ａの押下時に、周辺ドームスイッチ４８Ｂ〜４８Ｅが座屈（反転）しないこと
【０１７１】
上記の条件（Ｃ１）を定式化すると、下記式（Ｃ１）となる。
Ｔｃ−Ｌｃ≧αｃ×（Ｄｃ−Ｔｃ）・・・（Ｃ１）
（ここで、αｃは、０＜αｃ≦Ｔｃ／（Ｄｃ−Ｔｃ）を満たす定数であり、１／３〜１／２以上であると好ましく、大きな値であるほど好ましい。）
【０１７２】
上記式（Ｃ１）において、Ｔｃ−Ｌｃは、押圧された中央ドームスイッチ４８Ａが座屈（反転）を開始する時の中央ドームスイッチ４８Ａの頂点の高さと、突起部材７５０ａ〜７５０ｄが基板３６に当接するまでキートップ７３２の中央部７３２Ａを押下した時の中央ドームスイッチ４８Ａの頂点の高さとの差であり、座屈開始から、キートップ７３２の中央部７３２Ａが押下されて突起部材７５０ａ〜７５０ｄが基板３６に当接するまでにおける、中央ドームスイッチ４８Ａの頂点の高さの変化量（中央ドームスイッチ４８Ａの頂点が座屈開始の高さから更に下がる大きさ）を表している（図２９の（ｂ）参照）。また、上記式（Ｃ１）において、Ｄｃ−Ｔｃは、非押下状態における中央ドームスイッチ４８Ａの頂点の高さと、押圧された中央ドームスイッチ４８Ａが座屈（反転）を開始する時の中央ドームスイッチ４８Ａの頂点の高さとの差であり、非押下状態から座屈開始までにおける、中央ドームスイッチ４８Ａの頂点の高さの変化量を表している（図２９の（ｂ）参照）。そして、変化量Ｄｃ−Ｔｃはαｃによって重み付けされているので、上記式（Ｃ１）の右辺αｃ×（Ｄｃ−Ｔｃ）は０＜αｃ×（Ｄｃ−Ｔｃ）≦Ｔｃとなる。そのため、上記式（Ｃ１）は、左辺Ｔｃ−Ｌｃ（中央ドームスイッチ４８Ａの頂点が座屈開始の高さから更に下がる大きさ）が０よりも大きい値以上であること、すなわち、突起部材７５０ａ〜７５０ｄが基板３６に当接するまでキートップ７３２の中央部７３２Ａを押下した時の中央ドームスイッチ４８Ａの頂点位置が、押圧された中央ドームスイッチ４８Ａが座屈（反転）を開始する時の中央ドームスイッチ４８Ａの頂点位置よりも下方であること（中央ドームスイッチ４８Ａの頂点が座屈開始の高さよりも更に下がっていること）を表している。従って、上記式（Ｃ１）を満たせば、キートップ７３２の中央部７３２Ａの押下時に、中央ドームスイッチ４８Ａが確実に座屈（反転）することとなる。このとき特に、αｃが１／３〜１／２以上であると、左辺Ｔｃ−Ｌｃ（中央ドームスイッチ４８Ａの頂点が座屈開始の高さから更に下がる大きさ）が、非押下状態から座屈開始までにおける、中央ドームスイッチ４８Ａの頂点の高さの変化量の１／３〜１／２以上となるので、十分なマージンをもって中央ドームスイッチ４８Ａの頂点が座屈開始の高さよりも下がることとなる。
【０１７３】
また、上記の条件（Ｃ２）を定式化すると、下記式（Ｃ２）となる。
Ｇｐｓ≧Ｄｓ・・・（Ｃ２）
【０１７４】
上記式（Ｃ２）は、突起部材７５０ａ〜７５０ｄが基板３６に当接するまでキートップ７３２の中央部７３２Ａを押下した時の周辺突起７４４Ｂ〜７４４Ｅの先端位置が、非押下状態における周辺ドームスイッチ４８Ｂ〜４８Ｅの頂点位置と同じか、非押下状態における周辺ドームスイッチ４８Ｂ〜４８Ｅの頂点位置よりも上方であることを表している。従って、上記式（Ｃ２）を満たせば、キートップ７３２の中央部７３２Ａの押下時に、周辺突起７４４Ｂ〜７４４Ｅが周辺ドームスイッチ４８Ｂ〜４８Ｅを押し下げないので、周辺ドームスイッチ４８Ｂ〜４８Ｅが座屈（反転）しないこととなる。
【０１７５】
なお、上記の条件（Ｃ２）によれば、キートップ７３２の中央部７３２Ａの押下時に、周辺ドームスイッチ４８Ｂ〜４８Ｅが座屈（反転）しなければよいので、上記式（Ｃ２）の代わりに下記式（Ｃ２．１）を満たすようにしてもよい。
Ｇｐｓ＞Ｔｓ・・・（Ｃ２．１）
【０１７６】
上記式（Ｃ２．１）は、突起部材７５０ａ〜７５０ｄが基板３６に当接するまでキートップ７３２の中央部７３２Ａを押下した時の周辺突起７４４Ｂ〜７４４Ｅの先端位置が、周辺ドームスイッチ４８Ｂ〜４８Ｅが座屈を開始する時における周辺ドームスイッチ４８Ｂ〜４８Ｅの頂点位置よりも上方であることを表している。従って、上記式（Ｃ２．１）を満たすことによっても、キートップ７３２の中央部７３２Ａの押下時に、周辺ドームスイッチ４８Ｂ〜４８Ｅが座屈しないこととなる。なお、上記式（Ｃ２．１）は上記式（Ｃ２）よりも満足しやすい条件であるが、よりよいクリック感（操作感）を得ることを考慮すると上記式（Ｃ２）を満たす方が望ましいので、必要に迫られた場合に上記式（Ｃ２．１）を用いるのがよい。
【０１７７】
［（Ｃ）キートップ７３２の各隅部７３２Ｂ〜７３２Ｅの押下時におけるドームスイッチ４８Ａ〜４８Ｅの同時押し防止の条件］
続いて、図３０〜図３４を参照して、キートップ７３２の各隅部７３２Ｂ〜７３２Ｅの押下時におけるドームスイッチ４８Ａ〜４８Ｅの同時押し防止の条件について説明する。なお、以下では、キートップ７３２の隅部７３２Ｄの押下時におけるドームスイッチ４８Ａ，４８Ｄの同時押し防止の条件について説明するが、他の隅部７３２Ｂ，７３２Ｃ，７３２Ｅを押下したときも同様である。
【０１７８】
キートップ７３２の隅部７３２Ｄの押下時において、周辺ドームスイッチ４８Ｄによる情報入力が確実に行われるようになると共に、ドームスイッチ４８Ａ，４８Ｄの同時押しを防止するためには、下記の条件（Ｓ１）〜（Ｓ４）を満たす必要がある。
条件（Ｓ１）：キートップ７３２の隅部７３２Ｄの押下時に、周辺ドームスイッチ４８Ｄが確実に座屈（反転）すること
条件（Ｓ２）：周辺突起７４４Ｄの先端と基板３６との直線距離がＬｓとなるまでキートップ７３２の隅部７３２Ｄを押下した時に、中央ドームスイッチ４８Ａが座屈（反転）しないこと
条件（Ｓ３）：突起部材７５０ｆによって妨害されることなく、周辺突起７４４Ｄの先端と基板３６との直線距離がＬｓとなるまでキートップ７３２の隅部７３２Ｄを押下できること
条件（Ｓ４）：周辺突起７４４Ｄの先端と基板３６との直線距離がＬｓとなるまでキートップ７３２の隅部７３２Ｄを押下した時に、保持シート７３４がフレーム２０に接触せず、且つ、保持シート７３４が基板３６に接触しないこと
【０１７９】
上記の条件（Ｓ１）を定式化すると、下記式（Ｓ１）となる。
Ｔｓ−Ｌｓ≧αｓ×（Ｄｓ−Ｔｓ）・・・（Ｓ１）
（ここで、αｓは、０＜αｓ≦Ｔｓ／（Ｄｓ−Ｔｓ）を満たす定数であり、１／３〜１／２以上であると好ましく、大きな値であるほど好ましい。）
【０１８０】
上記式（Ｓ１）において、Ｔｓ−Ｌｓは、押圧された周辺ドームスイッチ４８Ｄが座屈（反転）を開始する時の周辺ドームスイッチ４８Ｄの頂点の高さと、周辺突起７４４Ｄの先端と基板３６との直線距離がＬｓとなるまでキートップ７３２の隅部７３２Ｄを押下した時の周辺ドームスイッチ４８Ｄの頂点の高さとの差であり、座屈開始から、キートップ７４４Ｄの隅部７３２Ｄが押下されて周辺突起７４４Ｄの先端と基板３６との直線距離がＬｓとなるまでにおける、周辺ドームスイッチ４８Ｄの頂点の高さの変化量（周辺ドームスイッチ４８Ｄの頂点が座屈開始の高さから更に下がる大きさ）を表している（図３０の（ｂ）参照）。また、上記式（Ｓ１）において、Ｄｓ−Ｔｓは、非押下状態における周辺ドームスイッチ４８Ｄの頂点の高さと、押圧された周辺ドームスイッチ４８Ｄが座屈（反転）を開始する時の周辺ドームスイッチ４８Ｄの頂点の高さとの差であり、非押下状態から座屈開始までにおける、周辺ドームスイッチ７４４Ｄの頂点の高さの変化量を表している（図３０の（ｂ）参照）。そして、変化量Ｄｓ−Ｔｓはαｓによって重み付けされているので、上記式（Ｓ１）の右辺αｓ×（Ｄｓ−Ｔｓ）は０＜αｓ×（Ｄｓ−Ｔｓ）≦Ｔｓとなる。そのため、上記式（Ｓ１）は、左辺Ｔｓ−Ｌｓ（周辺ドームスイッチ４８Ｄの頂点が座屈開始の高さから更に下がる大きさ）が０よりも大きい値以上であること、すなわち、周辺突起７４４Ｄの先端と基板３６との直線距離がＬｓとなるまでキートップ７３２の隅部７３２Ｄを押下した時の周辺ドームスイッチ４８Ｄの頂点位置が、押圧された周辺ドームスイッチ４８Ｄが座屈（反転）を開始する時の周辺ドームスイッチ４８Ｄの頂点位置よりも下方であること（周辺ドームスイッチ４８Ｄの頂点が座屈開始の高さよりも更に下がっていること）を表している。従って、上記式（Ｓ１）を満たせば、キートップ７３２の隅部７３２Ｄの押下時に、周辺ドームスイッチ４８Ｄが確実に座屈（反転）することとなる。このとき特に、αｓが１／３〜１／２以上であると、左辺Ｔｓ−Ｌｓ（周辺ドームスイッチ４８Ｄの頂点が座屈開始の高さから更に下がる大きさ）が、非押下状態から座屈開始までにおける、周辺ドームスイッチ４８Ｄの頂点の高さの変化量の１／３〜１／２以上となるので、十分なマージンをもって周辺ドームスイッチ４８Ｄの頂点が座屈開始の高さよりも下がることとなる。
【０１８１】
また、上記の条件（Ｓ２）を定式化すると、下記式（Ｓ２）となる。
Ｇｐｃ≧Ｄｓ・・・（Ｓ２）
【０１８２】
上記式（Ｓ２）は、周辺突起７４４Ｄの先端と基板３６との直線距離がＬｓとなるまでキートップ７３２の隅部７３２Ｄを押下した時の中央突起７４４Ａの先端位置が、非押下状態における中央ドームスイッチ４８Ａの頂点位置と同じであるか、又は、非押下状態における中央ドームスイッチ４８Ａの頂点位置よりも上方であることを表している。従って、上記式（Ｓ２）を満たせば、キートップ７３２の隅部７３２Ｄの押下時に、中央突起７４４Ａが中央ドームスイッチ４８Ａを押し下げないこととなる。
【０１８３】
なお、上記の条件（Ｓ２）によれば、周辺突起７４４Ｄの先端と基板３６との直線距離がＬｓとなるまでキートップ７３２の隅部７３２Ｄを押下した時に、中央ドームスイッチ４８Ａが座屈（反転）しなければよいので、上記式（Ｓ２）の代わりに下記式（Ｓ２．１）を満たすようにしてもよい。
Ｇｐｃ＞Ｔｃ・・・（Ｓ２．１）
【０１８４】
上記式（Ｓ２．１）は、周辺突起７４４Ｄの先端と基板３６との直線距離がＬｓとなるまでキートップ７３２の隅部７３２Ｄを押下した時の中央突起７４４Ａの先端位置が、中央ドームスイッチ４８Ａが座屈を開始する時における中央ドームスイッチ４８Ａの頂点位置よりも上方であることを表している。従って、上記式（Ｓ２．１）を満たすことによっても、周辺突起７４４Ｄの先端と基板３６との直線距離がＬｓとなるまでキートップ７３２の隅部７３２Ｄを押下した時に、中央ドームスイッチ４８Ａが座屈しないこととなる。なお、上記式（Ｓ２．１）は上記式（Ｓ２）よりも満足しやすい条件であるが、よりよいクリック感（操作感）を得ることを考慮すると上記式（Ｓ２）を満たす方が望ましいので、必要に迫られた場合に上記式（Ｓ２．１）を用いるのがよい。
【０１８５】
なお、上記式（Ｓ２）及び（Ｓ２．１）において、Ｇｐｃは下記式（Ｓ−ａ）にて求めることができる（図３１参照）。
Ｇｐｃ＝Ｒｃｃｏｓθ１＋Ｋｄ１ｓｉｎθ１−Ｐｃｃｏｓθ１・・・（Ｓ−ａ）
【０１８６】
上記式（Ｓ−ａ）において、Ｒｃｃｏｓθ１は、周辺突起７４４Ｄの先端と基板３６との直線距離がＬｓとなるまでキートップ７３２の隅部７３２Ｄを押下した時における、突起部材７５０ｃの基端の高さと突起部材７５０ｃの先端の高さとの差（突起部材７５０ｃの基端と基板３６との直線距離）を表している。また、上記式（Ｓ−ａ）において、Ｋｄ１ｓｉｎθ１は、周辺突起７４４Ｄの先端と基板３６との直線距離がＬｓとなるまでキートップ７３２の隅部７３２Ｄを押下した時における、中央突起７４４Ａの基端の高さと突起部材７５０ｃの基端の高さとの差を表している。また、上記式（Ｓ−ａ）において、Ｐｃｃｏｓθ１は、中央突起７４４Ａの基端の高さと中央突起７４４Ａの先端の高さとの差を表している。
【０１８７】
また、上記の条件（Ｓ３）を定式化すると、下記式（Ｓ３）となる。
Ｇｒｓ≧０・・・（Ｓ３）
【０１８８】
上記式（Ｓ３）は、周辺突起７４４Ｄの先端と基板３６との直線距離がＬｓとなるまでキートップ７３２の隅部７３２Ｄを押下した時の中央突起７４４Ａの先端位置が、基板３６と同じか、基板３６よりも上方であることを表している。従って、上記式（Ｓ３）を満たせば、キートップ７３２の隅部７３２Ｄの押下時に、突起部材７５０ｆによって妨害されることなく、周辺突起７４４Ｄの先端と基板３６との直線距離がＬｓとなるまでキートップ７３２の隅部７３２Ｄを押下できることとなる。
【０１８９】
なお、上記式（Ｓ３）において、Ｇｒｓは下記式（Ｓ−ｂ）にて求めることができる（図３２参照）。
Ｇｒｓ＝Ｒｃｃｏｓθ１−Ｋｖ２ｃｏｓθｓｉｎθ１−Ｒｓｃｏｓθ１・・・（Ｓ−ｂ）
【０１９０】
上記式（Ｓ−ｂ）において、Ｒｃｃｏｓθ１は、周辺突起７４４Ｄの先端と基板３６との直線距離がＬｓとなるまでキートップ７３２の隅部７３２Ｄを押下した時における、突起部材７５０ｃの基端の高さと突起部材７５０ｃの先端の高さとの差（突起部材７５０ｃの基端と基板３６との直線距離）を表している。また、上記式（Ｓ−ｂ）において、Ｋｖ２ｃｏｓθは、Ｃ−Ｃ線断面での突起部材７５０ｃと突起部材７５０ｆとの直線距離であり、Ｋｖ２ｃｏｓθｓｉｎθ１は、周辺突起７４４Ｄの先端と基板３６との直線距離がＬｓとなるまでキートップ７３２の隅部７３２Ｄを押下した時における、突起部材７５０ｃの基端の高さと突起部材７５０ｆの基端の高さとの差を表している。また、上記式（Ｓ−ｂ）において、Ｒｓｃｏｓθ１は、突起部材７５０ｆの基端の高さと突起部材７５０ｆの先端の高さとの差を表している。
【０１９１】
また、上記の条件（Ｓ４）を定式化すると、下記式（Ｓ４．１）及び（Ｓ４．２）となる。
Ｇｓ≧０・・・（Ｓ４．１）
Ｇｆ≧０・・・（Ｓ４．２）
【０１９２】
上記式（Ｓ４．１）は、周辺突起７４４Ｄの先端と基板３６との直線距離がＬｓとなるまでキートップ７３２の隅部７３２Ｄを押下した時の保持シート７３４の下面のうち最も下方に位置する部分の高さが、基板３６と同じか、基板３６よりも上方であることを表している。従って、上記式（Ｓ４．１）を満たせば、キートップ７３２の隅部７３２Ｄの押下時に、基板３６に接触した保持シート７３４によって妨害されることなく、周辺突起７４４Ｄの先端と基板３６との直線距離がＬｓとなるまでキートップ７３２の隅部７３２Ｄを押下できることとなる。また、上記式（Ｓ４．２）は、周辺突起７４４Ｄの先端と基板３６との直線距離がＬｓとなるまでキートップ７３２の隅部７３２Ｄを押下した時の保持シート７３４の上面のうち最も上方に位置する部分の高さが、フレーム２０の下面と同じか、フレーム２０の下面よりも下方であることを表している。従って、上記式（Ｓ４．２）を満たせば、キートップ７３２の隅部７３２Ｄの押下時に、フレーム２０に接触した保持シート７３４によって妨害されることなく、周辺突起７４４Ｄの先端と基板３６との直線距離がＬｓとなるまでキートップ７３２の隅部７３２Ｄを押下できることとなる。
【０１９３】
なお、上記式（Ｓ４．１）において、Ｇｓは下記式（Ｓ−ｃ）にて求めることができる（図３３参照）。
Ｇｓ＝Ｒｃｃｏｓθ１−（Ｋｄ２＋Ｋｄ３）ｓｉｎθ１・・・（Ｓ−ｃ）
【０１９４】
上記式（Ｓ−ｃ）において、Ｒｃｃｏｓθ１は、周辺突起７４４Ｄの先端と基板３６との直線距離がＬｓとなるまでキートップ７３２の隅部７３２Ｄを押下した時における、突起部材７５０ｃの基端の高さと突起部材７５０ｃの先端の高さとの差（突起部材７５０ｃの基端と基板３６との直線距離）を表している。また、上記式（Ｓ−ｃ）において、（Ｋｄ２＋Ｋｄ３）ｓｉｎθ１は、周辺突起７４４Ｄの先端と基板３６との直線距離がＬｓとなるまでキートップ７３２の隅部７３２Ｄを押下した時における、突起部材７５０ｃの基端の高さと保持シート７３４の下面のうち最も下方に位置する部分の高さとの差を表している。
【０１９５】
また、上記式（Ｓ４．２）において、Ｇｆは下記式（Ｓ−ｄ）にて求めることができる（図３３参照）。
Ｇｆ＝Ｆｂ−Ｒｃｃｏｓθ１−（Ｋｄ１＋Ｋｄ４）ｓｉｎθ１−Ｓｓ・・・（Ｓ−ｄ）
【０１９６】
上記式（Ｓ−ｄ）において、Ｒｃｃｏｓθ１は、周辺突起７４４Ｄの先端と基板３６との直線距離がＬｓとなるまでキートップ７３２の隅部７３２Ｄを押下した時における、突起部材７５０ｃの基端の高さと突起部材７５０ｃの先端の高さとの差（突起部材７５０ｃの基端と基板３６との直線距離）を表している。また、上記式（Ｓ−ｄ）において、（２Ｋｄ１＋Ｋｄ２＋Ｋｄ３）ｓｉｎθ１は、周辺突起７４４Ｄの先端と基板３６との直線距離がＬｓとなるまでキートップ７３２の隅部７３２Ｄを押下した時における、保持シート７３４の下面のうち最も上方に位置する部分の高さと突起部材７５０ｃの基端の高さとの差を表している。
【０１９７】
さらに、上記式（Ｓ−ａ）〜（Ｓ−ｄ）において、θ１は下記式（Ｓ−ｅ）にて求めることができる（図３４参照）。
Ｒｃｃｏｓθ１＝Ｋｄ２ｓｉｎθ１＋Ｐｓｃｏｓθ１＋Ｌｓ・・・（Ｓ−ｅ）
【０１９８】
上記式（Ｓ−ｅ）において、Ｒｃｃｏｓθ１は、周辺突起７４４Ｄの先端と基板３６との直線距離がＬｓとなるまでキートップ７３２の隅部７３２Ｄを押下した時における、突起部材７５０ｃの基端の高さと突起部材７５０ｃの先端の高さとの差（突起部材７５０ｃの基端と基板３６との直線距離）を表している。また、上記式（Ｓ−ｅ）において、Ｋｄ２ｓｉｎθ１は、周辺突起７４４Ｄの先端と基板３６との直線距離がＬｓとなるまでキートップ７３２の隅部７３２Ｄを押下した時における、突起部材７５０ｃの基端の高さと周辺突起７４４Ｄの基端の高さとの差を表している。また、上記式（Ｓ−ｅ）において、Ｐｓｃｏｓθ１は、突起部材７５０ｆの基端の高さと突起部材７５０ｆの先端の高さとの差を表している。
【０１９９】
［（Ｄ）キートップ７３２の中央部７３２Ａと各隅部７３２Ｂ〜７３２Ｅとの中間位置又はその近傍の押下時におけるドームスイッチ４８Ａ〜４８Ｅの同時押し防止の条件］
続いて、図３６〜図３７を参照して、キートップ７３２の中央部７３２Ａと各隅部７３２Ｂ〜７３２Ｅとの中間位置又はその近傍の押下時におけるドームスイッチ４８Ａ〜４８Ｅの同時押し防止の条件について説明する。なお、以下では、キートップ７３２の中央部７３２Ａと隅部７３２Ｄとの中間位置又はその近傍の押下時におけるドームスイッチ４８Ａ，４８Ｄの同時押し防止の条件について説明するが、中央部７３２Ａと他の隅部７３２Ｂ，７３２Ｃ，７３２Ｅとの中間位置又はその近傍を押下したときも同様である。
【０２００】
キートップ７３２の中央部７３２Ａと隅部７３２Ｄとの中間位置又はその近傍の押下時におけるドームスイッチ４８Ａ，４８Ｄの同時押しを防止するためには、下記の条件（ＭＣ１）を満たす必要がある。
条件（ＭＣ１）：中央突起７４４Ａの先端が中央ドームスイッチ４８Ａに当接すると共に周辺突起７４４Ｄの先端が周辺ドームスイッチ４８Ｄに当接した状態から更にキートップ７３２を押し下げても、どちらのドームスイッチ４８Ａ，４８Ｄも座屈（反転）しないこと
【０２０１】
上記の条件（ＭＣ１）を定式化すると、下記式（ＭＣ１）となる。
Ｇｒｃ≦０・・・（ＭＣ１）
【０２０２】
上記式（ＭＣ１）は、中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置又はその近傍を押下した時の突起部材７５０ｃの先端位置が基板３６と同じであるか、又は、中央突起７４４Ａの先端が中央ドームスイッチ４８Ａに当接すると共に周辺突起７４４Ｄの先端が周辺ドームスイッチ４８Ｄに当接する状態となる前に突起部材７５０ｃが基板３６に当接することを表している。従って、上記式（ＭＣ１）を満たせば、キートップ７３２の中央部７３２Ａと隅部７３２Ｄとの中間位置又はその近傍の押下時に、ドームスイッチ４８Ａ，４８Ｄの同時押しを防止できることとなる。
【０２０３】
なお、上記の条件（ＭＣ１）によれば、中央突起７４４Ａの先端が中央ドームスイッチ４８Ａに当接すると共に周辺突起７４４Ｄの先端が周辺ドームスイッチ４８Ｄに当接した状態から更にキートップ７３２を押し下げても、どちらのドームスイッチ４８Ａ，４８Ｄも座屈（反転）しなければよいので、上記式（ＭＣ１）の代わりに下記式（ＭＣ１．１）及び（ＭＣ１．２）を同時に満たすようにしてもよい。
Ｇｒｃ≦β×（Ｄｓ−Ｔｓ）・・・（ＭＣ１．１）
Ｇｒｃ≦β×（Ｄｃ−Ｔｃ）・・・（ＭＣ１．２）
（ここで、βは、０≦β＜１を満たす定数であり、１／３〜１／２以下であると好ましく、小さな値であるほど好ましい。）
【０２０４】
上記式（ＭＣ１．１）において、Ｄｓ−Ｔｓは、非押下状態における周辺ドームスイッチ４８Ｄの頂点の高さと、押圧された周辺ドームスイッチ４８Ｄが座屈（反転）を開始する時の周辺ドームスイッチ４８Ｄの頂点の高さとの差を表している。そのため、上記式（ＭＣ１．１）を満たせば、中央突起７４４Ａの先端が中央ドームスイッチ４８Ａに当接すると共に周辺突起７４４Ｄの先端が周辺ドームスイッチ４８Ｄに当接した状態から、キートップ７３２の中央部７３２Ａと隅部７３２Ｄとの中間位置又はその近傍を更に押下した場合でも、周辺ドームスイッチ４８ＤがＤｓ−Ｔｓの大きさ以上押し下げられることがなくなる。また、上記式（ＭＣ１．２）において、Ｄｃ−Ｔｃは、非押下状態における中央ドームスイッチ４８Ａの頂点の高さと、押圧された中央ドームスイッチ４８Ａが座屈（反転）を開始する時の中央ドームスイッチ４８Ａの頂点の高さとの差を表している。そのため、上記式（ＭＣ１．２）を満たせば、中央突起７４４Ａの先端が中央ドームスイッチ４８Ａに当接すると共に周辺突起７４４Ｄの先端が周辺ドームスイッチ４８Ｄに当接した状態から、キートップ７３２の中央部７３２Ａと隅部７３２Ｄとの中間位置又はその近傍を更に押下した場合でも、中央ドームスイッチ４８ＡがＤｃ−Ｔｃの大きさ以上押し下げられることがなくなる。従って、上記式（ＭＣ１．１）及び（ＭＣ１．２）を共に満たすことによっても、ドームスイッチ４８Ａ，４８Ｄの同時押しを防止できることとなる。なお、上記式（ＭＣ１．１）及び（ＭＣ１．２）は上記式（ＭＣ１）よりも満足しやすい条件であるが、よりよいクリック感（操作感）を得ることを考慮すると上記式（ＭＣ１）を満たす方が望ましいので、必要に迫られた場合に上記式（ＭＣ１．１）及び（ＭＣ１．２）を用いるのがよい。
【０２０５】
なお、上記式（ＭＣ１）、（ＭＣ１．１）及び（ＭＣ１．２）において、Ｇｒｃは下記式（ＭＣ−ａ）及び（ＭＣ−ｂ）にて求めることができる（図３６参照）。
Ｇｒｃ＝Ｄｃ＋Ｐｃｃｏｓθ２−Ｋｄ１ｓｉｎθ２−Ｒｃｃｏｓθ２・・・（ＭＣ−ａ）
Ｇｒｃ＝Ｄｓ＋Ｐｓｃｏｓθ２＋Ｋｄ２ｓｉｎθ２−Ｒｃｃｏｓθ２・・・（ＭＣ−ｂ）
【０２０６】
上記式（ＭＣ−ａ）において、Ｐｃｃｏｓθ２は、中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置又はその近傍を押下した時における、中央突起７４４Ａの基端の高さと中央突起７４４Ａの先端の高さとの差を表している。また、上記式（ＭＣ−ａ）において、Ｋｄ１ｓｉｎθ２は、中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置又はその近傍を押下した時における、中央突起７４４Ａの基端の高さと突起部材７５０ｃの基端の高さとの差を表している。また、上記式（ＭＣ−ａ）において、Ｒｃｃｏｓθ２は、中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置又はその近傍を押下した時における、突起部材７５０ｃの基端の高さと突起部材７５０ｃの先端の高さとの差を表している。
【０２０７】
また、上記式（ＭＣ−ｂ）において、Ｐｓｃｏｓθ２は、中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置又はその近傍を押下した時における、周辺突起７４４Ｄの基端の高さと周辺突起７４４Ｄの先端の高さとの差を表している。また、上記式（ＭＣ−ｂ）において、Ｋｄ２ｓｉｎθ２は、中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置又はその近傍を押下した時における、突起部材７５０ｃの基端の高さと周辺突起７４４Ｄの基端の高さとの差を表している。また、上記式（ＭＣ−ｂ）において、Ｒｃｃｏｓθ２は、中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置又はその近傍を押下した時における、突起部材７５０ｃの基端の高さと突起部材７５０ｃの先端の高さとの差を表している。
【０２０８】
また、上記式（ＭＣ−ａ），（ＭＣ−ｂ）において、θ２は下記式（ＭＣ−ｃ）にて求めることができる（図３７参照）
Ｄｃ＋Ｐｃｃｏｓθ２＝Ｄｓ＋Ｐｓｃｏｓθ２＋（Ｋｄ１＋Ｋｄ２）ｓｉｎθ２・・・（ＭＣ−ｃ）
【０２０９】
上記式（ＭＣ−ｃ）において、Ｐｃｃｏｓθ２は、中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置又はその近傍を押下した時における、中央突起７４４Ａの基端の高さと中央突起７４４Ａの先端の高さとの差を表している。また、上記式（ＭＣ−ｃ）において、Ｐｓｃｏｓθ２は、中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置又はその近傍を押下した時における、周辺突起７４４Ｄの基端の高さと周辺突起７４４Ｄの先端の高さとの差を表している。また、上記式（ＭＣ−ｃ）において、（Ｋｄ１＋Ｋｄ２）ｓｉｎθ２は、中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置又はその近傍を押下した時における、中央突起７４４Ａの基端の高さと周辺突起７４４Ｄの基端の高さとの差を表している。
【０２１０】
［（Ｅ）キートップ７３２の隣り合う隅部同士の中間位置又はその近傍の押下時におけるドームスイッチ４８Ａ〜４８Ｅの同時押し防止の条件］
続いて、図３９〜図４１を参照して、キートップ７３２の隣り合う隅部同士の中間位置又はその近傍の押下時におけるドームスイッチ４８Ａ〜４８Ｅの同時押し防止の条件について説明する。ここで、第７実施形態においては、キートップ７３２が矩形状であり、突起部材７５０ａ〜７５０ｄがそれぞれキートップ７３２の縁近傍まで延在しているので、突起部材７５０ａ，７５０ｂによってキートップ７３２の隣り合う隅部である隅部７３２Ｂと隅部７３２Ｃとの中間位置又はその近傍を押下した場合でも周辺ドームスイッチ４８Ｂ，４８Ｃの同時押しが防止されており、突起部材７５０ｃ，７５０ｄによってキートップ７３２の隣り合う隅部である隅部７３２Ｄと隅部７３２Ｅとの中間位置又はその近傍を押下した場合でも周辺ドームスイッチ４８Ｄ，４８Ｅの同時押しが防止されている。そのため、キートップ７３２の隣り合う隅部である隅部７３２Ｂと隅部７３２Ｃ、及び、隅部７３２Ｄと隅部７３２Ｅとの同時押し防止の条件についての説明は省略する。一方、キートップ７３２の隣り合う隅部である隅部７３２Ｃと隅部７３２Ｄ、及び、隅部７３２Ｂと隅部７３２Ｅとの中間位置又はその近傍を押下したときの条件は同じであるため、以下では、キートップ７３２の隅部７３２Ｃと隅部７３２Ｄと中間位置又はその近傍の押下時におけるドームスイッチ４８Ａ，４８Ｃ，４８Ｄの同時押し防止の条件について説明する。
【０２１１】
キートップ７３２の隅部７３２Ｃと隅部７３２Ｄとの中間位置又はその近傍の押下時においてドームスイッチ４８Ａ，４８Ｃ，４８Ｄの同時押しを防止するためには、下記の条件（ＭＳ１），（ＭＳ２）を満たす必要がある。
条件（ＭＳ１）：突起部材７５０ｂ，７５０ｃの一部が基板３６に当接すると共に突起部材７５０ｆが基板３６に当接するまでキートップ７３２の隅部７３２Ｃと隅部７３２Ｄとの中間位置又はその近傍を押下した時に、どちらのドームスイッチ４８Ｃ，４８Ｄも座屈（反転）しないこと
条件（ＭＳ２）：突起部材７５０ｂ，７５０ｃの一部が基板３６に当接すると共に突起部材７５０ｆが基板３６に当接するまでキートップ７３２の隅部７３２Ｃと隅部７３２Ｄとの中間位置又はその近傍を押下した時に、中央突起７４４Ａによって中央ドームスイッチ４８Ａが座屈（反転）しないこと
【０２１２】
上記の条件（ＭＳ１）を定式化すると、下記式（ＭＳ１）となる。
Ｇｐｓｓ≧Ｄｓ・・・（ＭＳ１）
【０２１３】
上記式（ＭＳ１）は、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を鉛直方向に押下した時の周辺突起７４４Ｃ（７４４Ｄ）の先端位置が、非押下状態における周辺ドームスイッチ４８Ｃ（４８Ｄ）の頂点位置と同じであるか、又は、非押下状態における周辺ドームスイッチ４８Ｃ（４８Ｄ）の頂点位置よりも上方であることを表している。ところで、キートップ７３２の隅部７３２Ｃと隅部７３２Ｄとの中間位置を鉛直方向に押下した時には、周辺突起７４４Ｃの先端と周辺突起７４４Ｄの先端とは同じ高さであり、周辺突起７４４Ｃ，７４４Ｄの先端が最も下方に位置した状態となっている。一方、キートップ７３２の隅部７３２Ｃと隅部７３２Ｄとの中間位置の近傍を押下した時には、周辺突起７４４Ｃの先端の高さよりも周辺突起７４４Ｄの先端の高さが低い又は高い状態、すなわち、周辺突起７４４Ｃ，７４４Ｄの一方がドームスイッチに近づき、周辺突起７４４Ｃ，７４４Ｄの他方がドームスイッチから離れた状態となる。従って、上記式（ＭＳ１）を満たせば、キートップ７３２の隅部７３２Ｃと隅部７３２Ｄとの中間位置又はその近傍の押下時に、周辺ドームスイッチ４８Ｃ，４８Ｄの同時押しを防止できることとなる。
【０２１４】
なお、上記の条件（ＭＳ１）によれば、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置又はその近傍を押下した時に、どちらのドームスイッチ４８Ｃ，４８Ｄも座屈（反転）しなければよいので、上記式（ＭＳ１）の代わりに下記式（ＭＳ１．１）を満たすようにしてもよい。
Ｄｓ−Ｇｐｓｓ≦γ×（Ｄｓ−Ｔｓ）・・・（ＭＳ１．１）
（ここで、γは、０≦γ＜１を満たす定数であり、１／３〜１／２以下であると好ましく、小さな値であるほど好ましい。）
【０２１５】
上記式（ＭＳ１．１）において、Ｄｓ−Ｇｐｓｓは、非押下状態における周辺ドームスイッチ４８Ｃ（４８Ｄ）の頂点の高さと、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を鉛直方向に押下した時における、周辺突起７４４Ｃ（７４４Ｄ）の先端の高さとの差を表している。また、上記式（ＭＳ１．１）において、Ｄｓ−Ｔｓは、非押下状態における周辺ドームスイッチ４８Ｃ（４８Ｄ）の頂点の高さと、押圧された周辺ドームスイッチ４８Ｃ（４８Ｄ）が座屈（反転）を開始する時の周辺ドームスイッチ４８Ｃ（４８Ｄ）の頂点の高さとの差を表している。そのため、上記式（ＭＳ１．１）を満たせば、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を鉛直方向に押下した時に、周辺ドームスイッチ４８Ｃ（４８Ｄ）がＤｓ−Ｔｓの大きさ以上押し下げられることがなくなる。従って、上記式（ＭＳ１．１）を満たすことによっても、キートップ７３２の隅部７３２Ｃと隅部７３２Ｄとの中間位置又はその近傍の押下時に、ドームスイッチ４８Ｃ，４８Ｄの同時押しを防止できることとなる。なお、上記式（ＭＳ１．１）は上記式（ＭＳ１）よりも満足しやすい条件であるが、よりよいクリック感（操作感）を得ることを考慮すると上記式（ＭＳ１）を満たす方が望ましいので、必要に迫られた場合に上記式（ＭＳ１．１）を用いるのがよい。
【０２１６】
なお、上記式（ＭＳ１）及び（ＭＳ１．１）において、Ｇｐｓｓは下記式（ＭＳ−ａ）にて求めることができる（図３９参照）。
Ｇｐｓｓ＝Ｒｓｃｏｓθ３−Ｐｓｃｏｓθ３・・・（ＭＳ−ａ）
【０２１７】
上記式（ＭＳ−ａ）において、Ｒｓｃｏｓθ３は、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を押下した時における、突起部材７５０ｆの基端の高さと突起部材７５０ｆの先端の高さとの差を表している。また、上記式（ＭＳ−ａ）において、Ｐｓｃｏｓθ３は、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を押下した時における、周辺突起７４４Ｃ（７４４Ｄ）の基端の高さと周辺突起７４４Ｃ（７４４Ｄ）の先端の高さとの差を表している。
【０２１８】
また、上記の条件（ＭＳ２）を定式化すると、下記式（ＭＳ２）となる。
Ｇｐｃｓ≧Ｄｃ・・・（ＭＳ２）
【０２１９】
上記式（ＭＳ２）は、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を鉛直方向に押下した時の中央突起７４４Ａの先端位置が、非押下状態における中央ドームスイッチ４８Ａの頂点位置と同じか、又は、非押下状態における中央ドームスイッチ４８Ａの頂点位置よりも上方であることを表している。ところで、このとき突起部材７５０ｂ，７５０ｃの一部が基板３６に当接していると共に突起部材７５０ｆが基板３６に当接しているので、キートップ７３２の隅部７３２Ｃと隅部７３２Ｄとの中間位置の近傍を押下した場合でも、中央突起７４４Ａの先端と基板３６との直線距離であるＧｐｃｓはキートップ７３２の隅部７３２Ｃと隅部７３２Ｄとの中間位置を鉛直方向に押下した場合と変わらない。従って、上記式（ＭＳ２）を満たせば、キートップ７３２の隅部７３２Ｃと隅部７３２Ｄとの中間位置又はその近傍の押下時に、中央突起７４４Ａが中央ドームスイッチ４８Ａを押し下げないこととなる。
【０２２０】
なお、上記の条件（ＭＳ２）によれば、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置又はその近傍を押下した時に、中央突起７４４Ａによって中央ドームスイッチ４８Ａが座屈（反転）しなければよいので、上記式（ＭＳ２）の代わりに下記式（ＭＳ２．１）を満たすようにしてもよい。
Ｄｃ−Ｇｐｃｓ≦δ×（Ｄｃ−Ｔｃ）・・・（ＭＳ２．１）
（ここで、δは、０≦δ＜１を満たす定数であり、１／３〜１／２以下であると好ましく、小さな値であるほど好ましい。）
【０２２１】
上記式（ＭＳ２．１）において、Ｄｃ−Ｇｐｃｓは、非押下状態における中央ドームスイッチ４８Ａの頂点の高さと、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を鉛直方向に押下した時における中央突起７４４Ａの先端の高さとの差を表している。また、上記式（ＭＳ２．１）において、Ｄｃ−Ｔｃは、非押下状態における中央ドームスイッチ４８Ａの頂点の高さと、押圧された中央ドームスイッチ４８Ａが座屈（反転）を開始する時の中央ドームスイッチ４８Ａの頂点の高さとの差を表している。そのため、上記式（ＭＣ２．１）を満たせば、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を鉛直方向に押下した場合でも、中央ドームスイッチ４８ＡがＤｃ−Ｔｃの大きさ以上押し下げられることがなくなる。従って、上記式（ＭＳ２．１）を満たすことによっても、キートップ７３２の隅部７３２Ｃと隅部７３２Ｄとの中間位置又はその近傍の押下時に、中央突起７４４Ａが中央ドームスイッチ４８Ａを押し下げないこととなる。なお、上記式（ＭＳ２．１）は上記式（ＭＳ２）よりも満足しやすい条件であるが、よりよいクリック感（操作感）を得ることを考慮すると上記式（ＭＳ２）を満たす方が望ましいので、必要に迫られた場合に上記式（ＭＳ２．１）を用いるのがよい。
【０２２２】
なお、上記式（ＭＳ２）及び（ＭＳ２．１）において、Ｇｐｃｓは下記式（ＭＳ−ｂ）にて求めることができる（図４０参照）。
Ｇｐｃｓ＝Ｒｃｃｏｓθ３＋Ｋｖ１ｓｉｎθ３−Ｐｃｃｏｓθ３・・・（ＭＳ−ｂ）
【０２２３】
上記式（ＭＳ−ｂ）において、Ｒｃｃｏｓθ３は、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を押下した時における、突起部材７５０ｃの基端の高さと突起部材７５０ｃの先端の高さとの差を表している。また、上記式（ＭＳ−ｂ）において、Ｋｖ１ｓｉｎθ３は、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を押下した時における、中央突起７４４Ａの基端の高さと突起部材７５０ｃの基端の高さとの差を表している。また、上記式（ＭＳ−ｂ）において、Ｐｃｃｏｓθ３は、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を押下した時における、中央突起７４４Ａの基端の高さと中央突起７４４Ａの先端の高さとの差を表している。
【０２２４】
また、上記式（ＭＳ−ａ）及び（ＭＳ−ｂ）において、θ３は下記式（ＭＳ−ｃ）にて求めることができる（図４１参照）。
Ｒｃｃｏｓθ３＝Ｋｖ２ｓｉｎθ３＋Ｒｓｃｏｓθ３・・・（ＭＳ−ｃ）
【０２２５】
上記式（ＭＳ−ｃ）において、Ｒｃｃｏｓθ３は、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を押下した時における、突起部材７５０ｃの基端の高さと突起部材７５０ｃの先端の高さとの差を表している。また、上記式（ＭＳ−ｃ）において、Ｐｓｃｏｓθ３は、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を押下した時における、周辺突起７４４Ｃ（７４４Ｄ）の基端の高さと周辺突起７４４Ｃ（７４４Ｄ）の先端の高さとの差を表している。また、上記式（ＭＳ−ｃ）において、Ｋｖ２ｓｉｎθ３は、突起部材７５０ｂ，７５０ｃの一部が基板３６に当接すると共に突起部材７５０ｆが基板３６に当接するまでキートップ７３２の隅部７３２Ｃと隅部７３２Ｄとの中間位置を押下した時における、突起部材７５０ｃの基端の高さと周辺突起７４４Ｃ（７４４Ｄ）の基端の高さとの差を表している。
【０２２６】
［入力キーの設計方法］
続いて、上述した条件及び式に基づいて、ドームスイッチ４８Ａ〜４８Ｅの同時押しの防止を実現できる入力キー７３０の設計方法について説明する。
【０２２７】
まず、キートップ７３２の大きさを決める。キートップ７３２の大きさは、操作性、キートップ７３２が実装される入力装置７１０の大きさ（入力装置７１０においてキートップ７３２を配置することができる間隔）、キートップ７３２の下方に配置されるドームスイッチ４８Ａ〜４８Ｅの大きさ、ドームスイッチ４８Ａ〜４８Ｅを配置するために必要なドームスイッチ４８Ａ〜４８Ｅ同士の間隔等によって、自然に又は半強制的に決定されるものであるので、中央突起７４４Ａ及び対角に位置する周辺突起７４４Ｂ，７４４Ｄを通る直線（Ｃ−Ｃ線）におけるキートップ７３２の幅である２×（Ｋｄ１＋Ｋｄ２＋Ｋｄ３）、中央突起７４４Ａ及び突起部材７５０ｅ，７５０ｆを通る直線（Ｄ−Ｄ線）におけるキートップ７３２の幅である２×（Ｋｖ１＋Ｋｖ２＋Ｋｖ３）及びパラメータθは自然に決まることとなる。また、ドームスイッチ４８Ａ〜４８Ｅの大きさや特性によって、パラメータＤｃ，Ｄｓ，Ｔｃ，Ｔｓは自然に決まることとなる。
【０２２８】
ここで、キートップ７３２の大きさを決める際にドームスイッチ４８Ａ〜４８Ｅの配置が決められるので、中央突起７４４Ａ及び周辺突起７４４Ｂ〜７４４Ｅの配置もそれに伴い決められる。そのため、パラメータＫｖ３，Ｋｄ３も自然に決まることとなる。
【０２２９】
続いて、残りのパラメータを決定する。まず、パラメータＲｃ，Ｐｓ，Ｋｄ２，Ｌｓを仮に決め、上記式（Ｓ−ｅ）からパラメータθ１を決定する。また、Ｋｄ２を仮に決めたことによりＫｄ１も決められるので、Ｐｃを更に仮に決めて、上記式（ＭＣ−ｃ）からパラメータθ２を決定する。ここで、突起部材７５０ｃは中央突起７４４Ａの中心と周辺突起７４４Ｄの中心とを結ぶ直線に対して略垂直に交差しているので、Ｋｄ１＝Ｋｖ１ｃｏｓθからパラメータＫｖ１を決定でき、（Ｋｖ１＋Ｋｖ２＋Ｋｖ３）の大きさが決定されているので、パラメータＫｖ２を決定できる。このとき、上記式（Ｓ３）及び上記式（Ｓ−ｂ）を満たすようにパラメータＲｓを仮に決めることで、上記式（ＭＳ−ｃ）からパラメータθ３を決定する。
【０２３０】
続いて、このようにして仮に決められたパラメータＫｖ１，Ｋｖ２，Ｋｄ１，Ｋｄ２，Ｐｃ，Ｐｓ，Ｒｃ，Ｒｓ，Ｌｓ，θ１，θ２，θ３が上記式を全て満たすか否かを判断する。そして、上記式を全て満たしていると判断された場合には、仮に決められたパラメータＫｖ１，Ｋｖ２，Ｋｄ１，Ｋｄ２，Ｐｃ，Ｐｓ，Ｒｃ，Ｒｓ，Ｌｓ，θ１，θ２，θ３が確定される。一方、上記式のうち満たしていない式があると判断された場合には、再び上記の手順に従って、上記式を全て満たすまでパラメータＫｖ１，Ｋｖ２，Ｋｄ１，Ｋｄ２，Ｐｃ，Ｐｓ，Ｒｃ，Ｒｓ，Ｌｓ，θ１，θ２，θ３を調整する。
【０２３１】
以上のように、第７実施形態においては、中央突起７４４Ａと周辺突起７４４Ｂ〜７４４Ｅとの間に突起部材７５０ａ〜７５０ｄがそれぞれ配設されており、周辺突起７４４Ｂと周辺突起７４４Ｅとの間に突起部材７５０ｅが配設されており、周辺突起４４Ｃと周辺突起４４Ｄとの間に突起部材７５０ｆが配設されている。そして、中央突起７４４Ａ、周辺突起７４４Ｂ〜７４４Ｅ、突起部材７５０ａ〜７５０ｆ、ドームスイッチ４８Ａ〜４８Ｅ等が上記式を満たすように構成されている。そのため、これらの突起部材７５０ａ〜７５０ｆによって、中央ドームスイッチ４８Ａと各周辺ドームスイッチ４８Ｂ〜４８Ｅとの同時押し、周辺ドームスイッチ４８Ｂと周辺ドームスイッチ４８Ｅとの同時押し及び周辺ドームスイッチ４８Ｃと周辺ドームスイッチ４８Ｄとの間の同時押しが防止されるようになる。その結果、押下操作されたドームスイッチのみが押下されるようになり、所望の文字等の情報を正確に入力することが可能となる。特に、第７実施形態においては、中央突起７４４Ａ、周辺突起７４４Ｂ〜７４４Ｅ、突起部材７５０ａ〜７５０ｆ、ドームスイッチ４８Ａ〜４８Ｅ等が上記式を満たすように構成されているので、携帯端末における入力装置の入力キーのように、入力キーが指に対して小さく、様々な場所が押下される可能性がある場合であっても、確実に同時押しを防止することができるようになっている。
【０２３２】
以上、本発明の好適な実施形態について詳細に説明したが、本発明は上記した実施形態に限定されるものではない。例えば、第１〜第３実施形態ではキートップ３２，２３２，３３２の裏面に突条４０ａ〜４０ｆが形成され、基板３６上に突起部材５０ａ〜５０ｆ，２５０ａ〜２５０ｆが突設されていたが、キートップ３２，２３２，３３２の裏面に突起部材５０ａ〜５０ｆ，２５０ａ〜２５０ｆが形成され、基板３６上に突条４０ａ〜４０ｆを突設してもよい。同様に、第６実施形態では基板３６上に突起部材群６５０ａ〜６５０ｆをそれぞれ構成する突起部材６５２ａ〜６５２ｆ，６５４ａ〜６５４ｆが突設されていたが、キートップ６３２の裏面に突起部材群６５０ａ〜６５０ｆをそれぞれ構成する突起部材６５２ａ〜６５２ｆ，６５４ａ〜６５４ｆを形成してもよい。また、同様に、第７実施形態ではキートップ７３２の裏面側に突起部材７５０ａ〜７５０ｆが突設されていたが、基板３６上に突起部材７５０ａ〜７５０ｆを突設してもよい。また、突起部材７５０ａ〜７５０ｆのうちいくつかの突起部材をキートップ７３２の裏面側に突設し、残りの突起部材を基板３６上に突設するようにしてもよい。
【０２３３】
なお、基板３６上に突起部材７５０ａ〜７５０ｆが突設されている場合には、第７実施形態において定義したパラメータＬｃ，Ｇｐｓ，Ｇｒｓ，Ｇｒｃ，Ｇｐｓｓ，Ｇｐｃｓ，θ３の代わりに、パラメータＬｃ’，Ｇｐｓ’，Ｇｒｓ’，Ｇｒｃ’，Ｇｐｓｓ’，Ｇｐｃｓ’，θ３’が以下のように定義される。
Ｌｃ’：突起部材７５０ａ〜７５０ｄの先端が保持シート７３４の下面に当接するまでキートップ７３２の中央部７３２Ａを押下した時の、中央ドームスイッチ４８Ａの頂点と基板３６との直線距離、すなわち、突起部材７５０ａ〜７５０ｄの長さ（Ｒｃ）と中央突起７４４Ａの長さ（Ｐｃ）との差（Ｒｃ−Ｐｃ）
Ｇｐｓ’：保持シート７３４が突起部材７５０ａ〜７５０ｄの先端に当接するまでキートップ７３２の中央部７３２Ａを押下した時の、周辺突起７４４Ｂ〜７４４Ｅの先端と基板３６との直線距離、すなわち、突起部材７５０ａ〜７５０ｄの長さ（Ｒｃ）と周辺突起７４４Ｂ〜７４４Ｅの長さ（Ｐｓ）との差（Ｒｃ−Ｐｓ）
Ｇｒｓ’：周辺突起７４４Ｄの先端と基板３６との直線距離がＬｓとなるまでキートップ７３２の隅部７３２Ｄを押下した時の、突起部材７５０ｆの先端と保持シート７３４の下面との鉛直方向における離間距離
Ｇｒｃ’：中央突起７４４Ａの先端が中央ドームスイッチ４８Ａに当接すると共に周辺突起７４４Ｄの先端が周辺ドームスイッチ４８Ｄに当接するまでキートップ７３２の中央部７３２Ａと隅部７３２Ｄとの中間位置を押下した時の、突起部材７５０ｃの先端と保持シート７３４の下面との鉛直方向における離間距離
Ｇｐｓｓ’：突起部材７５０ｂ，７５０ｃの先端の一部が保持シート７３４の下面に当接すると共に突起部材７５０ｆの先端が保持シート７３４の下面に当接するまでキートップ７３２の隅部７３２Ｃと隅部７３２Ｄとの中間位置を鉛直方向に押下した時の、周辺突起７４４Ｃ（７４４Ｄ）の先端と基板３６との直線距離
Ｇｐｃｓ’：突起部材７５０ｂ，７５０ｃの先端の一部が保持シート７３４の下面に当接すると共に突起部材７５０ｆの先端が保持シート７３４の下面に当接するまでキートップ７３２の隅部７３２Ｃと隅部７３２Ｄとの中間位置を鉛直方向に押下した時の、中央突起７４４Ａの先端と基板３６との直線距離
θ３’：突起部材７５０ｂ，７５０ｃの先端の一部が保持シート７３４の下面に当接すると共に突起部材７５０ｆの先端が保持シート７３４の下面に当接するまでキートップ７３２の隅部７３２Ｃと隅部７３２Ｄとの中間位置を鉛直方向に押下した時の、中央突起７４４Ａ及び突起部材７５０ｅ，７５０ｆを通る直線（Ｄ−Ｄ線）での横断面における、保持シート７３４の下面と基板３６の表面とがなす角（図３８参照）
【０２３４】
同様に、基板３６上に突起部材７５０ａ〜７５０ｆが突設されている場合には、上記式（Ｃ２），（Ｃ２．１），（Ｓ−ａ），（Ｓ３），（Ｓ−ｂ）〜（Ｓ−ｅ），（ＭＣ１），（ＭＣ−ａ），（ＭＣ−ｂ），（ＭＳ１），（ＭＳ１．１），（ＭＳ−ａ），（ＭＳ２），（ＭＳ２．１），（ＭＳ−ｂ），（ＭＳ−ｃ）の代わりに、下記式（Ｃ２’），（Ｃ２．１’），（Ｓ−ａ’），（Ｓ３），（Ｓ−ｂ’）〜（Ｓ−ｅ’），（ＭＣ１’），（ＭＣ−ａ’），（ＭＣ−ｂ’），（ＭＳ１’），（ＭＳ１．１’），（ＭＳ−ａ’），（ＭＳ２’），（ＭＳ２．１’），（ＭＳ−ｂ’），（ＭＳ−ｃ’）が用いられる。
Ｇｐｓ’≧Ｄｓ・・・（Ｃ２’）
Ｇｐｓ’≧Ｔｓ・・・（Ｃ２．１’）
Ｇｐｃ＝Ｒｃ＋Ｋｄ１ｓｉｎθ１−Ｐｃｃｏｓθ１・・・（Ｓ−ａ’）
Ｇｒｓ’≧０・・・（Ｓ３）
Ｇｒｓ’＝Ｒｃ−Ｒｓ・・・（Ｓ−ｂ’）
Ｇｓ＝Ｒｃ−（Ｋｄ２＋Ｋｄ３）ｓｉｎθ１・・・（Ｓ−ｃ’）
Ｇｆ＝Ｆｂ−Ｒｃ−（Ｋｄ１＋Ｋｄ４）ｓｉｎθ１−Ｓｓ・・・（Ｓ−ｄ’）
Ｒｃ＝Ｋｄ２ｓｉｎθ１＋Ｐｓｃｏｓθ１＋Ｌｓ・・・（Ｓ−ｅ’）
Ｇｒｃ’≦０・・・（ＭＣ１’）
Ｇｒｃ’＝Ｄｃ＋Ｐｃｃｏｓθ２−Ｋｄ１ｓｉｎθ２−Ｒｃ・・・（ＭＣ−ａ’）
Ｇｒｃ’＝Ｄｓ＋Ｐｓｃｏｓθ２＋Ｋｄ２ｓｉｎθ２−Ｒｃ・・・（ＭＣ−ｂ’）
Ｇｐｓｓ’≧Ｄｓ・・・（ＭＳ１’）
Ｄｓ−Ｇｐｓｓ’≦γ×（Ｄｓ−Ｔｓ）・・・（ＭＳ１．１’）
Ｇｐｓｓ’＝Ｒｓ−Ｐｓｃｏｓθ３’・・・（ＭＳ−ａ’）
Ｇｐｃｓ’≧Ｄｃ・・・（ＭＳ２’）
Ｄｃ−Ｇｐｃｓ’≦δ×（Ｄｃ−Ｔｃ）・・・（ＭＳ２．１’）
Ｇｐｃｓ’＝Ｒｃ＋Ｋｖ１ｓｉｎθ３’−Ｐｃｃｏｓθ３’・・・（ＭＳ−ｂ’）
Ｒｃ＝Ｋｖ２ｓｉｎθ３’＋Ｒｓ・・・（ＭＳ−ｃ’）
【０２３５】
また、第７実施形態ではドームスイッチを用いていたが、ドームスイッチの代わりにエンボス構造を有するスイッチを用いるようにしてもよく、この場合でも、上記式を満たすように入力キーを設計することで、スイッチの同時押しを防止することが可能となる。
【０２３６】
また、第１〜第３実施形態において、基板３６の表面に沿う方向へのキートップ３２，２３２，３３２の位置ずれをより抑制するため、図４２及び図４３に示されるように、突起部材５０ａ〜５０ｄの高さを高くするとともに、キートップ３２に溝部を形成して、突起部材５０ａ〜５０ｄがその溝部に入り込む構成にしてもよい。例えば、図２７に示すように、キートップ３２の隅部３２Ｅ（突起３８Ｅ）を押下した場合、その対向する側の突条４０ｄは持ち上がる。この突条４０ｄが持ち上がった状態でも突起部材５０ｂが突条４０ｄに接する位置関係になるように、突起部材５０ａ〜５０ｄの高さが規定されるようにしてもよい。このような位置関係になるように突起部材５０ａ〜５０ｄおよびキートップの溝部を構成することにより、位置ずれを確実に抑制しようとするものである。
【０２３７】
また、逆に、突条４０ａ〜４０ｆ（少なくともその外側面４２ａ〜４２ｆ）の高低差（キートップからの高さ）を長くするとともに、基板３６に溝部を形成して、突条４０ａ〜４０ｆがその溝部に入り込むようにしても良い。すなわち、上述と同様に、キートップ３２の隅部３２Ｅ（突起３８Ｅ）を押下した場合、その対向する側の突条４０ｄは持ち上がる。この突条４０ｄが持ち上がった状態でも突起部材５０ｂが突条４０ｄに接する位置関係になるように、突条４０ａ〜４０ｆの高さが規定されるようにしてもよい。このような位置関係に突条４０ａ〜４０ｆおよび基板３８の溝部を構成することにより、位置ずれを確実に抑制しようとするものである。
【０２３８】
また、第４〜第６実施形態では、保持シート４３４，５３４，６３４がキートップ４３２，５３２，６３２の各隅部３８Ｂ〜３８Ｅを引っ張る力を小さくするため、保持シート４３４，５３４，６３４に開口４４６，５４６，６４６を形成したが、これに限られない。例えば、保持シート４３４，５３４，６３４における開口４４６，５４６，６４６に対応する部分で、キートップ４３２，５３２，６３２と保持シート４３４，５３４，６３４とを接着しないようにしてもよい。また、保持シート４３４，５３４，６３４における開口４４６，５４６，６４６に対応する部分の厚みを、他の部分よりも薄くするようにしてもよい。
【０２３９】
また、第１〜第７実施形態ではキートップ３２，２３２，３３２，４３２，５３２，６３２の側面とフレーム２０の側面との摩擦抵抗を低減するための複数の突条２４をフレーム２０の開口部２２の各隅における側面に設けていたが、これらの突条２４をキートップ３２，２３２，３３２，４３２，５３２，６３２の側面に設けてもよい。
【０２４０】
また、第１〜第７実施形態では本発明を携帯電話機１に適用したが、文字等の情報の入力が行える他の電子機器等に適用することができる。
【０２４１】
また、第７実施形態において、突起部材７５０ｅは、周辺突起７４４Ｂと周辺突起７４４Ｅとを結ぶ線分の中間に位置していたが、周辺突起７４４Ｂと周辺突起７４４Ｅとから等距離となっていれば、当該線分上に位置していなくてもよい。ただし、同時押し防止をより安定に実現するためには、突起部材７５０ｅが、当該線分上又は当該線分よりもキートップ７３２の周縁側に位置していることが好ましい。同様に、第７実施形態において、突起部材７５０ｆは、周辺突起７４４Ｃと周辺突起７４４Ｄとを結ぶ線分の中間に位置していたが、周辺突起７４４Ｂと周辺突起７４４Ｅとから等距離となっていれば、当該線分上に位置していなくてもよい。ただし、同時押し防止をより安定に実現するためには、突起部材７５０ｆが、当該線分上又は当該線分よりもキートップ７３２の周縁側に位置していることが好ましい。
【０２４２】
本実施形態では、キートップの中央と四隅を押下する５点スイッチの５文字入力キーとして説明したが、多角形のキートップにすることで、６点以上のスイッチを設けることで６文字以上の入力キーを実現できることもできる。また、少なくともキートップの中央とこの中央を挟んだ対向する位置にない２つの隅を押下する３文字または４文字入力キーとすることもできる。例えば、４文字入力キーの例としては、キートップを三角形状とし、キートップの中央部およびキートップの頂点部分を含んだ隅部を押下される部分とした場合には、中央部と各隅部および各隅部同士の同時押下を防止するための突起部材を、中央部と各隅部の間および当該隅部間に配置することが必要である。
【０２４３】
また、キートップの押下時に中央突起及び周辺突起並びに突起部材が変形してしまうことで、第７実施形態において導出した上記式が満たされなくなることを防ぐため、図４４〜図４７に示されるように、中央突起８４４Ａ及び周辺突起８４４Ｂ〜８４４Ｅ並びに突起部材８５０ａ〜８５０ｆが、キートップ８３２と同じく、ある程度硬度のある材料（例えば、硬質プラスチック、金属）で形成されていてもよい。具体的には、キートップ８３２が上部キートップ８３２ａ及び下部キートップ８３２ｂによって構成されており、中央突起８４４Ａ及び周辺突起８４４Ｂ〜８４４Ｅ並びに突起部材８５０ａ〜８５０ｆが下部キートップ８３２ｂに一体的に形成されていてもよい（図４４〜図４６参照）。このように、入力キー８３０を、上部キートップ８３２ａと下部キートップ８３２ｂとで保持シート８３４を挟持する構成とすると、中央突起８４４Ａ及び周辺突起８４４Ｂ〜８４４Ｅ並びに突起部材８５０ａ〜８５０ｆのための比較的大きな貫通孔を保持シート８３４に設ける必要がなくなるので、当該貫通孔から水分や異物が入力キー８３０の内部に侵入し難くなるという効果も得られることとなる。
【０２４４】
なお、上部キートップ８３２ａと下部キートップ８３２ｂとの位置合わせを確実にするため、図４４及び図４６においては、上部キートップ８３２ａの下面及び下部キートップ８３２ｂの上面における中央突起８４４Ａ及び周辺突起８４４Ｂ〜８４４Ｅに対応する位置に凹部を設けると共に保持シート８３４の上面及び下面における中央突起８４４Ａ及び周辺突起８４４Ｂ〜８４４Ｅに対応する位置に凸部８３４ａを設けている。また、上部キートップ８３２ａと下部キートップ８３２ｂとの位置合わせを確実にするため、図４５においては、上部キートップ８３２ａの下面における中央突起８４４Ａ及び周辺突起８４４Ｂ〜８４４Ｅに対応する位置に保持シート８３４の厚さよりも長い突起部材８３２ｄを設け、下部キートップ８３２ｂの上面における中央突起８４４Ａ及び周辺突起８４４Ｂ〜８４４Ｅに対応する位置に突起部材８３２ｄを収容するための収容凹部８３２ｄを設けると共に、保持シート８３４における中央突起８４４Ａ及び周辺突起８４４Ｂ〜８４４Ｅに対応する位置に突起部材８３２ｄが貫通可能な貫通孔８３４ｄを設けている。
【０２４５】
また、キートップ８３２の隅部を押下したときに保持シート８３４がフレーム２０に接触しないよう、保持シート８３４とフレーム２０とをできるだけ離間させるため、図４４及び図４５においては、上部キートップ８３２ａの下面における周縁部分８３２ｅを中央部分よりも突出させており、上部キートップ８３２ａと下部キートップ８３２ｂとで保持シート８３４を挟持したときに、保持シート８３４のうち隣り合うキートップ８３２の間の部分が下方に向けて突出するようになっている。また、キートップ８３２の隅部を押下したときに保持シート８３４がフレーム２０に接触しないよう、保持シート８３４とフレーム２０とをできるだけ離間させるため、図４６においては、保持シート８３４のうち隣り合うキートップ８３２の間の部分が下方に向けて突出するように、予め保持シート８３４が形成されている。
【０２４６】
また、具体的には、中央突起８４４Ａ及び周辺突起８４４Ｂ〜８４４Ｅ並びに突起部材８５０ａ〜８５０ｆがキートップ８３２に一体的に形成されていてもよい（図４７参照）。なお、図４７においては、中央突起８４４Ａ及び周辺突起８４４Ｂ〜８４４Ｅ並びに突起部材８５０ａ〜８５０ｆが貫通可能な貫通孔８３４ｃが、保持シート８３４のうち中央突起８４４Ａ及び周辺突起８４４Ｂ〜８４４Ｅ並びに突起部材８５０ａ〜８５０ｆに対応する位置に設けられている。このとき、第７実施形態において定義したパラメータＰｃに関し、「中央突起８４４Ａの長さ」とは中央突起８４４Ａのうち保持シート８３４から露出している部分の長さをいい、第７実施形態において定義したパラメータＰｓに関し、「周辺突起８４４Ｂ〜８４４Ｅの長さ」とは周辺突起８４４Ｂ〜８４４Ｅのうち保持シート８３４から露出している部分の長さをいい、第７実施形態において定義したパラメータＲｃに関し、「突起部材７５０ａ〜７５０ｄの長さ」とは突起部材７５０ａ〜７５０ｄのうち保持シート８３４から露出している部分の長さをいい、第７実施形態において定義したパラメータＲｓに関し、「突起部材７５０ｅ，７５０ｆの長さ」とは突起部材７５０ｅ，７５０ｆのうち保持シート８３４から露出している部分の長さをいう。
【図面の簡単な説明】
【０２４７】
【図１】図１は、第１〜第６実施形態に係る入力装置を適用した携帯電話の斜視図である。
【図２】図２の（ａ）は第１実施形態に係る入力装置の一部を拡大して示す上面図であり、図２の（ｂ）は第１実施形態に係る入力装置の一部を拡大して示す斜視図である。
【図３】図３は、第１実施形態に係る入力装置における入力キーの平面図である。
【図４】図４は、第１〜第６実施形態に係る入力装置におけるキートップの天面側を示す斜視図である。
【図５】図５は、第１実施形態に係る入力装置におけるキートップの裏面側を示す斜視図である。
【図６】図６は、第１実施形態に係る入力装置における入力キーの図４のＡ−Ａ線断面図である。
【図７】図７は、第１実施形態に係る入力装置における基板の表面を示す斜視図である。
【図８】図８は、第１実施形態に係る入力装置におけるキートップの中央部が押下操作されたときの、図４のＡ−Ａ線断面図である。
【図９】図９は、第１実施形態に係る入力装置におけるキートップの隅部が押下操作されたときの、図４のＡ−Ａ線断面図である。
【図１０】図１０は、第２実施形態に係る入力装置における基板の表面を示す斜視図である。
【図１１】図１１は、第３実施形態に係る入力装置における入力キーの図４のＡ−Ａ線断面図である。
【図１２】図１２は、第４実施形態に係る入力装置におけるキートップの裏面側を示す斜視図である。
【図１３】図１３は、第４実施形態に係る入力装置における入力キーの図４のＡ−Ａ線断面図である。
【図１４】図１４は、図１２のＢ−Ｂ線断面図である。
【図１５】図１５は、第４実施形態に係る入力装置における基板の表面を示す斜視図である。
【図１６】図１６は、第４実施形態に係る入力装置におけるキートップの中央部が押下操作されたときの、図４のＡ−Ａ線断面図である。
【図１７】図１７は、第４実施形態に係る入力装置におけるキートップの中央部が押下操作されたときの、図１２のＢ−Ｂ線断面図である。
【図１８】図１８は、第４実施形態に係る入力装置におけるキートップの隅部が押下操作されたときの、図４のＡ−Ａ線断面図である。
【図１９】図１９は、第４実施形態に係る入力装置におけるキートップの隅部が押下操作されたときの、図１２のＢ−Ｂ線断面図である。
【図２０】図２０は、第５実施形態に係る入力装置におけるキートップの裏面側を示す斜視図である。
【図２１】図２１は、第５実施形態に係る入力装置における入力キーの図４のＡ−Ａ線断面図である。
【図２２】図２２は、第５実施形態に係る入力装置における基板の表面を示す斜視図である。
【図２３】図２３は、第６実施形態に係る入力装置におけるキートップの裏面側を示す斜視図である。
【図２４】図２４は、第６実施形態に係る入力装置における入力キーの図４のＡ−Ａ線断面図である。
【図２５】図２５は、第６実施形態に係る入力装置における基板の表面を示す斜視図である。
【図２６】図２６は、キートップを透視した状態で第７実施形態に係る入力装置における基板を示す上面図である。
【図２７】図２７は、キートップの非押下時における、図２６のＣ−Ｃ線断面図である。
【図２８】図２８は、キートップの非押下時における、図２６のＣ−Ｃ線断面図である。
【図２９】図２９は、第７実施形態に係る入力装置におけるキートップの中央部が押下操作されたときの、図２６のＣ−Ｃ線断面図である。
【図３０】図３０は、第７実施形態に係る入力装置におけるキートップの隅部が押下操作されたときの、図２６のＣ−Ｃ線断面図である。
【図３１】図３１は、図３０の部分拡大図であり、式（Ｓ−ａ）を説明するための図である。
【図３２】図３２は、図３０の部分拡大図であり、式（Ｓ−ｂ）を説明するための図である。
【図３３】図３３は、第７実施形態に係る入力装置におけるキートップの隅部が押下操作されたときの、図２６のＣ−Ｃ線断面図であり、式（Ｓ−ｃ）及び式（Ｓ−ｄ）を説明するための図である。
【図３４】図３４は、図３０の部分拡大図であり、式（Ｓ−ｅ）を説明するための図である。
【図３５】図３５は、第７実施形態に係る入力装置におけるキートップの中央部と隅部との中間位置が押下操作されたときの、図２６のＣ−Ｃ線断面図である。
【図３６】図３６は、図３５の部分拡大図であり、式（ＭＣ−ａ）及び式（ＭＣ−ｂ）を説明するための図である。
【図３７】図３７は、図３５の部分拡大図であり、式（ＭＣ−ｃ）を説明するための図である。
【図３８】図３８は、第７実施形態に係る入力装置におけるキートップの隅部と隅部との中間位置が押下操作されたときの、図２６のＤ−Ｄ線断面図である。
【図３９】図３９は、図３８の部分拡大図であり、式（ＭＳ−ａ）を説明するための図である。
【図４０】図４０は、図３８の部分拡大図であり、式（ＭＳ−ｂ）を説明するための図である。
【図４１】図４１は、図３８の部分拡大図であり、式（ＭＳ−ｃ）を説明するための図である。
【図４２】図４２は、図４のＡ−Ａ線断面図で示される入力キーの変形例を示す断面図である。
【図４３】図４３は、図４のＡ−Ａ線断面図で示される変形例における入力キーの隅部が押下されたときの状態を示す断面図である。
【図４４】図４４は、図４のＡ−Ａ線断面図で示される入力キーの変形例を示す断面図である。
【図４５】図４５は、図４のＡ−Ａ線断面図で示される入力キーの変形例を示す断面図である。
【図４６】図４６は、図４のＡ−Ａ線断面図で示される入力キーの変形例を示す断面図である。
【図４７】図４７は、図４のＡ−Ａ線断面図で示される入力キーの変形例を示す断面図である。
【符号の説明】
【０２４８】
１…携帯電話機、１０，２１０，３１０，４１０，５１０，６１０，７１０…入力装置、２０…フレーム、２２…開口部、２４…突条、３０，２３０，３３０，４３０，５３０，６３０，７３０，８３０…入力キー、３２，２３２，３３２，４３２，５３２，６３２，７３２，７３２…キートップ、３２Ａ，７３２Ａ，８３２Ａ…中央部、３２Ｂ〜３２Ｅ，７３２Ｂ〜７３２Ｅ，８３２Ｂ〜８３２Ｅ…隅部、３４，４３４，５３４，６３４，７３４，８３４…保持シート、３６…基板、４０ａ〜４０ｆ…突条、４２ａ〜４２ｆ…外側面、５０ａ〜５０ｆ，２５０ａ〜２５０ｆ，４５０ａ〜４５０ｆ，５５０ａ〜５５０ｆ，６５２ａ〜６５２ｆ，６５４ａ〜６５４ｆ，７５０ａ〜７５０ｆ，８５０ａ〜８５０ｆ…突起部材、５２ａ〜５２ｄ，４５２ａ〜４５２ｄ，５５２ａ〜５５２ｄ…稜線、５４ａ〜５４ｄ，４５４ａ〜４５４ｆ，４５５ｅ，４５５ｆ，５５４ａ〜５５４ｆ，５５５ｅ，５５５ｆ，６５８ａ〜６５８ｄ…傾斜面、３３４…保持体、４４６，５４６、６４６…開口、４６０，５６０，６６０…保持突起、６５０ａ〜６５０ｆ…突起部材群、６５６ａ〜６５６ｄ…線分。
【図１】
2008053228.tif 000003
【図２】
2008053228.tif 000004
【図３】
2008053228.tif 000005
【図４】
2008053228.tif 000006
【図５】
2008053228.tif 000007
【図６】
2008053228.tif 000008
【図７】
2008053228.tif 000009
【図８】
2008053228.tif 000010
【図９】
2008053228.tif 000011
【図１０】
2008053228.tif 000012
【図１１】
2008053228.tif 000013
【図１２】
2008053228.tif 000014
【図１３】
2008053228.tif 000015
【図１４】
2008053228.tif 000016
【図１５】
2008053228.tif 000017
【図１６】
2008053228.tif 000018
【図１７】
2008053228.tif 000019
【図１８】
2008053228.tif 000020
【図１９】
2008053228.tif 000021
【図２０】
2008053228.tif 000022
【図２１】
2008053228.tif 000023
【図２２】
2008053228.tif 000024
【図２３】
2008053228.tif 000025
【図２４】
2008053228.tif 000026
【図２５】
2008053228.tif 000027
【図２６】
2008053228.tif 000028
【図２７】
2008053228.tif 000029
【図２８】
2008053228.tif 000030
【図２９】
2008053228.tif 000031
【図３０】
2008053228.tif 000032
【図３１】
2008053228.tif 000033
【図３２】
2008053228.tif 000034
【図３３】
2008053228.tif 000035
【図３４】
2008053228.tif 000036
【図３５】
2008053228.tif 000037
【図３６】
2008053228.tif 000038
【図３７】
2008053228.tif 000039
【図３８】
2008053228.tif 000040
【図３９】
2008053228.tif 000041
【図４０】
2008053228.tif 000042
【図４１】
2008053228.tif 000043
【図４２】
2008053228.tif 000044
【図４３】
2008053228.tif 000045
【図４４】
2008053228.tif 000046
【図４５】
2008053228.tif 000047
【図４６】
2008053228.tif 000048
【図４７】
2008053228.tif 000049